(57)【要約】たとえばＣＤ、ＣＤ‐ＲＯＭ、もしくはＤＶＤといった記録メディア等の少なくとも１つのディスク形状のメディア（４２）を、その種のディスクに関連するその他の有形物とともに、あるいは積み重ねた関係においてパッケージングするための引き延ばされたパッケージング・デバイスが提供されている。このパッケージング・デバイスは、第１のチャンバ（４５６）ならびに当該第１のチャンバ内へのアクセスを提供するための第１の開口を有する第１の部材（４５０）、および第２のチャンバならびに当該第２のチャンバ内へのアクセスを提供するための第２の開口を有する第２の部材（４８４）を備え、それにおいて第１の部材は、第２の開口に関して第２の部材に取り外し可能に取り付けられ、それによってこの第２の開口を閉じるべく適合されている。さらに、このパッケージング・デバイス内に、その種のディスク形状のメディアならびにその他の有形物をパッケージングするための方法が提供されている。
2004536751.tif 000002
【特許請求の範囲】
【請求項１】
少なくとも１つのディスク形状の記録メディアおよびその他の有形物のパッケージングを行うための引き延ばされたパッケージング・デバイスであって：
第１のチャンバおよび前記第１のチャンバ内へのアクセスを提供するための第１の開口を有する第１の部材を備え、それにおいて前記第１の部材は、開いたポジションならびに閉じたポジションを有するものとし；
第２のチャンバおよび前記第２のチャンバ内へのアクセスを提供するための第２の開口を有する第２の部材を備え、それにおいて前記第１の部材は、前記第２の開口に関して前記第２の部材に取り外し可能に取り付けられ、前記第２の開口をカバーするべく適合されているものとし；かつ、
前記第１のチャンバ内において前記記録メディアを、前記記録メディアの平面内もしくは前記記録メディアの平面に垂直となる直線運動に抗しつつ、その一方で同時に、前記第１のチャンバ内における前記記録メディアの平面に垂直な軸まわりの前記記録メディアの回転を許容して前記記録メディアの支持ならびに保護を行うための手段；
を備える、引き延ばされたパッケージング・デバイス。
【請求項２】
前記第１の部材は、前記第１の部材が閉じたポジションにあるとき、互いに隣接して嵌り合い、前記第１のチャンバが確保されるべく適合された相補コンパートメントのペアを包含しているものとする、特許請求の範囲第１項に記載の引き延ばされたパッケージング・デバイス。
【請求項３】
前記相補コンパートメントは、インターロック手段によって互いに結合されるものとする、特許請求の範囲第２項に記載の引き延ばされたパッケージング・デバイス。
【請求項４】
前記記録メディアの支持ならびに保護を行うための前記手段は、前記相補コンパートメントの１つの上にマウントされており、それにおいて前記記録メディアの支持ならびに保護を行うための前記手段、および前記記録メディアは、前記第１の部材が前記閉じたポジションにあるとき、いずれも前記第１のチャンバ内に達するものとする、特許請求の範囲第３項に記載の引き延ばされたパッケージング・デバイス。
【請求項５】
前記相補コンパートメントは、さらに、内側表面および外側表面を含み、前記記録メディアは、環状の中心アパーチャを含み、それにおいて前記支持ならびに保護を行うための手段は、前記環状の中心アパーチャ内に挿入され、かつ係合されるべく適合された、前記相補コンパートメントの１つの前記内側表面にマウントされ、かつそれから延びる少なくとも１つの直立した表面突起を包含しているものとする、特許請求の範囲第４項に記載の引き延ばされたパッケージング・デバイス。
【請求項６】
前記少なくとも１つの直立した表面突起は、少なくとも１つの突出部を含み、前記突出部は、前記直立した表面突起上において前記ディスク形状のメディアを保持しつつ、その一方で前記直立した表面突起まわりの前記ディスク形状のメディアの自由な回転を可能にするべく適合されているものとする、特許請求の範囲第５項に記載の引き延ばされたパッケージング・デバイス。
【請求項７】
前記支持ならびに保護を行うための手段は、３つの直立した表面突起を包含し、それにおいて前記表面突起は半硬質であり、その結果、それらが撓曲して前記記録メディアの挿入ならびに係合が可能になるものとする、特許請求の範囲第５項に記載の引き延ばされたパッケージング・デバイス。
【請求項８】
前記３つの直立した表面突起は、少なくとも１つの突出部を含み、前記突出部は、前記直立した表面突起上において前記ディスク形状のメディアを保持しつつ、その一方で前記直立した表面突起まわりの前記ディスク形状のメディアの自由な回転を可能にするべく適合されているものとする、特許請求の範囲第７項に記載の引き延ばされたパッケージング・デバイス。
【請求項９】
前記第１の部材および前記第２の部材は、形状において円筒状であり、それにおいて前記第１の部材の直径は、前記第２の開口の直径よりわずかに小さく、前記第１の部材は、前記第２の開口内に取り外し可能に挿入され、かつ保持されるべく適合されているものとする、特許請求の範囲第１項に記載の引き延ばされたパッケージング・デバイス。
【請求項１０】
前記第１の部材は、さらに、その周縁を画定する外側の第１のフランジを含み、前記第２の部材は、前記第２の開口を画定し、かつ内壁を有する第２のリムを包含し、それにおいて前記第１の部材および前記リッドは、前記第２のリムの前記内壁と前記第１のフランジの間における圧縮嵌めによって取り外し可能に保持されるものとする、特許請求の範囲第９項に記載の引き延ばされたパッケージング・デバイス。
【請求項１１】
前記第１の部材は、さらに、前記外側の第１のフランジの前記周縁のまわりに外側に広がるカラーを含み、それにおいては、前記カラーと前記第２のリムの間の係合によって、前記第１の部材および前記リッドが前記第２の開口内に完全に挿入されることが防止されるものとする、特許請求の範囲第１０項に記載の引き延ばされたパッケージング・デバイス。
【請求項１２】
前記第１のフランジは、さらに、前記第２のリムの前記内壁に係合するべく適合された複数のフィンを含むものとする、特許請求の範囲第１０項に記載の引き延ばされたパッケージング・デバイス。
【請求項１３】
前記第１のフランジは、さらに外ねじを含み、前記リムの前記第２の内壁は、対応する内ねじを含み、それにおいて前記内ねじは、前記外ねじとの係合に適合されているものとする、特許請求の範囲第１０項に記載の引き延ばされたパッケージング・デバイス。
【請求項１４】
前記相補コンパートメントは、曲げやすいヒンジによって取り付けられるものとする、特許請求の範囲第１項に記載の引き延ばされたパッケージング・デバイス。
【請求項１５】
前記相補コンパートメントは、インターロック手段によって互いに結合されるものとする、特許請求の範囲第１４項に記載の引き延ばされたパッケージング・デバイス。
【請求項１６】
前記記録メディアの支持ならびに保護を行うための前記手段は、前記相補コンパートメントの１つの上にマウントされており、それにおいて前記記録メディアの支持ならびに保護を行うための前記手段、および前記記録メディアは、前記第１の部材が前記閉じたポジションにあるとき、いずれも前記第１のチャンバ内に達するものとする、特許請求の範囲第１５項に記載の引き延ばされたパッケージング・デバイス。
【請求項１７】
前記相補コンパートメントは、さらに、内側表面および外側表面を含み、前記記録メディアは、環状の中心アパーチャを含み、それにおいて前記支持ならびに保護を行うための手段は、前記環状の中心アパーチャ内への挿入およびそれとの係合に適合された、前記相補コンパートメントの１つの前記内側表面にマウントされ、かつそれから延びる少なくとも１つの直立した表面突起を包含しているものとする、特許請求の範囲第１６項に記載の引き延ばされたパッケージング・デバイス。
【請求項１８】
前記少なくとも１つの直立した表面突起は、少なくとも１つの突出部を含み、前記突出部は、前記直立した表面突起上において前記ディスク形状のメディアを保持しつつ、その一方で前記直立した表面突起まわりの前記ディスク形状のメディアの自由な回転を可能にするべく適合されているものとする、特許請求の範囲第１７項に記載の引き延ばされたパッケージング・デバイス。
【請求項１９】
さらに、前記第２の開口を解放可能に閉じるためのリッドを含むものとする、特許請求の範囲第１４項に記載の引き延ばされたパッケージング・デバイス。
【請求項２０】
さらに前記ディスク形状のメディアの直径と少なくとも同一の直径を有する円形のセーフティ・シールを含み、前記セーフティ・シールが、前記ディスク形状のメディアのメディア側をカバーし、保護するものとする、特許請求の範囲第１４項に記載の引き延ばされたパッケージング・デバイス。
【請求項２１】
さらに、前記第２の開口を一時的にシールするために、繰り返しの前記第２の開口への取り付け、およびそこからの取り外しに適合された取り外し可能なシールを含むものとする、特許請求の範囲第１４項に記載の引き延ばされたパッケージング・デバイス。
【請求項２２】
さらに、前記第２の開口を解放可能に閉じるためのリッドを含むものとする、特許請求の範囲第２１項に記載の引き延ばされたパッケージング・デバイス。
【請求項２３】
さらに、前記ディスク形状のメディアの直径と少なくとも同一の直径を有する円形のセーフティ・シールを含み、前記セーフティ・シールが、前記ディスク形状のメディアのメディア側をカバーし、保護するものとする、特許請求の範囲第２１項に記載の引き延ばされたパッケージング・デバイス。
【請求項２４】
閉じたパッケージング・デバイス内にディスク形状のメディアならびに前記ディスク形状のメディア以外の有形物をパッケージングするための方法であって：
第１のチャンバおよび前記第１のチャンバ内へのアクセスを提供するための第１の開口を有する第１の部材を用意するステップであり、それにおいて前記第１の部材は、開いたポジションならびに閉じたポジションを有するものとするステップ；
第２のチャンバおよび前記第２のチャンバ内へのアクセスを提供するための第２の開口を有する第２の部材を用意するステップであり、それにおいて前記第１の部材は、前記第２の開口に関して前記第２の部材に取り外し可能に取り付けられ、それによって前記第２の開口をカバーするべく適合されているものとするステップ；および、
前記第１のチャンバ内において前記記録メディアを、前記記録メディアの平面内もしくは前記記録メディアの平面に垂直となる直線運動に抗しつつ、その一方で同時に、前記第１のチャンバ内における前記記録メディアの平面に垂直な軸まわりの前記記録メディアの回転を許容して前記記録メディアの支持ならびに保護を行うための手段を用意するステップ；
前記第１のチャンバ内において前記支持ならびに保護を行うための手段に前記ディスク形状のメディアを取り外し可能に取り付けるステップ；
前記ディスク形状のメディア以外の前記有形物を前記第２のチャンバ内に挿入するステップ；および、
前記第１の部材を前記第２の部材へ取り外し可能に取り付けるステップ；
を含む方法。
【請求項２５】
前記第１の部材は、前記第１の部材が閉じたポジションにあるとき、互いに隣接して嵌り合い、前記第１のチャンバが確保されるべく適合された相補コンパートメントのペアを包含しており、前記相補コンパートメントは、インターロック手段によって互いに結合されるものとし、さらに、前記ディスク形状のメディアが取り付けられた後に、前記相補コンパートメントを閉じて動かないようにするステップを含むものとする、特許請求の範囲第２４項に記載の方法。
【請求項２６】
前記相補コンパートメントは、さらに、内側表面および外側表面を含み、前記記録メディアは、環状の中心アパーチャを含み、それにおいて前記支持ならびに保護を行うための手段は、前記環状の中心アパーチャ内に挿入され、かつ係合されるべく適合された、前記相補コンパートメントの１つの前記内側表面にマウントされ、かつそれから延びる少なくとも１つの直立した表面突起を包含しているものとし、それにおいて前記ディスク形状のメディアを取り付けるステップは、前記ディスク形状のメディアを前記直立した表面突起上に取り外し可能にスライドさせるステップを含むものとする、特許請求の範囲第２５項に記載の引き延ばされたパッケージング・デバイス。
【請求項２７】
さらに、前記第１の部材を前記第２の部材へ取り外し可能に取り付ける前記ステップの後に、前記第２の開口の周囲にリッドを取り外し可能に取り付けるステップを含むものとする、特許請求の範囲第２４項に記載の方法。
【請求項２８】
さらに、前記ディスク形状のメディアを挿入するステップの後に、前記ディスク形状のメディアのメディア側をカバーし、保護するために円形のセーフティ・シールをあてがうステップを含むものとする、特許請求の範囲第２４項に記載の方法。
【請求項２９】
貫通するアパーチャを有する少なくとも１つのディスク形状のメディアを受け入れるための第１のチャンバを有する第１の部材を備え、それにおいて前記第１の部材は、前記第１のチャンバ内へのアクセスを提供するための第１の開口を有しているものとし；
前記ディスク形状のメディア以外の有形物を受け入れるための第２のチャンバを有する第２の部材を備え、それにおいて前記第２の部材は、前記第２のチャンバ内へのアクセスを提供するための第２の開口を有し、前記第１の部材は、前記第２の開口に関して前記第２の部材に取り外し可能に取り付けられ、それによって前記第２の開口をカバーするべく適合されているものとし；かつ、
前記第１のチャンバ内において前記記録メディアを、前記記録メディアの平面内もしくは前記記録メディアの平面に垂直となる直線運動に抗しつつ、その一方で同時に、前記第１のチャンバ内における前記記録メディアの平面に垂直な軸まわりの前記記録メディアの回転を許容して前記記録メディアの支持ならびに保護を行うための手段；
を備えるパッケージング・デバイス。
【請求項３０】
前記第１の部材はプラグ容器を含み、前記記録メディアの支持ならびに保護を行うための前記手段は、前記プラグ容器上にマウントされるものとする、特許請求の範囲第２９項に記載のパッケージング・デバイス。
【請求項３１】
前記プラグ容器は、さらに第１の内表面および第１の外表面を含み、かつ前記記録メディアは、環状の中心アパーチャを含み、それにおいて前記支持ならびに保護を行うための手段は、前記プラグ容器の前記第１の内表面上にマウントされ、かつそれから延びており、前記環状の中心アパーチャ内への挿入ならびにそれとの係合に適合された中心サポートを包含するものとする、特許請求の範囲第３０項に記載のパッケージング・デバイス。
【請求項３２】
前記中心サポートは、少なくとも１つの内側突起を含み、前記ディスクを前記中心サポート上に確保するものとする、特許請求の範囲第３１項に記載のパッケージング・デバイス。
【請求項３３】
前記第１の内表面は、さらに前記第１の内表面から延びる、前記支持ならびに保護を行うための手段の周囲に配置されるカラー部分を含み、前記カラー部分は、前記ディスク形状のメディアと前記第１の内表面の接触を防止するべく適合されているものとする、特許請求の範囲第３２項に記載のパッケージング・デバイス。
【請求項３４】
さらに取り外し可能なリッドを備え、それにおいて前記ディスク形状のメディアは、前記支持ならびに保護を行うための手段と前記取り外し可能なリッドの間における接触によって、前記支持ならびに保護を行うための手段上に保持されるものとする、特許請求の範囲第３１項に記載のパッケージング・デバイス。
【請求項３５】
前記リッドは、圧縮嵌めによって、前記第１の開口内へ挿入され、かつそこに保持されるべく適合されているものとする、特許請求の範囲第３４項に記載のパッケージング・デバイス。
【請求項３６】
前記リッドは、前記第１の部材および前記第２の部材をともにカバーし、前記第２の部材との圧縮嵌めによって、そこに保持されるべく適合されているものとする、特許請求の範囲第３４項に記載のパッケージング・デバイス。
【請求項３７】
さらにシーリング部材を含み、それにおいて前記ディスク形状のメディアは、前記支持ならびに保護を行うための手段と前記シーリング部材との間の接触によって、前記支持ならびに保護を行うための手段上に保持されるものとする、特許請求の範囲第３１項に記載のパッケージング・デバイス。
【請求項３８】
前記シーリング部材は、収縮ラップ・プラスチックからなるものとする、特許請求の範囲第３７項に記載のパッケージング・デバイス。
【請求項３９】
前記シーリング部材は、フォイル・シールからなるものとする、特許請求の範囲第３７項に記載のパッケージング・デバイス。
【請求項４０】
前記シーリング部材は、厚紙シールからなるものとする、特許請求の範囲第３７項に記載のパッケージング・デバイス。
【請求項４１】
前記シーリング部材は、前記第１の部材を完全にカバーするものとする、特許請求の範囲第３７項に記載のパッケージング・デバイス。
【請求項４２】
前記シーリング部材は、前記第１の部材ならびに前記第２の部材をともに完全にカバーするものとする、特許請求の範囲第３７項に記載のパッケージング・デバイス。
【請求項４３】
さらに、取り外し可能な保護エレメントを含み、前記保護エレメントおよび前記ディスク形状のメディアは、前記保護エレメントと前記内側突起の間における接触によって前記中心サポート上に保持されるものとする、特許請求の範囲第３２項に記載のパッケージング・デバイス。
【請求項４４】
さらに、取り外し可能な保護エレメントを含み、それにおいて前記プラグ容器は、前記第１の開口の周囲に配置される少なくとも１つの外側突起を含み、前記保護エレメントおよび前記ディスク形状のメディアは、前記保護エレメントと前記外側突起の間における接触によって、前記支持ならびに保護を行うための手段上に保持されるものとする、特許請求の範囲第３０項に記載のパッケージング・デバイス。
【請求項４５】
さらに、取り外し可能な保護エレメントを含み、それにおいて前記プラグ容器は、前記第１の開口の周囲に配置される少なくとも１つの外側突起を含み、前記保護エレメントおよび前記ディスク形状のメディアは、前記保護エレメントと前記内側突起ならびに前記外側突起の間における接触によって前記中心サポート上に保持されるものとする、特許請求の範囲第３２項に記載のパッケージング・デバイス。
【請求項４６】
前記記録メディアの支持ならびに保護を行うための前記手段は、保護ケーシングを包含するものとする、特許請求の範囲第２９項に記載のパッケージング・デバイス。
【請求項４７】
前記保護ケーシングは、前記ディスク形状のメディアの受け入れならびに保持のための開口を含む保護エンベロープを包含しているものとする、特許請求の範囲第４６項に記載のパッケージング・デバイス。
【請求項４８】
前記保護ケーシングは、２つの相補的なインターロック部材を有する容器を包含しており、前記容器は、前記ディスク形状のメディアの受け入れならびに保持に適合されているものとする、特許請求の範囲第４６項に記載のパッケージング・デバイス。
【請求項４９】
前記相補的なインターロック部材は、曲げやすいヒンジによって取り付けられているものとする、特許請求の範囲第４８項に記載のパッケージング・デバイス。
【請求項５０】
前記相補的なインターロック部材は、スナップ手段によって取り付けられているものとする、特許請求の範囲第４８項に記載のパッケージング・デバイス。
【請求項５１】
前記相補的なインターロック部材は、曲げやすいヒンジおよびスナップ手段の組み合わせによって取り付けられているものとする、特許請求の範囲第４８項に記載のパッケージング・デバイス。
【請求項５２】
さらに、前記第１の開口を閉じ、確保することに適合されたリッドを含んでおり、それにおいて前記保護ケーシングは、前記リッドによって前記第１の部材内に保持されるものとする、特許請求の範囲第４６項に記載のパッケージング・デバイス。
【請求項５３】
さらに、前記第１の開口の周囲に配置される保護シールを含んでおり、それにおいて前記保護ケーシングは、前記保護シールによって前記第１の部材内に保持されるものとする、特許請求の範囲第４６項に記載のパッケージング・デバイス。
【請求項５４】
さらに、前記第１の開口の周囲に配置される少なくとも１つの外側突起を含んでおり、それにおいて前記保護ケーシングは、前記少なくとも１つの外側突起によって前記第１の部材内に保持されるものとする、特許請求の範囲第４６項に記載のパッケージング・デバイス。
【請求項５５】
前記第１の部材はプラグ容器を含み、それにおいて前記プラグ容器は、さらに第１の内表面および第１の外表面を含み、かつ前記プラグ容器は、さらに前記第１の内表面から延びるカラー部分を含み、前記カラー部分は、前記保護ケーシングを前記少なくとも１つの外側突起に対して保持することに適合されているものとする、特許請求の範囲第５４項に記載のパッケージング・デバイス。
【請求項５６】
さらにシーリング部材を含んでおり、それにおいて前記ディスク形状のメディアは、前記支持ならびに保護を行うための手段と前記シーリング部材との間の接触によって、前記支持ならびに保護を行うための手段上に保持されるものとする、特許請求の範囲第２９項に記載のパッケージング・デバイス。
【請求項５７】
前記シーリング部材は、前記シーリング部材を取り外すためのプル‐タブを含んでいるものとする、特許請求の範囲第５６項に記載のパッケージング・デバイス。
【請求項５８】
前記シーリング部材は、前記シーリング部材を取り外すためのノッチ付きのカット‐アウトを含んでいるものとする、特許請求の範囲第５６項に記載のパッケージング・デバイス。
【請求項５９】
前記第１の部材は、さらに前記第１の部材にヒンジを付けることを可能にして前記第１のチャンバへの側面アクセスを提供することに適合された手段を含んでいるものとする、特許請求の範囲第２９項に記載のパッケージング・デバイス。
【請求項６０】
前記第１の部材はプラグ容器を含み、それにおいて前記プラグ容器は側壁およびフロアを含んでおり、前記ヒンジを付ける手段は、前記側壁の対向する切り込み、および前記対向する切り込みの間を結ぶラインに沿った折り目を包含し、前記折り目ラインに沿った前記プラグ容器の折り曲げが可能になるものとする、特許請求の範囲第５９項に記載のパッケージング・デバイス。
【請求項６１】
前記側壁は、前記ディスク形状のメディアの受け入れ、および保持に適合された外側の突起を有しているものとする、特許請求の範囲第６０項に記載のパッケージング・デバイス。
【請求項６２】
前記対向する切り込みのそれぞれは、嵌め合い面を有し、前記嵌め合い面は、前記プラグが閉じられるとき、積極的に係合するべく適合されているものとする、特許請求の範囲第６１項に記載のパッケージング・デバイス。
【請求項６３】
さらに、前記ディスク形状のメディアのための支持手段を含むリッドを含んでおり、それにおいて前記側壁は、前記リッドならびにディスクの受け入れならびに保持に適合された外側突起を含んでいるものとする、特許請求の範囲第６０項に記載のパッケージング・デバイス。
【請求項６４】
前記支持手段は、中心支持構造を構成するものとする、特許請求の範囲第６３項に記載のパッケージング・デバイス。
【請求項６５】
さらに、前記第１の部材内において前記ディスク形状のメディアを確保し、保護することに適合されたシーリング部材を含むものとする、特許請求の範囲第５９項に記載のパッケージング・デバイス。
【請求項６６】
ディスク形状の記録メディアを、前記ディスク形状のメディア以外の有形物とともにパッケージングするための、前記有形物は、保管デバイス内に保管されるものとする方法であって：
前記少なくとも１つのディスク形状のメディアをパッケージングするためのデバイスを用意するステップであり、前記デバイスは：
貫通するアパーチャを有する少なくとも１つのディスク形状のメディアを受け入れるための第１のチャンバを有する第１の部材を備え、それにおいて前記第１の部材は、前記第１のチャンバ内へのアクセスを提供するための第１の開口を有しているものとし；かつ、
前記ディスク形状のメディア以外の有形物を受け入れるための第２のチャンバを有する第２の部材を備え、それにおいて前記第２の部材は、前記第２のチャンバ内へのアクセスを提供するための第２の開口を有し、かつ前記第１の部材は、前記第２の開口に関して前記第２の部材に取り外し可能に取り付けられ、それによって前記第２の開口をカバーするべく適合されているものとし；かつ、
前記第１のチャンバ内において前記ディスク形状の記録メディアを、前記記録メディアの平面内もしくは前記記録メディアの平面に垂直となる直線運動に抗しつつ、その一方で同時に、前記第１のチャンバ内における前記記録メディアの平面に垂直な軸まわりの前記記録メディアの回転を許容して前記記録メディアの支持ならびに保護を行うための手段；
を包含するものとする、デバイスを用意するステップ；
前記ディスク形状のメディアを前記第１のチャンバ内に挿入するステップ；
前記支持ならびに保護を行うための手段に、前記ディスク形状のメディアを取り外し可能に取り付けるステップ；および、
前記第１の部材を前記第２の部材に対して取り外し可能とするステップ；
を含む方法。
【請求項６７】
さらに、前記ディスク形状のメディアを前記第１のチャンバ内にシールするステップを含むものとする、特許請求の範囲第６６項に記載の方法。
【請求項６８】
さらに、前記ディスク形状のメディアを前記第１のチャンバ内に挿入する前に、それを保護エレメント内にシールするステップを含むものとする、特許請求の範囲第６６項に記載の方法。
【請求項６９】
さらに、前記ディスク形状のメディアが挿入される前に前記第１の部材をヒンジ状に開くステップ、および前記ディスク形状のメディアが挿入された後に前記第１の部材をヒンジ状に閉じるステップを含むものとする、特許請求の範囲第６６項に記載の方法。
【請求項７０】
貫通する中心アパーチャを有する少なくとも１つのディスク形状のアイテムを、開口を有するカップ‐タイプの飲料容器とともにパッケージングするための引き延ばされたパッケージング・デバイスであって：
前記飲料容器に対して解放可能にかぶせられるべく適合されたリッドであり：
中心開口を有する内側表面；
前記中心開口の周囲の前記内側表面上にマウントされる前記ディスク形状のアイテムの明確な受け入れならびに保持を行うための手段；
前記リッドの周縁を取り巻いて広がる隆起した環状の棚；
前記リッド内に水密のチャンバを作るべく、前記受け入れならびに保持を行うための手段および前記隆起した環状の棚とのシール係合に適合された保護エレメント；および、
前記リッドを前記飲料容器にかぶせたまま、前記気密チャンバの完全性を損なうことなく、前記保護エレメントおよび前記中心開口にストローを通すための手段；
を含むリッド；
を備えるパッケージング・デバイス。
【請求項７１】
前記リッドは、さらに、前記ディスク形状のアイテムの支持ならびに保護を行うための手段を含むものとする、特許請求の範囲第７０項に記載のパッケージング・デバイス。
【請求項７２】
前記支持ならびに保護を行うための手段は、前記ディスク形状のアイテムの水平ならびに垂直方向における動きを制限しつつ、その一方で前記ディスク形状のアイテムの回転を許容するための手段を含むものとする、特許請求の範囲第７１項に記載のパッケージング・デバイス。
【請求項７３】
前記支持ならびに保護を行うための手段は、さらに、前記ディスク形状のメディア内の前記アパーチャへの挿入に適合された円筒状の突起を含むものとする、特許請求の範囲第７１項に記載のパッケージング・デバイス。
【請求項７４】
前記円筒状の突起は、前記ディスク形状のメディアが前記円筒状の突起から滑り落ちることを防止するべく前記アパーチャとの係合に適合された少なくとも１つの隆起した突出部を含むものとする、特許請求の範囲第７３項に記載のパッケージング・デバイス。
【請求項７５】
前記円筒状の突起は平坦なエンドを含み、前記隆起した環状の棚は、前記円筒状の突起の前記平坦なエンドと同一平面上にあるとする、特許請求の範囲第７３項に記載のパッケージング・デバイス。
【請求項７６】
前記シーリングのための手段は、前記棚および前記平坦なエンドにシールされる防水シーリング部材を包含するものとする、特許請求の範囲第７５項に記載のパッケージング・デバイス。
【請求項７７】
前記シーリング部材は、前記棚および前記平坦なエンドに対して熱シーリングが行われるものとする、特許請求の範囲第７６項に記載のパッケージング・デバイス。
【請求項７８】
前記シーリング部材は、さらに、前記シーリング部材を前記棚および前記平坦なエンドから取り外すための手段を含むものとする、特許請求の範囲第７７項に記載のパッケージング・デバイス。
【請求項７９】
前記取り外すための手段は、前記シーリング部材のエッジに配置されるプル‐タブを包含するものとする、特許請求の範囲第７８項に記載のパッケージング・デバイス。
【請求項８０】
前記受け入れならびに保持を行うための手段は、前記内側表面上にマウントされ、そこから延びている、前記中心アパーチャへの挿入ならびにそれとの係合に適合された環状ポストを包含し、前記中心開口は、前記環状ポスト内に配置されてストローがそれを貫通することを可能にするものとする、特許請求の範囲第７０項に記載のパッケージング・デバイス。
【請求項８１】
前記保護エレメントは、さらに、前記保護エレメントの中心を通る第２の開口を含み、前記第２の開口は、前記第１の開口と直接隣接して配置されるものとする、特許請求の範囲第８０項に記載のパッケージング・デバイス。
【請求項８２】
前記カップ‐タイプの飲料容器は、前記開口の周縁を画定するリムを含み、それにおいて前記リッドは、さらにスカート部材を含み、前記スカート部材は、前記リムと前記スカート部材の間の圧縮嵌めによって前記リムを係合し保持するべく適合されているものとする、特許請求の範囲第７０項に記載のパッケージング・デバイス。
【請求項８３】
貫通する中心アパーチャを有する少なくとも１つのディスク形状のアイテムを、開口を有するカップ‐タイプの飲料容器とともにパッケージングするための引き延ばされたパッケージング・デバイスであって：
前記飲料容器に対して解放可能にかぶせられるべく適合されたリッドであり：
内側表面；
前記内側表面上にマウントされる前記ディスク形状のアイテムの明確な受け入れならびに保持を行うための手段；を備えるリッド；
前記ディスク形状のアイテムの水平ならびに垂直方向における動きを制限しつつ、その一方で前記ディスク形状のアイテムの回転を許容するための手段を含む、前記ディスク形状のアイテムの支持ならびに保護を行うための手段；
平坦なエンドを有し、前記ディスク形状のメディアの前記アパーチャ内への挿入に適合された円筒状の突起；
前記ディスク形状のメディアの直径より大きい直径を有し、前記リッドの周縁を取り巻いて広がる隆起した環状の棚であり、前記円筒状の突起の前記平坦なエンドと同一平面上にある隆起した環状の棚；
前記リッド内の水密なチャンバ内に前記ディスク形状のアイテムをシールするための、前記棚および前記平坦なエンドにシールされる防水シーリング部材；および、
前記リッドを前記飲料容器にかぶせたまま、前記水密チャンバの完全性を損なうことなく、前記リッドにストローを通すための手段であり、前記円筒状の突起を通る第１の開口、および前記シーリング部材を通る第２の開口を包含し、前記第１の開口および前記第２の開口は、互いに直接隣接しているものとする、ストローを通すための手段；
を備えるパッケージング・デバイス。
【請求項８４】
前記カップ‐タイプの飲料容器は、前記開口の周縁を画定するリムを含み、それにおいて前記リッドは、さらに、前記リムとの係合に適合されたスカート部材を含んでいるものとする、特許請求の範囲第８３項に記載のパッケージング・デバイス。
【請求項８５】
前記カップ‐タイプの飲料容器は、前記開口の周縁を画定するリムを含み、それにおいて前記リッドは、さらに、前記リムと前記スカート部材の間の圧縮嵌めによって前記リムと係合するべく適合されたスカート部材を含むものとする、特許請求の範囲第８４項に記載のパッケージング・デバイス。
【請求項８６】
ディスク形状のアイテムおよび飲料を、閉じられたデバイス内にパッケージングするための方法であって：
開口を有するタイプのカップ‐タイプの飲料容器内に飲料を用意するステップ；
内側表面、少なくとも１つの内側チャンバ、および前記内側表面上にマウントされ、前記内側チャンバ内における前記ディスク形状のアイテムの受け入れならびに保持のための手段を有するリッドであり、前記カップ‐タイプの飲料容器への取り外し可能な取り付けに適合されているリッドを用意するステップ；
前記ディスク形状のアイテムを前記内側チャンバ内に挿入し、前記受け入れならびに保持のための手段によって、そこに明確に保持するステップ；
シーリング部材を用意するステップ；
前記シーリング部材を前記リッドの前記内側表面に添えることによって前記内側チャンバをシールするステップ；および、
前記リッドを前記カップ‐タイプの飲料容器にかぶせ、それによって前記開口を閉じるステップ；
を含む方法。
【請求項８７】
少なくとも１つのディスク形状のアイテムを、ストローの受け入れならびに保持に適合された中心開口を含む取り外し可能なカバーを有する容器内の飲料もしくはそのほかの液体清涼剤とともにパッケージングするための引き延ばされたパッケージング・デバイスであって：
第１の環状チャンバ、および前記第１の環状チャンバ内にマウントされて前記第１の環状チャンバ内において前記ディスク形状のアイテムの明確な受け入れならびに支持を行う支持手段を有するウェファであり、その周縁を取り巻いて広がる隆起した環状リムを有するウェファ；および、
前記ウェファ内に比較的水密の環状チャンバを作るべく、前記支持手段ならびに前記隆起した環状リムとのシール係合に適合された保護エレメント；を備え、
前記ウェファは、さらに、前記カバーの開口に係合し、前記カバーに対して前記ウェファを明確に確保するための取り付け手段を備えるものとするパッケージング・デバイス。
【請求項８８】
前記支持ならびに保護を行うための手段は、前記ディスク形状のアイテムの回転を許容しつつ、水平ならびに垂直方向における前記ディスク形状のアイテムの動きを制限する手段を含むものとする、特許請求の範囲第８７項に記載のパッケージング・デバイス。
【請求項８９】
前記支持手段は、前記中心開口に対応する通路を含む円筒構造を含んでおり、それにおいて前記通路ならびに前記中心開口は、前記ストローの通過を可能にするべく整列されているものとする、特許請求の範囲第８７項に記載のパッケージング・デバイス。
【請求項９０】
前記支持ならびに保護を行うための手段は、さらに、隆起した環状のショルダを含むものとする、特許請求の範囲第８７項に記載のパッケージング・デバイス。
【請求項９１】
前記シール係合するためのシール手段は、熱シールを含むものとする、特許請求の範囲第８７項に記載のパッケージング・デバイス。
【請求項９２】
前記保護エレメントは、前記中心開口に対応するその中心に配置された貫通手段を含んでおり、それにおいて前記貫通手段、前記通路、および前記開口は、前記ストローの通過を可能にするべく整列されているものとする、特許請求の範囲第８７項に記載のパッケージング・デバイス。
【請求項９３】
前記貫通手段は、十字形状の切り込みを構成するものとする、特許請求の範囲第９２項に記載のパッケージング・デバイス。
【請求項９４】
前記支持手段および前記隆起したリムの高さは、前記ディスク形状のメディアの厚さより大きいものとする、特許請求の範囲第８７項に記載のパッケージング・デバイス。
【請求項９５】
前記支持手段および前記隆起したリムの高さは、実質的に同じであり、前記支持手段および前記隆起したリムのピークが実質的に同一平面上となるものとする、特許請求の範囲第９４項に記載のパッケージング・デバイス。
【請求項９６】
少なくとも１つのディスク形状のアイテムを、ストローの受け入れならびに保持に適合された中心開口を含む取り外し可能なカバーを有する容器内の飲料もしくはそのほかの液体清涼剤とともにパッケージングするための引き延ばされたパッケージング・デバイスであって：
第１の環状チャンバを有するウェファであり、前記第１の環状チャンバ内において前記ディスク形状のアイテムの明確な受け入れならび保持を行う前記第１の環状チャンバ内にマウントされる支持手段、および前記ウェファの周縁を取り巻いて広がる隆起した環状リムを含んでおり、それにおいて前記支持手段は、前記ディスク形状のアイテムの回転を許容しつつ、水平ならびに垂直方向における前記ディスク形状のアイテムの動きを制限するべく適合された、前記中心開口に対応する通路を有する円筒構造を構成するものとするウェファ；
前記ウェファ内に比較的水密の環状チャンバを作るべく、前記支持手段ならびに前記隆起した環状リムとのシール係合に適合された保護エレメントであり、さらに前記中心開口に対応するその中心に配置された貫通手段を含んでおり、前記貫通手段、前記通路、および前記開口が、前記ストローの通過を可能にするべく整列され得るものとする保護エレメント；
を備えるパッケージング・デバイス。
【請求項９７】
前記ウェファは、さらに、前記カバーの開口に係合し、前記カバーに対して前記ウェファを明確に確保するための取り付け手段を備えるものとする、特許請求の範囲第９６項に記載のパッケージング・デバイス。
【請求項９８】
ディスク形状のアイテムを、ストローの受け入れならびに保持に適合された中心開口を含む取り外し可能なカバーを有する容器内の飲料とともにパッケージングするための方法であって：
第１の環状チャンバを有するウェファであり、前記第１の環状チャンバ内において前記ディスク形状のアイテムの明確な受け入れならび保持を行う前記第１の環状チャンバ内にマウントされる支持手段、および前記ウェファの周縁を取り巻いて広がる隆起した環状リムを含むウェファを用意するステップ；
前記ウェファ内に比較的水密の環状チャンバを作るべく、前記支持手段ならびに前記隆起した環状リムとのシール係合に適合された保護エレメントを用意するステップ；
前記環状チャンバ内に前記ディスク形状のアイテムを挿入し、その中において明確に保持させるステップ；
前記保護エレメントを用いて前記チャンバをシールするステップ；
飲料用の飲料容器を用意するステップ；
前記飲料容器に飲料を充填するステップ；
前記カバーを前記飲料容器にかぶせるステップ；および、
前記ウェファを前記カバーにかぶせるステップ；
を含む方法。
【請求項９９】
ディスク形状のアイテムを、ストローの受け入れならびに保持に適合された中心開口を含む取り外し可能なカバーを有する容器内の飲料とともにパッケージングするための方法であって：
第１の環状チャンバを有するウェファであり、前記第１の環状チャンバ内において前記ディスク形状のアイテムの明確な受け入れならび保持を行う前記第１の環状チャンバ内にマウントされる支持手段、および前記ウェファの周縁を取り巻いて広がる隆起した環状リムを含んでおり、さらに前記カバーの開口に係合し、前記カバーに対して前記ウェファを明確に確保するための取り付け手段を備えるウェファを用意するステップ；
前記ウェファ内に比較的水密の環状チャンバを作るべく、前記支持手段ならびに前記隆起した環状リムとのシール係合に適合された保護エレメントを用意するステップ；
前記環状チャンバ内に前記ディスク形状のアイテムを挿入し、その中において明確に保持させるステップ；
前記保護エレメントを用いて前記チャンバをシールするステップ；
飲料用の飲料容器を用意するステップ；
前記飲料容器に飲料を充填するステップ；
前記カバーを前記飲料容器にかぶせるステップ；および、
前記取り付け手段と前記カバー内の前記中心開口を係合させることによって、前記ウェファを前記カバーにかぶせるステップ；
を含む方法。
【請求項１００】
少なくとも１つのディスク形状の記録メディアのパッケージングを行うための引き延ばされたパッケージング・デバイスであって：
前記ディスク形状の記録メディア以外の少なくとも１つのアイテムを保管するための手段を含む第１の部材；
チャンバおよび前記チャンバへのアクセスを提供するための開口を有し、前記第１の部材が、前記開口を通り、前記チャンバ内に取り外し可能に挿入されるべく適合されているものとする第２の部材；
前記開口に関して前記第２の部材に取り外し可能に取り付けられ、前記開口をカバーし、前記チャンバを閉じるよう適合されたリッド；および、
前記記録メディアの平面内もしくは前記記録メディアの平面に垂直となる前記記録メディアの直線運動に抗しつつ、同時に前記記録メディアの平面に垂直な軸まわりの前記記録メディアの回転を許容する、前記チャンバ内において前記記録メディアの支持ならびに保護を行うための手段；
を備えるパッケージング・デバイス。
【請求項１０１】
前記第１の部材は、上側部分および下側部分を含み、それにおいて前記上側部分は、細長い柱を備え、前記下側部分は、前記ディスク形状のメディア以外の前記少なくとも１つのアイテムの受け入れおよび保持に適合されたバスケット状の部材を包含するものとする、特許請求の範囲第１００項に記載のパッケージング・デバイス。
【請求項１０２】
前記記録メディアの支持ならびに保護を行うための前記手段は、前記第１の部材の前記上側部分にマウントされるものとする、特許請求の範囲第１０１項に記載のパッケージング・デバイス。
【請求項１０３】
前記記録メディアは、環状の中心アパーチャを含み、それにおいて前記支持ならびに保護を行うための手段は、前記環状の中心アパーチャ内への挿入ならびに係合に適合された、前記上側部分にマウントされ、かつそれから延びる少なくとも１つの直立した表面突起を包含しているものとする、特許請求の範囲第１０２項に記載のパッケージング・デバイス。
【請求項１０４】
前記少なくとも１つの直立した表面突起は、さらに、前記突起上における前記ディスク形状のメディアの保持に適合された少なくとも１つの突出部を含み、それにおいて前記表面突起および前記突出部は可撓性を有し、前記記録メディアの挿入ならびに係合を可能にするものとする、特許請求の範囲第１０３項に記載のパッケージング・デバイス。
【請求項１０５】
前記上側部分は、さらに、前記第１の部材を把持して、それを前記第２の部材の前記チャンバから取り出し、あるいはそこへ戻す手段を含んでいるものとする、特許請求の範囲第１０３項に記載のパッケージング・デバイス。
【請求項１０６】
前記支持ならびに保護を行うための手段は、３つの直立した表面突起を包含し、それにおいて前記表面突起は可撓性を有し、前記記録メディアの挿入ならびに係合を可能にするものとする、特許請求の範囲第１０３項に記載のパッケージング・デバイス。
【請求項１０７】
前記下側部分は、さらに複数のレセプタクルを含み、前記レセプタクルは、種々にサイズ設定されたアイテムの受け入れならびに保持に適合されているものとする、特許請求の範囲第１０１項に記載のパッケージング・デバイス。
【請求項１０８】
前記下側部分は、さらに垂直の保持壁を含んでいるものとする、特許請求の範囲第１０１項に記載のパッケージング・デバイス。
【請求項１０９】
前記リッドは、輸送プラグを包含しているものとする、特許請求の範囲第１０８項に記載のパッケージング・デバイス。
【請求項１１０】
前記第２の部材は、取り外し可能な側壁を含んでいるものとする、特許請求の範囲第１０８項に記載のパッケージング・デバイス。
【請求項１１１】
前記第２の部材は、前記開口を画定するリムを含んでおり、それにおいて前記保持壁は、さらに、前記第２の部材の前記チャンバ内への前記第１の部材の挿入が許容される距離を制限するべく、前記リムとの係合に適合されたリップを含んでいるものとする、特許請求の範囲第１０８項に記載のパッケージング・デバイス。
【請求項１１２】
前記第２の部材は、内側表面ならびに外側表面を含んでおり、前記リップは、前記第１の部材が前記第２の部材の前記チャンバ内に挿入されたとき、前記リップおよび前記外側表面が面一の表面を呈するように、前記外側表面まで広がるものとする、特許請求の範囲第１１１項に記載のパッケージング・デバイス。
【請求項１１３】
前記記録メディアの支持ならびに保護を行うための前記手段は、前記リッド上にマウントされており、それにおいて前記記録メディアの支持ならびに保護を行うための前記手段および前記記録メディアは、前記リッドが前記第１の部材に取り付けられているとき、いずれも前記第２の部材の前記チャンバ内に達するものとする、特許請求の範囲第１００項に記載のパッケージング・デバイス。
【請求項１１４】
前記リッドは、さらに、内側表面および外側表面を含み、前記記録メディアは、環状の中心アパーチャを含み、それにおいて前記支持ならびに保護を行うための手段は、前記環状の中心アパーチャ内に挿入され、かつ係合されるべく適合された、前記リッドの前記内側表面にマウントされ、かつそれから延びる少なくとも１つの直立した表面突起を包含しているものとする、特許請求の範囲第１１３項に記載のパッケージング・デバイス。
【請求項１１５】
前記第１の部材は、上側部分および下側部分を含み、それにおいて前記上側部分は、細長い柱を備え、前記下側部分は、前記ディスク形状のメディア以外の前記少なくとも１つのアイテムの受け入れおよび保持に適合されたバスケット状の部材を包含するものとする、特許請求の範囲第１１４項に記載のパッケージング・デバイス。
【請求項１１６】
前記上側部分は、さらに、前記第１の部材を把持して、それを前記第２の部材の前記チャンバから取り出し、あるいはそこへ戻す手段を含んでいるものとする、特許請求の範囲第１１５項に記載のパッケージング・デバイス。
【請求項１１７】
前記下側部分は、さらに複数のレセプタクルを含み、前記レセプタクルは、種々にサイズ設定されたアイテムの受け入れならびに保持に適合されているものとする、特許請求の範囲第１１６項に記載のパッケージング・デバイス。
【請求項１１８】
前記下側部分は、さらに垂直の保持壁を含んでいるものとする、特許請求の範囲第１１７項に記載のパッケージング・デバイス。
【請求項１１９】
前記リッドは、輸送プラグを包含しているものとする、特許請求の範囲第１１８項に記載のパッケージング・デバイス。
【請求項１２０】
前記第２の部材は、取り外し可能な側壁を含んでいるものとする、特許請求の範囲第１１９項に記載のパッケージング・デバイス。
【請求項１２１】
前記第２の部材は、前記開口を画定するリムを含んでおり、それにおいて前記保持壁は、さらに、前記第２の部材の前記チャンバ内への前記第１の部材の挿入が許容される距離を制限するべく、前記リムとの係合に適合されたリップを含んでいるものとする、特許請求の範囲第１２０項に記載のパッケージング・デバイス。
【請求項１２２】
前記第２の部材は、内側表面ならびに外側表面を含んでおり、前記リップは、前記第１の部材が前記第２の部材の前記チャンバ内に挿入されたとき、前記リップおよび前記外側表面が面一の表面を呈するように、前記外側表面まで広がるものとする、特許請求の範囲第１２１項に記載のパッケージング・デバイス。
【請求項１２３】
前記リッドは、下側に延びるリッド・フランジを含み、前記第２の部材は、前記開口を画定する第１のリムを包含しており、それにおいて前記リッドは、前記リッド・フランジと前記第１のリムの間における圧縮嵌めによって、前記第１の部材に対して取り外し可能に取り付けられるものとする、特許請求の範囲第１００項に記載のパッケージング・デバイス。
【請求項１２４】
前記第１の部材および前記第２の部材は、円筒状の形状であり、それにおいて前記第１の部材の外径は、前記第２の部材の前記チャンバの前記第２の開口の内径よりわずかに小さく、前記第１の部材は、前記第２の部材の前記チャンバ内への取り外し可能な挿入ならびに前記チャンバ内における保持に適合されているものとする、特許請求の範囲第１００項に記載のパッケージング・デバイス。
【請求項１２５】
閉じたパッケージング・デバイス内にディスク形状のメディアおよび前記ディスク形状のメディア以外の有形物をパッケージングするための方法であって：
前記ディスク形状の記録メディア以外の少なくとも１つのアイテムを保管するための手段を含む第１の部材を用意するステップであり、それにおいて前記第１の部材は、上側部分および下側部分を含むものとするステップ；
チャンバおよび前記チャンバへのアクセスを提供するための開口を有する第２の部材を用意するステップであり、それにおいて前記第１の部材は、前記開口を通り、前記第２の部材の前記チャンバ内へ取り外し可能に挿入されるべく適合されているものとするステップ；
前記開口に関して前記第２の部材に取り外し可能に取り付けられ、前記開口をカバーし、前記チャンバを閉じるよう適合されたリッドを用意するステップ；
前記記録メディアの平面内もしくは前記記録メディアの平面に垂直となる前記記録メディアの直線運動に抗しつつ、同時に前記記録メディアの平面に垂直な軸まわりの前記記録メディアの回転を許容する、前記第１の部材の前記上側部分上において前記記録メディアの支持ならびに保護を行うための手段を用意するステップ；
前記第１の部材上の前記支持ならびに保護を行うための手段に対して、前記ディスク形状のメディアを取り外し可能に取り付けるステップ；
前記ディスク形状の記録メディア以外の前記有形物を前記第１の部材内に挿入するステップ；
前記第１の部材を前記第２の部材内に取り外し可能にスライドさせるステップ；および、
前記リッドを前記第２の部材に対して取り外し可能に取り付けるステップ；
を含む方法。
【請求項１２６】
閉じたパッケージング・デバイス内にディスク形状のメディアおよび前記ディスク形状のメディア以外の有形物をパッケージングするための方法であって：
前記ディスク形状の記録メディア以外の少なくとも１つのアイテムを保管するための手段を含む第１の部材を用意するステップ；
チャンバおよび前記チャンバへのアクセスを提供するための開口を有する第２の部材を用意するステップであり、それにおいて前記第１の部材は、前記開口を通り、前記第２の部材の前記チャンバ内へ取り外し可能に挿入されるべく適合されているものとするステップ；
前記開口に関して前記第２の部材に取り外し可能に取り付けられ、前記開口をカバーし、前記チャンバを閉じるよう適合されたリッドを用意するステップ；
前記記録メディアの平面内もしくは前記記録メディアの平面に垂直となる前記記録メディアの直線運動に抗しつつ、同時に前記記録メディアの平面に垂直な軸まわりの前記記録メディアの回転を許容する、前記リッド内において前記記録メディアの支持ならびに保護を行うための手段を用意するステップ；
前記リッド内の前記支持ならびに保護を行うための手段に対して、前記ディスク形状のメディアを取り外し可能に取り付けるステップ；
前記ディスク形状の記録メディア以外の前記有形物を前記第１の部材内に挿入するステップ；
前記第１の部材を前記第２の部材内に取り外し可能にスライドさせるステップ；および、
前記リッドを前記第２の部材に対して取り外し可能に取り付けるステップ；
を含む方法。
【請求項１２７】
閉じたパッケージング・デバイス内にディスク形状のメディアおよび前記ディスク形状のメディア以外の有形物をパッケージングするための方法であって：
前記ディスク形状の記録メディア以外の少なくとも１つのアイテムを保管するための手段を含む第１の部材を用意するステップであり、それにおいて前記第１の部材は、上側部分および下側部分を含むものとするステップ；
チャンバおよび前記チャンバへのアクセスを提供するための開口を有する第２の部材を用意するステップであり、それにおいて前記第１の部材は、前記開口を通り、前記第２の部材の前記チャンバ内に取り外し可能に挿入されるべく適合されているものとするステップ；
前記開口に関して前記第２の部材に取り外し可能に取り付けられ、それにより前記開口をカバーし、前記チャンバを閉じるべく適合された輸送プラグを用意するステップ；
前記記録メディアの平面内もしくは前記記録メディアの平面に垂直となる前記記録メディアの直線運動に抗しつつ、同時に前記記録メディアの平面に垂直な軸まわりの前記記録メディアの回転を許容する、前記輸送プラグ内において前記記録メディアの支持ならびに保護を行うための手段を用意するステップ；
前記輸送プラグ内の前記支持ならびに保護を行うための手段に対して、前記ディスク形状のメディアを取り外し可能に取り付けるステップ；
前記ディスク形状の記録メディア以外の前記有形物を前記第１の部材内に挿入するステップ；
前記第１の部材を前記第２の部材内に取り外し可能にスライドさせるステップ；および、
前記輸送プラグを前記第２の部材に対して取り外し可能に取り付けるステップ；
を含む方法。
【請求項１２８】
貫通する中心アパーチャを有する少なくとも１つのディスク形状のメディアを中に受け入れるための開口を有するキャビティを含み、前記キャビティ内において前記ディスク形状のメディアを、動きに抗して保持するための手段を包含する容器；
前記キャビティをシールするための手段；および、
前記容器を、前記ディスク形状のメディア以外の有形物を保管するための保管デバイスに取り付けるための手段；
を備えるパッケージング・デバイス。
【請求項１２９】
前記容器は、外側表面ならびに内側表面を含み、さらに前記内側表面から延びる支持構造を含むものとし、それにおいて前記構造は、前記ディスク形状のメディアを支持し、明確に受け入れ、かつ保持するべく前記アパーチャ内への挿入に適合されているものとする、特許請求の範囲第１２８項に記載のデバイス。
【請求項１３０】
前記シールするための手段は、実質的に硬質のシーリング部材であるとする、特許請求の範囲第１２９項に記載のデバイス。
【請求項１３１】
前記シーリング部材は、前記支持構造に対応する開口を含み、前記支持構造は、そのエンドに配置される少なくとも１つの可撓性のある突起を含んでおり、それにおいて前記可撓性のある突起は、前記シーリング部材の受け入れならびに保持に適合されているものとする、特許請求の範囲第１３０項に記載のデバイス。
【請求項１３２】
前記可撓性のある突起は、環状リングであるとする、特許請求の範囲第１３１項に記載のデバイス。
【請求項１３３】
前記可撓性のある突起は、少なくとも１つのタブであるとする、特許請求の範囲第１３１項に記載のデバイス。
【請求項１３４】
前記容器は、さらに、前記開口に隣接して位置し、前記キャビティを画定する内壁を含んでおり、それにおいて前記内壁は、その長さにわたって走るくぼみトラックを含み、前記トラックもまた、前記シーリング部材の受け入れに適合されているものとする、特許請求の範囲第１３１項に記載のデバイス。
【請求項１３５】
前記容器は、前記開口の周囲に配置される少なくとも１つの可撓性のある突出部を含み、それにおいて前記可撓性のある突出部は、前記シーリング部材の受け入れならびに保持に適合されているものとする、特許請求の範囲第１３０項に記載のデバイス。
【請求項１３６】
前記可撓性のある突起は、環状リングであるとする、特許請求の範囲第１３５項に記載のデバイス。
【請求項１３７】
前記可撓性のある突起は、少なくとも１つのタブであるとする、特許請求の範囲第１３５項に記載のデバイス。
【請求項１３８】
前記シーリング部材は、前記支持構造に対応する開口を含み、前記容器は、前記開口の周囲に配置される少なくとも１つの可撓性のある突出部を含み、前記支持構造は、そのエンドに配置される少なくとも１つの可撓性のある突起を含んでおり、それにおいて前記可撓性のある突起ならびに可撓性のある突出部は、前記シーリング部材の受け入れならびに保持に適合されているものとする、特許請求の範囲第１３０項に記載のデバイス。
【請求項１３９】
前記突起および前記突出部は、いずれも環状リングであるとする、特許請求の範囲第１３８項に記載のデバイス。
【請求項１４０】
前記突起および前記突出部のそれぞれは、少なくとも１つのタブであるとする、特許請求の範囲第１３８項に記載のデバイス。
【請求項１４１】
前記シールするための手段は、可撓性のあるシーリング部材であるとする、特許請求の範囲第１２９項に記載のデバイス。
【請求項１４２】
前記容器は、前記開口の周囲に少なくとも１つの突出部を含んでおり、前記シーリング部材は、熱シーリングによって前記突出部に対して取り外し可能に取り付けられるものとする、特許請求の範囲第１４１項に記載のデバイス。
【請求項１４３】
前記少なくとも１つの突出部は、環状リングであるとする、特許請求の範囲第１４２項に記載のデバイス。
【請求項１４４】
前記少なくとも１つの突出部は、少なくとも１つのタブであるとする、特許請求の範囲第１４２項に記載のデバイス。
【請求項１４５】
前記容器は、前記開口の周囲に少なくとも１つの突出部を含んでおり、前記シーリング部材は、接着剤によって前記リムに対して取り外し可能に取り付けられるものとする、特許請求の範囲第１４１項に記載のデバイス。
【請求項１４６】
前記少なくとも１つの突出部は、環状リングであるとする、特許請求の範囲第１４５項に記載のデバイス。
【請求項１４７】
前記少なくとも１つの突出部は、少なくとも１つのタブであるとする、特許請求の範囲第１４５項に記載のデバイス。
【請求項１４８】
前記支持構造は、実質的な平面のエンドを含んでおり、それにおいて前記シーリング部材は、前記少なくとも１つの突出部および前記エンドに対して、熱シーリングによって取り外し可能に取り付けられるものとする、特許請求の範囲第１４１項に記載のデバイス。
【請求項１４９】
前記支持構造は、実質的な平面のエンドを含んでおり、それにおいて前記シーリング部材は、前記少なくとも１つの突出部および前記エンドに対して、接着剤によって取り外し可能に取り付けられるものとする、特許請求の範囲第１４１項に記載のデバイス。
【請求項１５０】
前記支持構造は、実質的に平坦なエンドを含んでおり、前記シーリング部材は、前記エンドに対して、熱シーリングによって取り外し可能に取り付けられるものとする、特許請求の範囲第１４１項に記載のデバイス。
【請求項１５１】
前記支持構造は、実質的に平坦なエンドを含んでおり、前記シーリング部材は、前記エンドに対して、接着剤によって取り外し可能に取り付けられるものとする、特許請求の範囲第１４１項に記載のデバイス。
【請求項１５２】
第１の相補部材および第２の相補部材を包含する容器であって、前記第１の相補部材は、貫通するアパーチャを有する少なくとも１つのディスク形状のメディアを受け入れるための開口を有するキャビティを含み、前記第１および第２の相補部材は、互いの嵌め込みに適合されており、その結果、前記第２の相補部材が前記第１の相補部材内に嵌め込まれたとき、前記キャビティをシールするものとする容器；および、
前記容器を、前記ディスク形状のメディア以外の有形物の保管のための保管デバイスに取り付けるための手段；
を備えるパッケージング・デバイス。
【請求項１５３】
前記第１の相補部材および前記第２の相補部材は、対応するインターロック手段を含んでいるものとする、特許請求の範囲第１３８項に記載のデバイス。
【請求項１５４】
第１の部材および前記第１の部材に対して相補的となる第２の部材を包含する容器であって、前記第１の部材および前記第２の部材は、曲げやすいヒンジによって取り付けられ、その結果、前記第１および第２の部材がともに他方に寄せられて閉じたポジションとなったとき、前記第１の部材および前記第２の部材が協働してシールされたキャビティを作るものとする容器；および、
前記容器を、前記ディスク形状のメディア以外の有形物の保管のための保管デバイスに取り付けるための手段；
を備えるパッケージング・デバイス。
【請求項１５５】
前記相補的な第１および第２の部材は、さらに、前記閉じたポジションにおいて前記部材を保持するためのインターロック閉成手段を含んでいるものとする、特許請求の範囲第１４１項に記載のデバイス。
【請求項１５６】
ディスク形状のメディアを、前記ディスク形状のメディア以外の有形物とともにパッケージングするための、前記有形物は保管デバイス内に保管されるものとする方法であって：
前記少なくとも１つのディスク形状のメディアをパッケージングするためのデバイスを用意するステップであり、前記デバイスは：
貫通するアパーチャを有する少なくとも１つのディスク形状のメディアをその中に受け入れるための開口を有するキャビティを含む容器であって、前記ディスク形状のメディアを安定した状態に維持するための手段、および前記キャビティ内における前記ディスク形状のメディアの動きに抗してそれを保持するための手段を含む容器；
前記キャビティをシールするための手段；
前記ディスク形状のメディア以外の前記有形物を保管するための前記保管デバイスに前記容器を取り付けるための手段；
を包含するものとする、デバイスを用意するステップ；
前記維持するための手段ならびに前記保持するための手段の周囲において、前記容器の前記キャビティ内に前記ディスク形状のメディアを挿入するステップ；
前記キャビティをシールするステップ；および、
前記保管デバイスに対して、前記容器を取り外し可能に取り付けるステップ；
を含む方法。
【請求項１５７】
ディスク形状のメディアを、前記ディスク形状のメディア以外の有形物とともにパッケージングするための、前記有形物は保管デバイス内に保管されるものとする方法であって：
前記少なくとも１つのディスク形状のメディアをパッケージングするためのデバイスを用意するステップであり、前記デバイスは：
第１の相補部材および第２の相補部材であって、前記第１の相補部材は、貫通するアパーチャを有する少なくとも１つのディスク形状のメディアを受け入れるための開口を有するキャビティを含み、それにおいて、前記第１および第２の相補部材は、互いの嵌め込みに適合されており、その結果、前記第２の相補部材が前記第１の相補部材内に嵌め込まれたとき、前記キャビティをシールするものとする相補部材；
前記容器を、前記ディスク形状のメディア以外の有形物の保管のための保管デバイスに取り付けるための手段；
を包含するものとする、デバイスを用意するステップ；
前記ディスク形状のメディアを前記キャビティ内に挿入するステップ；
前記第１の相補部材内に前記第２の相補部材を嵌め込むステップ；および、
前記保管デバイスに対して、前記容器を取り外し可能に取り付けるステップ；
を含む方法。
【請求項１５８】
ディスク形状のメディアを、前記ディスク形状のメディア以外の有形物とともにパッケージングするための、前記有形物は保管デバイス内に保管されるものとする方法であって：
前記少なくとも１つのディスク形状のメディアをパッケージングするためのデバイスを用意するステップであり、前記デバイスは：
第１の部材および前記第１の部材に対して相補的となる第２の部材であって、前記第１の部材および前記第２の部材は、曲げやすいヒンジによって取り付けられ、その結果、前記第１および第２の部材がともに他方に寄せられて閉じたポジションとなったとき、前記第１の部材および前記第２の部材が協働してシールされたキャビティを作るものとする部材；
前記容器を、前記ディスク形状のメディア以外の有形物の保管のための保管デバイスに取り付けるための手段；
を包含するものとする、デバイスを用意するステップ；
前記ディスク形状のメディアを前記キャビティ内に挿入するステップ；
前記第１および第２の部材を、閉じたポジションに寄せるステップ；および、
前記保管デバイスに対して、前記容器を取り外し可能に取り付けるステップ；
を含む方法。
【請求項１５９】
貫通する中心アパーチャを有する少なくとも１つのディスク形状のメディアを中に受け入れるための開口を有するキャビティを含み、前記キャビティ内において前記ディスク形状のメディアを、動きに抗して保持するための手段を包含する容器；および、
前記ディスク形状のメディア以外の有形物を保管するための保管デバイスに対して前記容器を取り外し可能に取り付けるために前記容器上に備えられる手段；を備え、それにおいて前記保管デバイスは隆起を有するタイプであり、前記取り付け手段は前記隆起であるとする、パッケージング・デバイス。
【請求項１６０】
前記隆起は、リップ・リムを包含し、前記容器は、さらに、前記開口の周囲に広がる外側のスカート部材を含んでおり、前記スカート部材は、前記隆起したリップ・リムによって画定されるエリアと実質的に同じサイズならびに形状であり、前記スカート部材は、前記隆起したリップ・リムによって受けられ、前記保管デバイスに前記容器を固定するべく適合されているものとする、特許請求の範囲第１５９項に記載のデバイス。
【請求項１６１】
前記容器は、外側表面ならびに内側表面を含み、さらに前記内側表面から延びる支持構造を含むものとし、それにおいて前記構造は、前記ディスク形状のメディアを支持し、明確に受け入れ、かつ保持するべく前記アパーチャ内への挿入に適合されているものとする、特許請求の範囲第１６０項に記載のデバイス。
【請求項１６２】
前記支持構造は、さらに、前記ディスク形状のメディアとの係合ならびにその保持に適合された少なくとも１つの突起を含んでいるものとする、特許請求の範囲第１６１項に記載のデバイス。
【請求項１６３】
さらにシーリング部材を含み、前記シーリング部材は、その中に前記支持構造に対応する開口を含み、前記支持構造は、そのエンドに配置される少なくとも１つの可撓性のある突起を含み、前記支持構造は、前記ディスク形状のメディアならびに前記シーリング部材の受け入れならびに保持に適合されており、かつ前記可撓性のある突起は、前記支持構造上において、前記シーリング部材に係合し、それを保持するものとする、特許請求の範囲第１６１項に記載のデバイス。
【請求項１６４】
さらに、前記容器を前記保管デバイスに固定するためのセーフティ・シールを含むものとする、特許請求の範囲第１６３項に記載のデバイス。
【請求項１６５】
貫通する中心アパーチャを有する少なくとも１つのディスク形状のメディアを中に受け入れるための開口を有するキャビティを含み、前記キャビティ内において前記ディスク形状のメディアを、動きに抗して保持するための手段を包含する容器；および、
前記ディスク形状のメディア以外の硬質の有形物に対して前記容器を取り外し可能に取り付けるために前記容器上に備えられる手段であって、前記開口の周囲の前記容器上に配置されるスカート部材を包含する手段；を備え、それにおいては、さらに前記スカート部材および前記硬質の有形物の両方に係合することによって前記硬質の有形物に対して前記容器が取り付けられるものとするパッケージング・デバイス。
【請求項１６６】
前記容器は、前記硬質の有形物とスナップ係合する手段を含んでいるものとする、特許請求の範囲第１６５項に記載のデバイス。
【請求項１６７】
前記容器は、前記硬質の有形物とスライド係合する手段を含んでいるものとする、特許請求の範囲第１６５項に記載のデバイス。
【請求項１６８】
前記容器はスリーブを包含し、それが、前記スリーブの取り外しに先行するアクセスに抗して前記硬質の有形物を完全に包み込むものとする、特許請求の範囲第１６５項に記載のデバイス。
【請求項１６９】
ディスク形状のメディアを、前記ディスク形状のメディア以外の有形物とともにパッケージングするための、前記有形物は、隆起したリップ・リムを有するタイプの保管デバイス内に保管されるものとする方法であって：
前記少なくとも１つのディスク形状のメディアをパッケージングするためのデバイスを用意するステップであり、前記デバイスは：
貫通する中心アパーチャを有する少なくとも１つのディスク形状のメディアを中に受け入れるための開口を有するキャビティを含み、前記キャビティ内において前記ディスク形状のメディアを、動きに抗して保持するための手段を包含する容器；および、
前記開口の周囲に配置される前記容器上に備わるスカート部材であって、前記隆起したリップ・リムと係合し、前記保管デバイスに対する前記容器の取り外し可能な取り付けを可能にするスカート部材；
を備えるものとする、デバイスを用意するステップ；
前記保持するための手段の周囲において、前記容器の前記キャビティ内に前記ディスク形状のメディアを挿入するステップ；および、
前記スカート部材を前記隆起したリップ・リムと係合させることによって、前記保管デバイスに対して、前記容器を取り外し可能に取り付けるステップ；
を含む方法。
【請求項１７０】
さらに、前記容器ならびに前記保管デバイスの周囲に、セーフティ・シールを取り付けるステップを含むものとする、特許請求の範囲第１６５項に記載の方法。
【請求項１７１】
少なくとも１つのディスク形状のメディアおよびその他の有形物をパッケージングするためのデバイスであって：
上側表面および下側メディア表面を有する少なくとも１つのディスク形状のメディア；
前記ディスク形状のメディア以外の前記有形物を受け入れ、保持するための容器；
外側および内側の表面を有する第１の部材であり、前記内側表面は、前記少なくとも１つのディスク形状のメディアを中に受け入れるための開口を有するキャビティを画定するものとする部材；
前記ディスク形状のメディアの前記上側表面と、前記第１の部材の内側表面の間に塗布される一時的な接着剤であり、前記第１の部材に対する前記ディスク形状のメディアの取り外し可能な取り付けに適合された取り外し可能な接着剤；および、
前記容器に前記第１の部材を取り付けるための手段；
を備えるデバイス。
【請求項１７２】
さらに、前記キャビティ内に前記ディスク形状のアイテムをシールするための手段を含むものとする、特許請求の範囲第１７１項に記載のデバイス。
【請求項１７３】
前記シールするための手段は、実質的に硬質のシール部材を包含するものとする、特許請求の範囲第１７２項に記載のデバイス。
【請求項１７４】
前記第１の部材は、さらに、前記開口に隣接して位置し、前記キャビティを画定する内壁を含んでおり、それにおいて前記内壁は、その長さにわたって走るくぼみトラックを含み、前記トラックもまた、前記シーリング部材の受け入れに適合されているものとする、特許請求の範囲第１７３項に記載のデバイス。
【請求項１７５】
前記容器は、前記開口の周囲に配置される少なくとも１つの突出部を含み、それにおいて前記突出部は、前記シーリング部材の受け入れならびに保持に適合されているものとする、特許請求の範囲第１７３項に記載のデバイス。
【請求項１７６】
前記可撓性のある突出部は、環状リングであるとする、特許請求の範囲第１７５項に記載のデバイス。
【請求項１７７】
前記可撓性のある突出部は、少なくとも１つのタブであるとする、特許請求の範囲第１７５項に記載のデバイス。
【請求項１７８】
前記シーリングのための手段は、可撓性のあるシーリング部材であるとする、特許請求の範囲第１７２項に記載のデバイス。
【請求項１７９】
前記第１の部材は、前記開口の周囲にリムを含んでおり、前記シーリング部材は、熱シーリングによって前記リムに対して取り外し可能に取り付けられるものとする、特許請求の範囲第１７８項に記載のデバイス。
【請求項１８０】
前記第１の部材は、前記開口の周囲にリムを含んでおり、前記シーリング部材は、接着剤によって前記リムに対して取り外し可能に取り付けられるものとする、特許請求の範囲第１７８項に記載のデバイス。
【請求項１８１】
前記シーリング手段は、前記シーリング手段を取り外すためのプル‐タブを含んでいるものとする、特許請求の範囲第１７２項に記載のデバイス。
【請求項１８２】
前記シーリング手段は、前記シーリング手段を取り外すためのフィンガ・スロットを含んでいるものとする、特許請求の範囲第１７２項に記載のデバイス。
【請求項１８３】
少なくとも１つのディスク形状のメディアおよびその他の有形物をパッケージングするためのデバイスであって：
上側表面および下側メディア表面を有する少なくとも１つのディスク形状のメディア；
前記ディスク形状のメディア以外の前記有形物を受け入れ、保持するための容器；
外側および内側の表面を有する第１の部材であり、前記内側表面は、前記少なくとも１つのディスク形状のメディアを中に受け入れるための開口を有するキャビティを画定するものとする部材；
前記キャビティ内に前記ディスク形状のアイテムをシールするための手段；
前記容器に対して前記シール手段を取り付けるための手段；
を備えるデバイス。
【請求項１８４】
前記シールするための手段は、実質的に硬質のシール部材を包含するものとする、特許請求の範囲第１８３項に記載のデバイス。
【請求項１８５】
前記第１の部材は、さらに、前記開口に隣接して位置し、前記キャビティを画定する内壁を含んでおり、それにおいて前記内壁は、その長さにわたって走るくぼみトラックを含み、前記トラックもまた、前記シーリング部材の受け入れに適合されているものとする、特許請求の範囲第１８４項に記載のデバイス。
【請求項１８６】
前記容器は、前記開口の周囲に配置される少なくとも１つの突出部を含み、それにおいて前記突出部は、前記シーリング部材の受け入れならびに保持に適合されているものとする、特許請求の範囲第１８５項に記載のデバイス。
【請求項１８７】
前記可撓性のある突出部は、環状リングであるとする、特許請求の範囲第１８６項に記載のデバイス。
【請求項１８８】
前記可撓性のある突出部は、少なくとも１つのタブであるとする、特許請求の範囲第１８６項に記載のデバイス。
【請求項１８９】
前記シールするための手段は、可撓性のあるシーリング部材であるとする、特許請求の範囲第１７１項に記載のデバイス。
【請求項１９０】
前記第１の部材は、前記開口の周囲にリムを含んでおり、前記シーリング部材は、熱シーリングによって前記リムに対して取り外し可能に取り付けられるものとする、特許請求の範囲第１８９項に記載のデバイス。
【請求項１９１】
前記第１の部材は、前記開口の周囲にリムを含んでおり、前記シーリング部材は、接着剤によって前記リムに対して取り外し可能に取り付けられるものとする、特許請求の範囲第１８９項に記載のデバイス。
【請求項１９２】
前記シーリング手段は、前記シーリング手段を取り外すためのプル‐タブを含んでいるものとする、特許請求の範囲第１８３項に記載のデバイス。
【請求項１９３】
前記シーリング手段は、前記シーリング手段を取り外すためのフィンガ・スロットを含んでいるものとする、特許請求の範囲第１８３項に記載のデバイス。
【請求項１９４】
少なくとも１つのディスク形状のメディアおよびその他の有形物をパッケージングするためのデバイスであって：
上側表面ならびに下側メディア表面、およびそれを貫通する中心アパーチャを有する少なくとも１つのディスク形状のメディア；
前記ディスク形状のメディア以外の前記有形物を受け入れ、保持するための容器；
外側および内側の表面を有する第１の部材であり、前記内側表面は、前記少なくとも１つのディスク形状のメディアを中に受け入れるための開口を有するキャビティを画定するものとし、さらに前記内側表面から延びる支持構造を含み、前記支持構造は、前記ディスク形状のメディアを支持し、明確に受け入れ、かつ保持するべく前記アパーチャへの挿入に適合されているものとする第１の部材；
貫通するホールを有するシーリング部材であり、前記ホールは、直径が前記支持構造よりわずかに小さく、前記シーリング部材と前記支持構造の間の摩擦接触によって前記ホールの周囲における前記支持構造への固定に適合されたシーリング部材；および、
前記容器に対して前記第１の部材を取り付けるための手段；
を備えるデバイス。
【請求項１９５】
前記シーリング部材は、さらに前記ホールの周囲に複数の小さい切り込みを含んでおり、前記切り込みは、前記シーリング部材と前記支持構造の間の前記摩擦接触を増加することに適合された複数の可撓性のあるタブを画定するものとする、特許請求の範囲第１９４項に記載のデバイス。
【請求項１９６】
前記シーリング部材は、さらに前記第１の部材から前記シーリング部材の取り外しを可能にするプル‐タブを含んでいるものとする、特許請求の範囲第１９５項に記載のデバイス。
【請求項１９７】
前記シーリング部材は、さらに前記第１の部材から前記シーリング部材の取り外しを可能にするフィンガ・スロットを含んでいるものとする、特許請求の範囲第１９５項に記載のデバイス。
【請求項１９８】
ディスク形状のメディアを前記ディスク形状のメディア以外の有形物とともにパッケージングするための方法であって：
上側表面および下側メディア表面を有する少なくとも１つのディスク形状のメディアを用意するステップ；
前記ディスク形状のメディア以外の前記有形物を受け入れ、保持するための容器を用意するステップ；
前記少なくとも１つのディスク形状のメディアおよびその他の有形物をパッケージングするためのデバイスを用意するステップであって、前記デバイスは、外側および内側の表面を有する第１の部材を包含し、前記内側表面は、前記少なくとも１つのディスク形状のメディアを中に受け入れるための開口を有するキャビティを画定し、前記第１の部材は、前記容器に対する取り付けのための手段を含むものとするステップ；
前記ディスク形状のメディアの前記上側表面と、前記第１の部材の前記内側表面の間に一時的な接着剤を塗布することによって、前記キャビティ内に前記ディスク形状のメディアを取り外し可能に取り付けるステップ；および、
前記容器に対して前記第１の部材を取り外し可能に取り付けるステップ；
を含む方法。
【請求項１９９】
さらに、前記ディスク形状のメディアを前記第１の部材内にシールするステップを含むものとする、特許請求の範囲第１９８項に記載の方法。
【請求項２００】
ディスク形状のメディアを前記ディスク形状のメディア以外の有形物とともにパッケージングするための方法であって：
上側表面および下側メディア表面を有する少なくとも１つのディスク形状のメディアを用意するステップ；
前記ディスク形状のメディア以外の前記有形物を受け入れ、保持するための容器を用意するステップ；
前記少なくとも１つのディスク形状のメディアおよびその他の有形物をパッケージングするためのデバイスを用意するステップであって、前記デバイスは、外側および内側の表面を有する第１の部材を包含し、前記内側表面は、前記少なくとも１つのディスク形状のメディアを中に受け入れるための開口を有するキャビティを画定し、前記第１の部材は、前記容器に対する取り付けのための手段を含むものとするステップ；
前記ディスク形状のメディアを前記キャビティ内に挿入するステップ；
前記ディスク形状のメディアを前記キャビティ内にシールするステップ；および、
前記容器に対して前記第１の部材を取り外し可能に取り付けるステップ；
を含む方法。
【請求項２０１】
ディスク形状のメディアを前記ディスク形状のメディア以外の有形物とともにパッケージングするための方法であって：
上側表面および下側メディア表面を有する少なくとも１つのディスク形状のメディアを用意するステップ；
前記ディスク形状のメディア以外の前記有形物を受け入れ、保持するための容器を用意するステップ；
前記少なくとも１つのディスク形状のメディアおよびその他の有形物をパッケージングするためのデバイスを用意するステップであって、前記デバイスは：
外側および内側の表面を有する第１の部材を包含し、前記内側表面は、前記少なくとも１つのディスク形状のメディアを中に受け入れるための開口を有するキャビティを画定し、前記第１の部材は、さらに前記内側表面から延びる支持構造を含み、前記構造は、前記ディスク形状のメディアを支持し、明確に受け入れ、かつ保持するべく前記アパーチャへの挿入に適合されているものとし；かつ、
貫通するホールを有するシーリング部材を備え、前記ホールは、直径が前記支持構造よりわずかに小さく、前記シーリング部材は、前記シーリング部材と前記支持構造の間の摩擦接触によって前記ホールの周囲における前記支持構造への固定に適合されているものとする、デバイスを用意するステップ；
前記支持構造上に前記ディスク形状のメディアを取り外し可能にマウントするステップ；
前記支持構造上に前記シーリング部材を摩擦取り付けするステップ；および、
前記保管デバイスに対して前記容器を取り外し可能に取り付けるステップ；
を含む方法。
【請求項２０２】
前記シーリング部材は、さらに前記ホールの周囲に複数の小さい切り込みを含んでおり、前記切り込みは、前記シーリング部材と前記支持構造の間の前記摩擦接触を増加することに適合された複数の可撓性のあるタブを画定するものとする、特許請求の範囲第２０１項に記載の方法。
【請求項２０３】
前記シーリング部材は、さらに前記第１の部材から前記シーリング部材の取り外しを可能にするプル‐タブを含んでいるものとする、特許請求の範囲第２０２項に記載の方法。
【請求項２０４】
前記シーリング部材は、さらに前記第１の部材から前記シーリング部材の取り外しを可能にするフィンガ・スロットを含んでいるものとする、特許請求の範囲第２０２項に記載の方法。
【発明の詳細な説明】
【技術分野】
【０００１】
本発明は、概して、円形もしくはディスク形状のメディアならびにその他の有形物のパッケージングおよびディスプレイを行うためのデバイス、およびその種のディスク形状のメディアならびにその他の有形物のパッケージングのための方法に関し、特に、初期パッケージングのための容器ならびに方法、およびその後の、その他の有形物を伴うか、あるいはそれらを伴わずに行われるディスク形状のメディアの反復的な保管のための方法に関する。
【０００２】
より詳細に述べれば、本発明は、積み重ねた関係において行うディスク形状のメディアならびにその他の有形物の初期パッケージング、およびその後のディスク形状のメディアならびにその他の有形物の反復的な保管のための新しい改良された容器に関し、それにおいて当該容器は、互いに上下配置に積み重ねられる、それぞれがディスク・メディアおよびその他の有形物のそれぞれの受け入れならびに保管に供される第１のチャンバおよび第２のチャンバを有する。
【０００３】
さらに詳細に述べれば、本発明は、積み重ねた関係において行うディスク形状のメディアならびにその他の有形物の初期パッケージング、およびその後のディスク形状のメディアならびにその他の有形物の反復的な保管のための新しい改良された方法に関し、好ましい一実施態様においては、メディアの回転を許容しつつ、その一方で、メディア平面に垂直な方向ならびに平行な方向における直線運動をともに制限するべくメディアが第１の容器内に取り外し可能に保持され、その他の有形物がオープン・エンドの第２の容器の内側に配置される。
【背景技術】
【０００４】
メディアのパッケージングならびに保管のためのデバイスは広く知られている。ＣＤ、ＤＶＤ、あるいはＣＤ‐ＲＯＭといったディスク形状のメディアは、取り扱い、パッケージング、および保管に関して、それらの有する脆弱な、平たい記録済み表面に起因する特別な問題を有している。この種のディスク・メディアは、一般に、『化粧ケース』と呼ばれることもあるプラスチック・ケース内に収められて販売されている。この種のケースは、概して矩形であり、ディスク・メディアの中心にあるアパーチャによってそれを保持するためのマウント用ハブを有している。これらのケースは、通常、ディスク・メディアの購入後も取り置かれ、使用と使用の間におけるディスク・メディアの再パッケージングに用いられる。この種の化粧ケースは、寸法が小さいこと、および壊れやすいことから輸送用のパッケージングとしては実用的でなく、そのため実質的な追加のパッケージング材料もしくはより大きな輸送用容器内への配置が必要となる。
【０００５】
ディスク・メディアは、ごく一般的に、その他の有形物とともに（ディスク・メディアの内容と直接関係があるか否か、つまり補助的なものであるか、あるいはそれ以外のものであるかによらず）販売されている。現時点においては、その種の『化粧ケース』内のディスク・メディアが、一般に、輸送用、販売、およびパッケージングのための、より大きな矩形形状の厚紙ボックス内に、補助有形物とともにパッケージングされている。『化粧ケース』は、より大きな厚紙ボックス内のディスク・メディアと補助有形物との接触を確実に防止するために必要となる。この種のプラスチック・ケース／厚紙ボックスの組み合わせパッケージング構成は、コスト高なだけでなく、容易かつ確実なディスク・メディアおよび補助有形物の繰り返しの再保管を妨げる。これらが、最初の開封および繰り返しの再保管の間に損傷することも少なくない。また、最初の開封の後にディスク・メディア（化粧ケース内）を確実に再保管し、その他の有形物とともに、互いの接触が防止される方法で厚紙パッケージング内へ戻すことがしばしば不可能になる。これらが、最初の開封後および繰り返しの再保管を経て見苦しいものとなってしまうことも頻繁である。またそれら自体も、取り扱いならびに保管が困難である。
【０００６】
補助有形物を伴って販売および／または輸送がなされるディスク・メディアの整理、保護、輸送、小売店におけるディスプレイ、および保管のために、このほかのタイプのパッケージングおよび保管デバイスが必要となる。
【０００７】
さらに、その他の有形物とともに輸送されるディスク形状のメディアの効果的かつ効率的な整理、保護、輸送、小売店におけるディスプレイ、および保管を行うことの可能なデバイスも求められている。
【０００８】
現時点において商業的に利用されていないが、ディスク形状の記録メディアを、補助的もしくはディスク・メディアの内容とまったく無関係な有形物とともに配布する機会もある。この機会は、カタログ購入、ｅ‐コマース、およびそのほかの『ホーム・ショッピング』カスタマへの配布をはじめ、新聞折り込みタイプの広告の配布、サンプル、ビジネス対ビジネス通信、およびそのほかの形式の直接マーケティングならびに小売り販売に関連して生じる。この機会は、ディスク形状のメディアを、その他の有形物とともに効率的に整理、保護、輸送、小売店におけるディスプレイ、および保管するための効果的な容器の設計ならびに方法がないことから利用されていない。
【発明の開示】
【発明が解決しようとする課題】
【０００９】
本発明の第１の目的は、ディスク形状のメディアならびにその他の有形物の積み重ねた関係の初期パッケージングが可能であり、取り出しおよび使用の後は、再度、それらを積み重ねた関係の下に互の接触を回避する方法において容易に保管することが可能な容器ならびにパッケージング方法を提供することである。
【００１０】
本発明の別の目的は、ディスク・メディア用の別体のケースの必要性（つまり『化粧ケース』の必要性）を排除する容器ならびにパッケージング方法を提供することである。
【００１１】
本発明のさらに別の目的は、初期の保管、輸送、小売りプレゼンテーションおよび再パッケージングの間に、ディスク・メディアが動きに抗して確実に保持され、保護される容器ならびにパッケージング方法を提供することである。
【００１２】
本発明のさらに別の重要な目的は、ディスク形状のメディアならびにその他の有形物のパッケージング、プレゼンテーション、運搬、配布、および保管を可能にする輸送用容器ならびにパッケージング方法を提供することである。
【００１３】
本発明のさらに別の目的は、ディスク形状のメディアならびにその他の有形物の、小売りにおけるプレゼンテーションのための、審美的に独特であり、かつ魅力的なデバイスおよびその方法を提供することであり、当該その他の有形物は、当該メディアの内容と関連するものであってもよく、また関連しないものであってもよい。
【００１４】
本発明の別の目的は、一般的なヒンジ等のインターロック・メカニズムによって結合され、閉じられたポジションにおいては第１のチャンバを形成する２つの相補的なコンパートメントを有する二枚貝形状の構成の第１の部材を含む容器およびパッケージングの方法を提供することであり、それにおいては前記コンパートメントが、ディスク・メディアの外径より大きく、したがって容器の第１の部材の第１のチャンバ内にディスク・メディアを受け入れ、ディスク・メディアの平面内もしくはディスク・メディアの平面と垂直な方向における動きに抗して保持することができるものとする。
【００１５】
本発明のさらに別の目的は、容器およびパッケージングの方法を提供することであり、それにおいては、前記相補コンパートメントのいずれか一方の内側表面上にマウントされた環状リングもしくは突出部のいずれかが、容器の第１の部材の第１のチャンバ内にディスク・メディアを、ディスク・メディアの平面内もしくはディスク・メディアの平面と垂直な方向における動きに抗して保持するべく作用するものとする。
【００１６】
本発明のさらに別の目的は、容器およびパッケージングの方法を提供することであり、それにおいては、第１の部材が、相補的なインターロック構造によって互いに結合することができる２つの相補コンポーネントを有し、コンパートメントの１つの外側の構成が、第２の部材の座に載置する形の係合に適合されているものとする。
【００１７】
本発明の別の目的は、『セーフティ』シールを提供することであり、それによってエンド・ユーザが容器を受け取り、当該シールを取り除いて２つの部材の分離が可能になるまで、第１の部材が第２の部材に固定されるものとする。
【００１８】
本発明のさらに別の目的は、容器およびパッケージングの方法を提供することであり、それにおいては容器が取り外し可能なリッドを備えており、当該リッドは、最初に第１の部材を定位置に置いた後、あるいはその後に戻した後に、容器の第２の部材に取り付けられるものとする。
【００１９】
本発明の別の目的は、容器およびパッケージングの方法を提供することであり、それによって第１の部材およびリッドが取り外し可能となり、第１の部材を単独で、ディスク・メディアだけのための恒久的な保管容器および再保管パッケージとして使用することができるものとする。
【００２０】
本発明のさらに別の目的は、容器およびパッケージングの方法を提供することであり、それにおいては、容器の第１の部材のコンパートメントの内壁上にマウントされた環状リングまたは突出部が、ディスク・メディアの中心の穴の直径よりわずかに外径の小さい環状ポストを画定し、その結果、ディスク・メディアが、容器の第１の部材の第１のチャンバ内のそのポスト上に、ディスク・メディアの平面内もしくはディスク・メディアの平面と垂直な方向における動きに抗して保持されるものとする。
【００２１】
本発明のさらに別の目的は、容器およびパッケージングの方法を提供することであり、それにおいては第２の部材が取り外し可能なシールを備え、その中に保管されているその他の有形物を保護するものとする。
【００２２】
本発明のさらに別の目的は、容器およびパッケージングの方法を提供することであり、それにおいては容器の第１の部材の第１のチャンバの内壁が、形状において円筒状であり、かつその直径がディスク・メディアの外径よりわずかに大きく、その結果、ディスク・メディアが、ディスク・メディアの平面内における動きに抗して容器の第１の部材の第１のチャンバ内に保持されるものとする。
【００２３】
本発明の別の目的は、容器およびパッケージングの方法を提供することであり、それにおいては、容器の第１の部材の第１のチャンバの内壁上にマウントされた環状リングまたは突出部が、ディスク・メディアの外径よりわずかに内径の大きい、中にディスク・メディアを挿入することのできる開口を画定し、その結果、ディスク・メディアが、ディスク・メディアの平面内における動きに抗して容器の第１の部材の第１のチャンバ内に保持されるものとする。
【００２４】
本発明の別の目的は、容器およびパッケージングの方法を提供することであり、それにおいては、容器の第１の部材の第１のチャンバの内壁から延びる環状リップまたは突出部が、ディスク・メディアの外径よりわずかに内径の小さい、ディスク・メディアをその上の座に載置することのできる開口を画定し、その結果、ディスク・メディアが、ディスク・メディアの平面と垂直な第１の方向の動きに抗して容器の第１の部材の第１のチャンバ内に保持されるものとする。
【００２５】
本発明の別の目的は、容器およびパッケージングの方法を提供することであり、それにおいては容器が取り外し可能なリッドを有しており、当該リッドは、最初にディスク・メディアを座の上に載置した後、あるいはその後それを戻した後に、容器の第１の部材に取り付けられ、それによりディスク・メディアが、ディスク・メディアの平面と垂直な第２の、逆の方向の動きに抗して保持されるものとする。
【００２６】
本発明の別の目的は、容器およびパッケージングの方法を提供することであり、それによって第１の部材ならびにリッドが取り外し可能となり、当該第１の部材ならびにリッドを単独で結合して、ディスク・メディアだけのための恒久的な保管容器および再保管パッケージを作ることができるものとする。
【００２７】
本発明の別の目的は、容器およびパッケージングの方法を提供することであり、それにおいては、容器の第１の部材の第１のチャンバの内壁上にマウントされた環状リングまたは突出部が、ディスク・メディアの中心の穴の直径よりわずかに外径の小さい環状ポストを画定し、その結果、ディスク・メディアが、容器の第１の部材の第１のチャンバ内のそのポスト上に、ディスク・メディアの平面内における動きに抗して保持されるものとする。
【００２８】
本発明の別の目的は、第１のチャンバが取り外し可能なリッド内となる容器およびパッケージングの方法を提供することである。
【００２９】
本発明の別の目的は、容器およびパッケージングの方法を提供することであり、それにおいては、第１のチャンバが取り外し可能なリッド内となり、ディスク・メディア支持部材が、リッドの内側の中心もしくは第１のチャンバのベースの中心のいずれかに固定的に取り付けられ、そこから延びる中心ポストとなるものとする。
【００３０】
本発明の別の目的は、容器およびパッケージングの方法を提供することであり、それにおいては、ディスクがプラグ内に保持され、当該プラグ内に嵌め込まれるリッドによって保護されるものとする。
【００３１】
本発明のまた別の目的は、容器およびパッケージングの方法を提供することであり、それにおいては、ディスクがプラグ内に保持され、当該プラグをカバーするリッドによって保護されるものとする。
【００３２】
本発明のさらに別の目的は、容器およびパッケージングの方法を提供することであり、それにおいては、ディスクがプラグ内に保持され、かつそれが、当該プラグならびにパッケージング容器の両方をカバーするリッドによって保護されるものとする。
【００３３】
本発明の別の重要な目的は、容器およびパッケージングの方法を提供することであり、それにおいては、ディスク・メディアが中心サポートによって第１の部材内に保持され、収縮ラップ・プラスチック、フォイル・シール、または厚紙シール等のシーリング手段によってそこに保持されるものとする。
【００３４】
本発明のさらに別の目的は、容器およびパッケージングの方法を提供することであり、それにおいては、ディスク・メディアが保護エンベロープによって第１の部材内に支持されるものとする。
【００３５】
本発明の別の目的は、容器およびパッケージングの方法を提供することであり、それにおいては、ディスク・メディアが、曲げやすいヒンジによって取り付けられる対応するインターロック部材を有する保護エレメントによって第１の部材内に支持されるものとする。
【００３６】
本発明のさらに別の目的は、容器およびパッケージングの方法を提供することであり、それにおいてはプラグが、割って開く態様に適合されており、プラグが所定のラインに沿って折り曲がり、キャビティへの側方開口を形成し、それにより、当該キャビティ内の、閉じたポジションにおいてプラグの開口の直下となるレベルに、ディスク形状のメディアを自在にスライド挿入することが可能になるものとする。
【００３７】
本発明のさらに別の目的は、容器およびパッケージングの方法を提供することであり、それにおいてはプラグが、ディスクの導入ポイントと開口の間に、当該開口を介してディスクが引き抜かれることを防止するべく突起を備えるものとする。
【００３８】
本発明の別の目的は、容器およびパッケージングの方法を提供することであり、それにおいてはプラグが割って開くことが可能であり、側壁の切り込み部位には嵌め合い面が備わり、それにより閉じたポジションにおけるロックされた係合が保証されるものとする。
【００３９】
本発明のさらに別の目的は、容器およびパッケージングの方法を提供することであり、それにおいてはプラグを割って開いてディスクを挿入することが可能であり、それにより最初にリッドの中心支持構造上にディスクを装填し、結合させたリッドおよびディスクを、側方開口を介してプラグ内へ挿入することが可能になるものとする。
【００４０】
本発明のさらに別の目的は、容器およびパッケージングの方法を提供することであり、それにおいてはプラグを割って開いてディスクを挿入することが可能であり、最初にリッドの中心支持構造上にディスクを装填するが、リッドの側壁は、フロアおよび突起の下面と当接する関係で係合するべく寸法設定されており、リッドがプラグ内において明確に保持されるものとする。
【００４１】
本発明の別の目的は、容器およびパッケージングの方法を提供することであり、それにおいては、ディスク形状のメディアおよび液体清涼剤をともに、積み重ねられる関係であるが、それらの間の接触が防止される方法においてパッケージングすることができるものとする。
【００４２】
本発明の別の目的は、飲料およびそのほかの液体清涼剤の小売り引き渡し時点において、楽しく、革新的であり、人目を引く方法でディスク形状のメディアの配布を可能にする容器およびパッケージングの方法を提供することである。
【００４３】
本発明のさらに別の目的は、小売り引き渡しの時点から離れて、飲料およびそのほかの液体清涼剤とともにディスク形状のメディアが確実にパッケージングされることを可能にする容器およびパッケージングの方法を提供することである。
【課題を解決するための手段】
【００４４】
これらの、およびそのほかの目的を達成するために、本発明の容器を、少なくとも１つのディスク形状の記録メディアおよびその他の有形物のパッケージングを行うための引き延ばされたパッケージング・デバイスとし、当該デバイスは、第１のチャンバおよびこの第１のチャンバ内へのアクセスを提供するための第１の開口を有する第１の部材、および第２のチャンバおよび第２のチャンバ内へのアクセスを提供するための第２の開口を有する第２の部材を備え、それにおいて第１の部材は、第２の開口に関して第２の部材に取り外し可能に取り付けられ、この第２の開口をカバーするべく適合されているものとする。
【００４５】
一実施態様においては、第１の部材が相補コンパートメントのペアからなり、それらが、この分野において広く知られているような、たとえば一般的なヒンジ等のインターロック・メカニズムによってそれらのエッジにおいて互いに取り付けられており、その結果、前記相補コンパートメントの形状が、上下嵌め合いタイプまたは『二枚貝』タイプの構成になる。前記コンパートメントは、概して上側コンパートメントおよび下側コンパートメントと呼ぶが、実質的に形状ならびにサイズにおいて同一であり、それらの直径は、ディスク形状のメディアの外径よりわずかに大きい。これらのコンパートメントは、上側コンパートメントが下側コンパートメントに直接隣接した位置が与えられ、それによって形成される第１のチャンバが、比較的隔絶されるように、閉じたポジションに第１の部材を保持するための手段を備える。前記保持するための手段は、スナップもしくはクラスプとしてもよく、あるいは単純に、一方のコンパートメントの直径を他方よりわずかに小さくし、大きい方のコンパートメントに小さい方のコンパートメントを嵌め込むだけでもよい。上側コンパートメントもしくは下側コンパートメントのいずれか、あるいはそれら両方の中に、前記第１のチャンバ内の前記記録メディアを、記録メディアの平面内もしくは記録メディアの平面に垂直となる直線運動に抗しつつ、その一方で同時に、前記第１のチャンバ内における記録メディアの平面に垂直な軸まわりの記録メディアの回転を許容して前記記録メディアの支持ならびに保護を行うための手段が配置される。続いて第１の部材が第２のチャンバへの第２の開口を部分的に、もしくは完全に閉じる作用をもたらすように、閉じられた第１の部材を第２のチャンバへの第２の開口内に挿入し、それと係合させる。係合させるための手段には、圧縮嵌め等の各種の従来的な取り付け手段が含まれる。オプションとして、従来の一時的な環状『セーフティ』シールもしくは『不正防止』シールによって第１の部材を第２の部材に固定することもできる。
【００４６】
別の実施態様においては、本発明の容器が、第１のチャンバ、第１の開口、ならびに当該第１の開口を閉じるための取り外し可能なリッドを備える第１の部材、および第２のチャンバ、ならびに当該第２のチャンバ内にその他の有形物を保管するための第２の開口を備える第２の部材を包含している。第１の部材またはリッドのいずれかが内側構造を含んでおり、当該内側構造が、ディスク・メディアの中心にある環状の開口との相互作用によるディスク・メディアのための中心サポートを画定し、それによって、ディスク・メディアの回転を許容しつつ、その一方でメディアの平面と垂直な方向ならびに平行な方向におけるディスク・メディアの直線運動を制限する。好ましい形式の内側構造は、協働してディスク形状のメディアのための確実な支持を提供する突起を含んでいる。それに代えて、リッドもしくは第１の部材のいずれかに取り付けることのできるエンベロープ内において、あるいは曲げやすいヒンジによって取り付けることのできる対応するインターロック・エレメントを有する保護エレメント内においてディスク形状のメディアが保持され、かつ支持されるようにしてもよく、その場合の前記保護エレメントは、概して二枚貝形状となる。第１の部材内においてディスク形状のメディアの保持ならびに支持を行うためのそのほかの手段としては、第１の部材内の第１のチャンバに対する開口の周囲に取り付けられる、取り外し可能な収縮ラップ・プラスチック、フォイル・シール、または厚紙シール、あるいは第１の部材内の第１のチャンバの内径まわりに配置される複数のタブもしくは突出部による方法があり、前記タブは、チャンバのボトム表面の上にディスク形状のメディアを浮かせるべく配置される。リッドは、圧縮嵌めによって第１の部材と係合され、それに固定されるが、スナップ、タブ、接着といったほかの取り付け手段、およびそれらの類似手段についても企図されている。第１の部材内に保管された後のディスク形状のメディアへのアクセスは、リッド、収縮ラップ・プラスチック、フォイル・シール、または厚紙シールの取り外しによって得られる。代替実施態様においては、第１の部材の第１のチャンバへのアクセスが、側壁上の切り込みが設けられた対向するポイント間を結ぶ、第１の部材のフロアを横切って延びる所定のラインに沿って第１の部材を割るか、折ることによって作られる側方開口を介して達成される。この側方開口を介してディスクのみをプラグ内にスライドさせてもよく、あるいはディスクをリッドの中心支持構造上にマウントし、結合させたディスクおよびリッドを、この側方開口を介してプラグ内にスライドさせることも可能である。収縮ラップ、フォイル・シール、または厚紙シールが使用される場合には、シールを取り除くためのタブまたはそのほかの類似の手段も提供される。それに代えて、プラグ内のディスクの完全なシールが必要とされない場合には、シーリング部材の周縁に沿って切り欠きエリアを備え、シールと、プラグの側壁の間における指のアクセスを可能にし、シールの把持ならびに取り外しを可能にすることができる。続いてリッドをかぶせた第１の部材を、第２のチャンバに対する第２の開口内に挿入し、かつ係合させ、その結果、結合させた第１の部材およびそれにかぶせられたリッドが、第２のチャンバに対する第２の開口を閉じ、シールする作用をもたらす。係合するための手段としては、圧縮嵌め等の各種の従来的な取り付け手段、またはそれに代えて、結合させた第１の部材およびリッドを開口内にスナップ嵌めすること、結合させた第１の部材およびリッドを開口内に螺合すること、あるいは第１の部材の外側表面上のフィンを使用して第２の部材の内側表面と摩擦係合させることなどが挙げられる。
【００４７】
別のパッケージング方法においては、ディスク・メディアが第１の部材の第１のチャンバ内に挿入され、その中に取り出し可能に保持され、続いてリッドが、圧縮嵌め、スナップ、もしくはタブによって第１のチャンバの第１の開口に取り付けられる。その他の有形物は、ディスク形状のメディアの装填前もしくは装填後のいずれかにおいて第２の部材の第２の開口内に挿入され、その後、結合させた第１の部材およびリッドが、第２の部材の第２の開口内に挿入され、その結果、結合させた第１の部材およびリッドが、第２の部材内の第２のチャンバに対する第２の開口を閉じ、かつシールする作用をもたらす。代替方法は、第１の部材内にディスク形状のメディアを挿入し、収縮ラップ・プラスチック、フォイル・シール、もしくは厚紙シールによってその中にディスク形状のメディアをシールすることを含む。別の代替方法は、第１の部材内への保護エレメントの装填を行う前に、保護エレメント内にディスク形状のメディアを挿入することを含む。さらに別の代替方法においては、最初にディスク形状のメディアをリッド内に挿入し、続いてリッドを第１の部材に取り付け、その後その部材を第２の部材内に挿入することを含む。
【００４８】
別の実施態様においては、容器が、第１のチャンバ内にディスク形状のメディアを保管するための第１の部材またはウェファ、および第２のチャンバ内に飲料を保管するための第２の部材または容器であり、当該容器は、中心にストローを挿入するための開口を有するカバーによってシールされる。第１のチャンバは、ディスク・メディアを受け入れるための環状の内側チャンバであり、ディスク・メディアの中心にある環状の開口によって、ディスク・メディアの回転を許容しつつ、その一方でメディアの平面と垂直な方向ならびに平行な方向におけるディスク・メディアの直線運動を制限するようにディスク・メディアを支持するための中心サポートを画定する円筒状の内側構造を含む。この内側構造は、それを貫通するアパーチャを含んでおり、カバー上の定位置にウェファが収まると、そのアパーチャとカバーの開口が整列する。ディスク形状のメディアは、円形の保護エレメントによってウェファの環状の内側チャンバ内にシールされ、この保護エレメントは、円筒状の内側構造ならびにウェファの周縁と係合し、それによってウェファの内側チャンバ内へのあらゆる物質の侵入が防止される。好ましい実施態様においては、ウェファの内側構造ならびに周縁に対して保護エレメントの熱シーリングが行われるが、接着、シーリング圧縮嵌めといったこのほかの取り付け手段も企図されている。保護エレメントの中心には貫通手段が備わり、当該貫通手段は、内側構造を貫通するアパーチャと整列し、その結果、当該貫通手段、内側構造内のアパーチャ、およびカバーの開口を貫通させてストローを挿入し、飲料へのアクセスを得ることができる。好ましい実施態様においては、この貫通手段が『キス・カット』と呼ばれている『Ｘ』形状の切り込みを構成する。
【００４９】
このパッケージング方法においては、ディスク・メディアがウェファの環状内側チャンバ内に挿入され、円筒状の内部構造によって取り出し可能に保持され、保護エレメントによってその中にシールされる。飲料は、容器の第２のチャンバ内に注がれ、中心のストロー開口を有するカバーによってシールされる。続いてこのウェファが、そのカバー上に取り外し可能に取り付けられ、その結果、カバーの開口と内側構造を貫通するアパーチャが整列する。その後はストローを、保護エレメントならびにウェファの円筒状の内側構造を貫通させ、かつカバー内の開口を貫通させて挿入することによって、飲料を飲むことが可能になる。
【００５０】
さらに別の実施態様においては、本発明の容器が、ディスク形状のメディアの受け入れならびに保持に適合された円筒状のリッドであり、その円筒状のリッドは、大型容器入り飲料の購入に関連する販売促進アイテムとしてしばしば販売され、もしくは配られる、通常はプラスチック製もしくは紙製のタイプの飲料容器とシール係合される。リッドは、ディスク・メディアを支持するための中心サポートを画定する円筒状の内側構造を含み、それがディスク・メディアの中心にある環状の開口によって、ディスク・メディアの回転を許容しつつ、その一方でメディアの平面と垂直な方向ならびに平行な方向におけるディスク・メディアの直線運動を制限する。この内側構造は、ストローの貫通を可能にする開口を含んでいる。リッドの内側表面には、環状の棚または突起も含まれ、その直径は、ディスク・メディアより大きい。内側構造のピークおよび環状の棚の内側表面から上の立ち上がりは、ディスクの厚さより大きい。好ましい実施態様においては、環状の棚のピークおよび内側構造のピークが同一平面内となる。ディスク・メディアを、リッド内の前記内側構造の周囲に挿入した後は、シーリング部材をあてがい、それを棚および内側構造のピークの周辺にシールをもたらす形で取り付けてディスク・メディアを、乾燥した、気密のチャンバ内にシールし、それにより飲料がディスク・メディアに接触することを防止する。シーリング部材の中心、つまり内側構造の開口に隣接した位置が与えられる中心には、シーリング部材を貫通するがディスク・メディアを保管している気密のチャンバの完全性を維持する手段が備わっており、言い換えるとそれは、ストローの挿入によってシーリング部材と内側構造の間におけるシールの完全性が損なわれることを防止する。好ましい実施態様においては、この貫通手段が、一般に『キス・カット』と呼ばれている『Ｘ』形状の切り込みを構成する。前記内側構造内の前記開口に力を入れてストローを挿入すると、ストローがキス・カットを貫通し、それによってシーリング部材と内側構造の間におけるシールの完全性を損なうことなく、容器内の飲料へのアクセスが可能になる。円筒状のリッドは、圧縮嵌めによって飲料容器に取り付けられる。
【００５１】
このパッケージング方法においては、ディスク・メディアがリッド内に挿入され、円筒状の内部構造によって取り出し可能に保持され、シーリング部材の使用によってその中にシールされる。飲料がチャンバ内に注がれ円筒状のリッドの取り付けによってその中に保管される。その後はストローを、円筒状の内部構造ならびにシーリング部材を貫通させて挿入することによって、飲料を飲むことができる。飲料が消費された後は（完全な消費は必要ではないが）、リッドをカップから外し、シーリング部材をはがし、ディスクを取り出して使用する。リッドは、その後、カップに戻すか（カップ内に飲料が残っている場合）、あるいはカップを再充填し、リッドを再びあてがうことができる。
【００５２】
さらに別の実施態様においては、本発明の容器が、その上側部分用に中心の柱を有し、下側部分内にディスク形状のメディア以外の有形物の受け入れならびに保持を行うための手段を有する第１の部材を備え、その第１の部材が、引き延ばされた第２の部材のチャンバの開口を介してその中に滑り挿入される。カバーが備えられており、第１の部材の挿入の後に第２の部材の開口を閉じ、それによって、第１および第２両方の部材の内容物がシールされる。ディスク形状のメディアは、第１の部材もしくはカバーのいずれかによって取り出し可能に保持され、それにおいてはディスク形状のメディアの回転運動が許容されるが、メディアの平面と垂直な方向ならびにそれと平行な方向における直線運動が制限される。ディスク形状のメディア以外の有形物は、第２の部材のチャンバ内に、あるいはそれに代えて、第１の部材の下側部分内に配置される受け入れならびに保持のための手段内に挿入することができる。第１の部材は、開口を介して第２の部材内、およびその中のチャンバ内に挿入され、続いてカバーが解放可能に第２の部材に取り付けられる。好ましい実施態様においては、柱の側方もしくはトップのいずれかに第１の部材を把持するための手段が配置され、ユーザには、第２の部材内のチャンバから第１の部材を取り出すこと、およびその後それを戻すことが容易に可能となる。第１の部材の柱のトップもしくはカバーのいずれかにディスク・メディア用の中心支持構造が備えられ、その中心支持構造が、ディスク・メディアの中心に備わる環状の開口とともに作用して、ディスク・メディアの回転を許容しつつ、その一方でメディアの平面と垂直な方向ならびに平行な方向におけるディスク・メディアの直線運動を制限する。好ましい形式の中心支持構造には、カバーの内側表面もしくは柱のトップのいずれかから延びる少なくとも１つの突起が挙げられ、当該突起が、リッド内もしくは柱上におけるディスク形状のメディアの確実な支持を提供する。好ましい実施態様においては、前記突起に少なくとも１つの突出部が配置され、前記突出部を超えてディスク形状のメディアがスナップ嵌めされて定位置に収まると、その突出部が、ディスク形状のメディアを突起上にさらに保持する作用をもたらす。ディスク形状のメディアを支持構造上に収めた後は、カバーを第２の部材に係合させて固定し、それにより開口を閉じてシールする。
【００５３】
このパッケージング方法においては、ディスク・メディア以外の有形物が、第２の部材のチャンバ内に、もしくは第１の部材の下側部分内に配置される受け入れならびに保持のための手段内に挿入される。その場合にはディスク・メディアを挿入し、第１の部材の柱のトップもしくはカバーの内側表面上の中心支持構造の周囲に取り出し可能に保持させる。この第１の部材を第２の部材のチャンバ内に滑り挿入し、続いて第２の部材の開口の周囲にカバーを取り付け、その結果、カバーが第２の部材内のチャンバへの開口を閉じてシールする作用をもたらす。
【００５４】
以上をはじめ、本発明の追加の目的、特徴、および利点については、以下の詳細な説明から明らかなものとなるであろう。
【００５５】
まったく新しい特徴が確信される本発明の特徴については、付随する特許請求の範囲に示されている。しかしながら本発明自体はもとより、その使用の好ましい態様、追加の目的ならびに利点は、以下の例示として示した実施態様の詳細な説明を添付図面とともに参照することによってもっともよく理解されることとなろう。
【発明を実施するための最良の形態】
【００５６】
ここで図面を参照するが、特に図１を参照すると、本発明のディスク・パッケージング・デバイス１０の正面図が示されている。これに図示されているように、ディスク・パッケージング・デバイス１０は、下側ベース・コンポーネントまたは容器１２および上側カバー・コンポーネントまたはリッド１４を備えている。下側ベース・コンポーネント１２および上側カバー・コンポーネント１４は、保管されることになるディスク形状の記録メディアよりわずかに寸法の大きい、概略で円筒状のパッケージング・デバイスを形成するために使用される。エンド・プレート１６および１８は、それぞれ下側ベース・コンポーネント１２および上側カバー・コンポーネント１４と協働して、それらによって画定される円筒状のパッケージング空間を完全に囲い込む。
【００５７】
図１および２に示されている本発明の実施態様の下側ベース・コンポーネント１２は、側壁２０を備えている。この側壁は、厚紙（すなわち、天然繊維材料）もしくはプラスチック（すなわち、人造合成材料）またはそのほかの、たとえば真空シールされた缶製品等に見られるような金属を含めた、ベース・コンポーネントをその形状に保つために適した硬質の材料から組み立てることができる。
【００５８】
ベース・コンポーネント１２は、硬い厚紙、プラスチック、金属、あるいは類似の硬質の材料から作られ、各種広範な容器のねじ付きカバー・キャップとして使用されているような従来設計によるボトム・プレート１６を螺合するべく設計することが可能である。それに代えて、ボトム・プレート１６を、側壁２０の内側に嵌め込み、摩擦、ステープル、接着あるいはそのほかの手段によって保持することもできる。側壁２０は、上側セクション２２を有し、この上側セクション２２には、上側カバー・コンポーネント１４に適応するねじ山を形成することが可能であるが、図１および２に示されている実施態様においては、このカバーがプラスチックから作られ、従来の態様でスナップ嵌めされている。
【００５９】
図２を参照するともっともよくわかるが、上側セクション２２は、外壁２４、内壁２６、およびリム２８によって画定される。カバー・コンポーネント１４は、外壁３２、内壁３４、およびリム３６によって画定される側壁３０を有している。カバー・コンポーネントの内壁３４の直径は、ベース・コンポーネントの外壁２４の直径よりわずかに大きい。図１および２に示されている実施態様には、パッケージング・デバイス１０内に保管されるディスク形状のメディア４２のための周囲サポートを提供する内側構造４０が備わっている。構造４０は、環状リング４６および環状リップ４８を有する環状カラー４４を構成する。内側構造４０は、下側ベース・コンポーネント１２内に嵌め込まれる。環状カラー４４は、ベース・コンポーネントの内壁２６の直径より大きい外径を有し、その結果、環状カラーが内壁２６の上側に広がり、ベースのリム２８のトップに座に載置する形となる。環状リング４６は、環状リングが内壁２６の内側に嵌め込まれるように内壁２６の直径より小さい外径を有している。環状リップ４８は、ディスク形状のメディア４２の外径より小さい内径を有している。したがって、環状リングの内側において環状リップ上にディスク形状のメディアが載置される。このようにして、ディスク形状のメディアの平面内におけるディスク形状のメディアの動きが環状アバットメント４６によって排除される。ディスク形状のメディアの平面に垂直な方向におけるその動きは、一方においては環状リップ４８によって防止される。カバー・コンポーネント１４がベース・コンポーネント１２にかぶせられると、カバー・プレート１８が、ディスク形状のメディアの平面に垂直であり、上記と逆の方向の動きを排除する作用を提供する。
【００６０】
図２Ａに示されている実施態様においては、環状リップ４８に保護部材５０が取り付けられている。この保護部材は、プラスチック・フィルムもしくはそのほかの従来材料から作ることが可能であり、ディスク形状のメディアと、パッケージング・デバイス１０のベース・コンポーネント１２内に保管することのできるその他の有形物５２の間のバリアを提供する。保護部材は、環状リップに恒久的に貼り付けてもよく、あるいは組み立て及び出荷時にそれを貼り付け、消費者が購入後に取り除くように、つまりその後のディスク形状のメディアとその他の有形物の間における相互作用を招き得る『荒い取り扱い』が生じる可能性が低くなった時点で取り除かれるようにすることもできる。
【００６１】
図２Ｂに開示されている代替実施態様においては、保護エレメントが取り外し可能であり、環状リップ４８とディスク形状のメディアの間において環状リップ４８上の座に載置することのできるサイズに設定されている。この保護エレメントは、ディスク形状のメディアに類似の円形であり、指を差し入れることのできる中心開口を有し、保護エレメントを持ち上げて取り外し、その後また指を差し入れて保護エレメントを持ち上げて元に戻すことができる。
【００６２】
図２Ｃに開示されている代替実施態様においては、保護部材５０Ｂが可撓性を有し、環状リップ４８の下の下側ベース・コンポーネント内の、その中に配置されるその他の有形物５２の上に取り外し可能に挿入される。この保護エレメントは、内壁２６に対応するサイズに設定されており、指を差し入れることのできる中心開口を有し、保護エレメントを持ち上げて取り外し、その後また指を差し入れて保護エレメントを持ち上げて元に戻すことができる。それに代えて、保護エレメントに持ち上げ用のタブもしくはそのほかの、持ち上げて取り外すときに使用することの可能な従来的な手段を備えることもできる。
【００６３】
図３および３Ａに示されている代替実施態様においては、内側構造４０が修正されている。環状リング４６および環状リップ４８を伴う環状カラー４４が、離散的なアバットメント５４および離散的な突出部５６によって置き換えられる。集合的に扱うが、アバットメント５４および突出部５６は、下側ベース・コンポーネント１２内の内壁２６の周縁のまわりに、リム２８から離隔されて内壁２６に貼り付けられており、ひとまとまりとなって環状リング４６および環状リップ４８と同一の機能を果たす。より具体的には、アバットメント５４が、ディスク形状のメディアの平面内におけるディスク形状のメディアの動きを排除、すなわち環状リング４６と同一の機能を果たす。同様に突出部５６は、内壁２６の周囲に配置され、ひとまとまりとしてディスク形状のメディアの平面と垂直な方向におけるディスク形状のメディアの動きを排除、すなわち環状リップ４８と同一の機能を果たす。
【００６４】
図３Ｂは、別の代替実施態様を示しており、それにおいてはディスク形状のメディアがリム２８上の座に載置され、ディスク形状のメディアの平面と垂直な方向におけるその動きが、一方においてはリム２８によって防止される。カバー１４が下側ベース・コンポーネント１２にかぶせられると、ディスク形状のメディアの平面内におけるディスク形状のメディアの動きがカバー１４の内壁３４によって排除され、カバー１４の内側表面１４ａが作用して、ディスク形状のメディアの平面と垂直な第２の方向、すなわち前述と逆の方向におけるディスク形状のメディアの動きを排除する。
【００６５】
図３Ｃは、さらに別の代替実施態様を示しており、それにおいてはディスク形状のメディアがカバー１４の外側表面１４ｂ上の座に載置され、ディスク形状のメディアの平面と垂直の方向におけるその動きが、一方において、カバー１４の上にスナップ嵌めされる補助カバー１４４によって防止される。補助カバー１４４がカバー１４にかぶせられると、ディスク形状のメディアの平面内におけるディスク形状のメディアの動きが、補助カバー１４４の内壁１４４ａによって排除され、補助カバー１４４の内壁１４４ｂが作用して、ディスク形状のメディアの平面と垂直な第２の方向、すなわち前述と逆の方向におけるディスク形状のメディアの動きを排除する。補助カバー１４４にはチャンバ１４４ｄを持たせることが可能であり、そこに保護エレメント５０ｂを挿入して、ディスク形状のメディアと、チャンバ１４４ｄの中に収められる任意の有形物５２ａの間の接触を防止することができる。
【００６６】
図４および４Ａに示されている代替実施態様においては、内側支持構造４０が内側支持構造５８によって置き換えられ、それが、内側構造４０によって提供されるディスク形状のメディアの周縁サポートではなく、中心サポートを提供する。図４および４Ａに示されている実施態様においては、代替内側構造５８が、環状リング６０およびそこから延びるスポーク６２を備えている。図４Ａに示されているように、環状リング６０は、メディア４２を載置する立ち上がり部分６４を備える。スポーク６２は、それぞれフィンガ部分６６を有し、それが上側および外側に延び、その結果、構造５８がベース・コンポーネント１２に挿入されたときに、フィンガ５６が内壁２６と摩擦係合し、かつリム２８上の座に載置される。構造５８は、フェンサ５６の間に、薄い材料からなるウェブ（アヒルの足の水かき状のもの）を備え、その他の有形物５２からのディスク形状のメディア４２の保護を提供することができる。環状リング６０の内側は、消費者がカバー１４を取り外した後に環状リング内に指を差し入れ、ディスク形状のメディア４２および構造５８をともに取り出せるように開口させたままにする。
【００６７】
図５および５Ａは、フィンガ７２が内側に向かって延びる環状カラー７０を構成する、さらに別の内側構造６８を示している。フィンガ７２のエンドは、直立する突起７４となっている。環状カラー７０は、内壁２６の内側に嵌め込まれ、図１および２に示されている実施態様における内側構造４０と同じ態様でリム２８上の座に載置される。直立する突起７４は、協働してディスク形状のメディア用の中心支持構造を提供する。
【００６８】
図６Ａおよび６Ｂに示されているように、図５および５Ａに示されている実施態様におけるフィンガ７２は、必ずしも環状カラーから懸架される必要はない。それに代えて、図６Ａに示されているように側壁２０にクリップ止めされるようにしてもよく、あるいは図６Ｂに示されているようにそれらを側壁２０内にねじ込むようにすることもできる。
【００６９】
図７に示されている代替実施態様においては、上側カバー・コンポーネント１４内のディスク形状のメディア用に中心支持構造が備わる。より具体的に述べると、突起８０がエンド・プレート１８の内壁８２から延びている。これらの突起８０は、協働してカバー・コンポーネント１４内のディスク形状のメディアのための確実なサポートを提供する。図示のようにカバー内に取り外し可能に嵌め込まれるか、あるいは製造時に挿入され、購入後に消費者によって取り外し破棄されるものとし得る保護エレメント８４を備えることができる。カバー１４は、たとえばスナップ嵌め、入れ子、ねじ蓋状といった各種の従来的な方法に従ってベース・コンポーネント１２と係合することができる。
【００７０】
図７Ａに示されているさらに別の代替実施態様においては、ディスク形状のメディアは、プラスチックもしくはそのほかの適切な材料から作られた、エンド・プレート１８の内壁８２に貼り付けられるエンベロープ８４ａ内に入れられる。このエンベロープは、接着剤、両面テープ、もしくはそのほかの従来手段を用いて、取り外し可能に、あるいは恒久的に貼り付けられる。このエンベロープ自体を、ディスク形状のメディア用の再使用可能なパッケージング容器とし、プレート１８に貼り付けられたまま、あるいはプレート１８から取り外し可能なものとすることが可能であり、その場合にはカバー１４を破棄することができる。また、パッケージング・スリーブ（図示せず）内にディスク形状のメディアをパッケージングし、続いてその包みをエンベロープ内に挿入し、その後、エンベロープを開封したときにエンベロープからそれが取り出されるようにすることもできる。
【００７１】
図８および８Ａは、本発明のさらに別の代替実施態様を示している。図８においては、ディスク形状のメディアがカバー・コンポーネント１４内に保管されていることによって、容器１２の代替構造が可能になる。この代替実施態様においては、カバー１４が『ベース』として作用する。その他の有形物、すなわちこの場合であれば人形９２が保管される代替ベース９０が端壁構造９４を有し、それが内壁９６と摩擦係合し、ベース９０内のチャンバをシールする。それに代えて、壁９４にねじ山を備え、内壁９６の対応するねじ溝と螺合させることもできる。カバー１４およびベース９０は、ほかの実施態様に関連したこれまでの説明と同じ方法に従って取り付けることができる。
【００７２】
図８Ａに示されている実施態様においては、カバー１４が、ここでもディスク形状のメディア４２を担持しており、それによって容器１２を変形可能な構造９８とすることができる。変形可能な構造９８は、硬質の内側支持構造１００を有し、それがカバー１４と摩擦係合もしくは螺合する設計になっている。
【００７３】
図９に示されている代替実施態様においては、ディスク形状のメディアが、構造において図７の実施態様に類似の環状サポート４０によって画定されるリッド１４内の第１のチャンバ１０２に保管されるが、この場合のリッドが、外壁１０６によって画定されるその他の有形物用の第２のチャンバ１０４を備え、ベース１２が第３のチャンバ１０８を備える点が異なる。図１０に示されている代替実施態様は、構造において図４の実施態様に類似であるが、この場合には容器２２に追加の開口１１０が備えられ、当該開口１１０を閉じるためのカバー１１６が備えられる。カバー１１６は取り外し可能であり、カバー１４を取り外すことなくチャンバ１０４へのアクセスが得られる。
【００７４】
図１１および１１Ａに示されている代替実施態様においては、内側構造４０ａが備えられているが、これは図２に示されている内側構造４０のわずかに修正したバージョンであり、環状の壁４５を備え、それが環状カラー４４の全周に延びてベース１２の壁の外側表面と係合し、カバー１４がベース１２とではなく、環状の壁４５と係合する構成になっている。ここにも図１０の実施態様の場合と同様に追加の開口１１０、およびカバー１１６ａが備えられているが、これは図１０のカバー１１６のわずかに修正したバージョンであり、ベース１２の壁の外側表面と係合するための環状の壁１１６ｂだけでなく、ベース１２の壁の内側表面と係合するための環状の壁１１６ｃも備えている。カバー１１６ａの壁１１６ｂの外側表面１１６ｄの周囲寸法は、壁４５の外側表面４５ｄの周囲寸法と完全に一致しており、カバー１４およびカバー１１６ａを取り外し、壁４５と嵌め合い係合していたカバー１４を、図１１Ａに示されているように、カバー１１６ａの外側の壁１１６ｂと嵌め合い係合させることができる。また同様に図１１Ａに示されているが、このようにしてカバー１４および１１６ａを合わせて、ディスク形状のメディア４２用のミニ・パッケージング・デバイスとして使用することが可能である。図示の実施態様においては、内側の壁１１６ｃが、ディスク形状のメディアの動きに抗してそれを保持する補助となる。しかしながら、ここで理解されることであるが、本発明の恩典はその種の内側の壁なしに、あるいはここに開示されているほかの保持方法の１つを使用しても達成可能である。
【００７５】
図１２に示されている代替実施態様においては、ディスク形状のメディアが、図３Ｂに示されている実施態様の場合と同様にリム２８上の座に載置されるが、カバー１４ｘがベース１２上にスナップ嵌めされるのではなく、それと螺合される。さらにベース１２のボトム１２ｘが外側に張り出しており、カバー１４ｘの内ねじと同一寸法の内ねじが形成されている。カバー１１６ｘは、それに嵌り合う外ねじを有しており、カバー１１６ｘをベース１２の張り出しているボトム１２ｘに螺合することができる。この場合、カバー１４ｘおよび１１６ｘをベース１２から取り外し、それらを螺合してディスク形状のメディア用のミニ・パッケージング・ユニットを構成することができる。
【００７６】
図１２Ａおよび１２Ｂの代替実施態様においては、ベース１２のボトムを張り出す必要性が除去されている。図１２Ａにおいては、ベース１２ｙがボトム・カバー１１６ｙを受け、それがオーバーラップ部分１１７ｙを含み、その外側表面１１８ｙが、ベース１２ｙの外側の壁と寸法の等しい外側表面１１８ｙと寸法が等しいことから、カバー１４ｙと１１ｙが滑り係合してディスク・メディア用のミニ保管ユニットを構成することができる。図１２Ｂにおいては、ベース１２ｚが外ねじ部分１１９ｚおよび内ねじ部分１２０ｚを含み、そのそれぞれがベース１２ｚの壁の中心線『Ｃ』の上に施されている。この場合においては、カバー１４ｚおよび１１６ｚを取り外したときに、それらを螺合してディスク・メディア用のミニ保管ユニットを構成することができる。
【００７７】
図１３は、別の代替実施態様を示しており、それにおいてはカバー２４４がベース１２内に嵌め込まれる形でその座に載置され、ディスク形状のメディア４２が、カバー２４４の凹状のくぼみ２４６内に配置される。プラスチックもしくはそのほかの適切な材料から作られるシール２４８がカバー２４４に張られて、ユーザがそのシールを取り除くまで、カバー２４４内にディスク形状のメディアが保持される。ディスク形状のメディアは、側壁２５０、底壁２５２、およびシール２４８との接触の結果、あるいはここに教示されているほかの方法のいずれかの使用によって、カバー２４４内における動きに抗して保持される。
【００７８】
図１４は、さらに別の代替実施態様を示しており、それにおいてはベース１２が、独立して製造された種々の内容物の容器となるが、このベースが、わずかにくぼんだエンド２５１を有し、このくぼんだエンド２５１内にディスク形状のメディア４２および保護エレメント５０が載置され、ベース１２にスナップ嵌めされるカバー１４によってそこに保持されることから、その深さ２５２は、これらの合計の厚さを超えたものとなっている。代替実施態様においては、保護エレメントが使用されないか、ディスク形状のメディアがエンベロープ（図示せず）内にパッケージされる。
【００７９】
図１５は、さらに別の代替実施態様を示しており、それにおいてはディスク形状のメディアが、たとえば、これにおけるほかの実施態様に関連して教示されているように、カバー・コンポーネント１４内にマウントされてシールされ、カバー１４とベース１２をともに巻き付ける紙のパッケージング材料の外皮によって、カバー１４がベース１２に取り付けられている。ひも３０２を引くことによって外皮３０１が裂け、カバー１４とベース１２の間の周囲の取り付けが壊れてカバー１４がベース１２から分離される。
【００８０】
ここで理解されることになろうが、各実施態様において、ディスク形状のメディアのパッケージング、配布、小売店におけるディスプレイ、および望ましい場合にはその他の有形物との再保管が可能な容器デバイスが提供され、かつその種の使用をもたらすために、ディスク・メディアとその他の有形物の間の接触が防止されるべく、ディスク・メディア用とその他の有形物用に分離されたチャンバが備えられる。図１〜６Ｂに示されている実施態様においては、内側構造が、図１の環状カラーであるか、あるいは図３の離散的な配置のアバットメント／突出部のクリップであるか、あるいは図３Ｂの直立リムであるか、あるいは図３Ｃのリッドおよび補助リッドであるか、あるいは図４の『スパイダ』構造であるか、あるいは図５の『トラップ』構造であるかによらず、それぞれの場合においてそれが配置され、下側ベース・コンポーネント１２内に第１のチャンバを画定する補助となる。この第１のチャンバの下側は第２のチャンバになる。第１のチャンバは、ディスク形状のメディアを受け入れ、取り外しおよび再パッケージングの反復に抗してそれを確実に保持する。第２のチャンバは、その他の有形物を受け入れ、それらの有形物をディスク形状のメディアから分離する。このように、ディスク形状のメディア用の分離された『化粧ケース』の必要性は、完全に排除される。
【００８１】
ここで理解されることになろうが、本発明の範囲から逸脱することなく多様な容器形状が可能であり、たとえば、カラー４０の外壁が対応しており、かつカラーが、当該カラーの外壁から本発明の環状リングならびに環状リップまでのスペーサを含んでいる限り、円筒状のベース１２を方形もしくは矩形とすることができる。この開示を検討した後の当業者であれば明らかなように、ほかの実施態様に対しても類似の調整が可能である。図３のアバットメント／突出部のクリップを、円筒以外の形状のベースにマウントすることも可能であり、図４のスパイダ構造、あるいは図５のトラップ構造についてもそれは同じである。
【００８２】
当業者にあっては、図１の環状リングもしくは図２のアバットメントの機能が、容器１２の適切に寸法設定された内壁２６によって果たされることを理解されるであろう。
【００８３】
さらに理解されようが、図１の環状カラー、図２のアバットメント／突出部のクリップ、図３のスパイダ構造、および図４のトラップ構造の取り付け方法がいくつか示されているが、当業者であれば、この開示を検討した後に、本発明の範囲から逸脱することなく、ほかの取り付け手段を案出することが可能である。
【００８４】
さらにここで当業者によって理解されるように、本発明のデバイスならびに方法は、たとえば間に保護エレメントを介挿することによって１ないしは複数のディスク形状のメディアに適応することができる。
【００８５】
図１６〜１８は、ディスク形状のメディア４２の受け入れに適合されたリッド４００を有する本発明の別の実施態様を示しており、当該リッドは、さらに、開口４０４を有する円筒状プラグ容器４０２内への受け入れ、およびそれによる保持に適合されている。そのためリッド４００の外径は、開口４０４の直径よりわずかに小さくなっている。
【００８６】
リッド４００の中心には中心リッド支持構造４０６が備わり、ディスク形状のメディア４２を受け止めて保持する。前記リッド支持構造４０６は、リッド４００の内側表面４１０から延びる少なくとも１つの支持突起４０８を含んでいる。これらの突起４０８は、ディスク形状のメディア４２の中心の環状アパーチャ４１２内に挿入されるべく適合されており、ディスク形状のメディア４２の平面と垂直な方向、あるいは平行な方向におけるディスク形状のメディア４２の直線運動を防止する一方、リッド支持構造４０６まわりのディスク形状のメディア４２の回転を許容している。
【００８７】
リッド４００は、リッド４００の対応するくぼみ４１６に係合する弓形リップ４１４によってプラグ容器４０２内に部分的に保持されており、弓形リップ４１４の下側にくぼみ４１６が配置されるようにリッド４００を傾斜させてプラグ容器４０２内に挿入しなければ、プラグ容器４０２の開口４０４内にリッド４００の全体を挿入することができない。前記弓形リップ４１４は、プラグ容器４０２からの偶発的なリッド４００の脱落を防止する補助にもなる。
【００８８】
ここで認識される必要があるが、リッド４００は、リッド４００の外側リム４１８がプラグ容器４０２の内側表面４２０と接触するように、プラグ容器４０２の開口４０４に嵌り込む。リッド４００は、複数のストップ・ブロック４２２によってプラグ容器４０２内への入りすぎが防止されており、それらのブロックがリッド４００の外側リム４１８と係合する。リッド４００は、外側リム４１８と内側表面４２０の間の摩擦をはじめ、弓形リップ４１４とくぼみ４１６の係合によってプラグ容器４０２内の定位置に保持される。
【００８９】
プラグ容器４０２内に、リッド４００を保持するための追加の手段および代替手段を使用することもできる。たとえば、リッド４００上に複数の突出部４２４を備え、プラグ容器４０２の開口４０４にリッド４００が挿入されたときにそれらと係合する、対応の凹部４２６をプラグ容器４０２内に備えたスナップ手段を用意してもよい。同様にねじ溝（図示せず）によりリッド４００をプラグ容器４０２に取り付けることもできる。その種の実施態様においては、弓形リップ４１４およびくぼみ４１６が必要性もしくは実用性を失うことになる。それに加えて、たとえば図４〜５Ａ、８、８Ａ、および１０に開示した手段を使用して、プラグ容器４０２上に中心リッド支持構造をマウントすることもできる。
【００９０】
またリッド４００のくぼみ４１６とは反対側のエッジには、可撓性のあるハンドル４２８が備えられる。プラグ容器４０２内にリッド４００が挿入されているときには、組み立て後の容器４３０の表面が実質的に面一になり、リッド４００を把持する手段がなくなることから、リッド４００をプラグ容器４０２から取り外すためにこのハンドル４２８が必要になる。ハンドル４２８は、取り外しの間にリッド４００を傾斜させて、くぼみ４１６が弓形リップ４１４の下から滑り出させることができるように、くぼみ４１６の反対側のエッジに備えられている。
【００９１】
組み立て後の容器４３０は、その他の有形物を包含する円筒状の輸送用もしくはパッケージング用の容器（図示せず）の開口をシールするプラグとして使用することができる。組み立て後の容器４３０の挿入が可能となる、その種の円筒状の輸送用もしくはパッケージング用の容器の内径は、組み立て後の容器４３０および円筒状の輸送用もしくはパッケージング用の容器の内壁が摩擦係合するように、組み立て後の容器４３０の外径よりわずかに大きい。プラグ容器４０２の上側部分には、組み立て後の容器４３０が円筒状の輸送用もしくはパッケージング用の容器内に入り込む範囲を制限するため、および円筒状の輸送用もしくはパッケージング用の容器のリムをダメージから保護するために、環状カラー４３２を備えることができる。
【００９２】
輸送および保管の間にわたり、円筒状の輸送用もしくはパッケージング用の容器内に組み立て後の容器４３０を保持するためには、多様な追加の手段ならびに代替手段が存在する。たとえば、複数の環状フィン４３４が示されているが、それらを組み立て後の容器４３０の外側表面に備え、それらのフィン４３４を円筒状の輸送用もしくはパッケージング用の容器の内側表面と係合させることができる。それに代えて、組み立て後の容器４３０を円筒状の輸送用もしくはパッケージング用の容器内に螺合させ、もしくはスナップ嵌めし、あるいは、たとえば組み立て後の容器４３０の環状カラー４３２および円筒状の輸送用もしくはパッケージング用の容器の側面を上から包み込む収縮するプラスチック・スリーブもしくは『セーフティ・シール』といった何らかの接着手段によって保持してもよく、また、組み立て後の容器４３０を円筒状の輸送用もしくはパッケージング用の容器の内壁に抗して挿入したときの、外壁との間の摩擦によってそれを軽く拘束するようにしてもよい。
【００９３】
図１６〜１８に示されている新しいパッケージング・デバイスは、円筒容器と組み合わされたときに、たとえば子供用の積み木および関連するＣＤ‐ＲＯＭというように、ディスク・メディアおよび関連する有形物のための保管容器として特に適したものとなる。使用後は、積み木を円筒容器内に収容し、ＣＤ‐ＲＯＭをリッド４００上に再マウントしてそれをプラグ容器４０２内に再挿入し、さらに組み立て後の容器４３０を円筒容器内に再挿入して容器をシールする。このようにして、このパッケージング・デバイスは、子供部屋の棚の上に維持しておくことのできる効果的かつ魅力的な保管容器をもたらす。
【００９４】
図１９Ａ〜２０Ｃは、上側コンパートメント４５２および下側チャンバ４５４を含むプラグ容器４５０を構成する本発明の別の実施態様であり、それにおいてこれらのチャンバはサイズならびに形状が相補的であり、前記プラグ容器４５０が（図１６Ｂ、１６Ｃ、１７Ｂ、および１７Ｃに例示されているように）閉じたポジションにあるとき、これらのチャンバ４５２および４５４は、中にディスク形状のメディア４２を保管することのできる比較的安全なキャビティまたは第１のチャンバ４５６を形成するべく隣接して配置される。前記上側コンパートメント４５２を前記下側チャンバ４５４に固定する好ましい方法は、一方を他方に嵌め込む方法である。前記目的を達成するため、前記上側コンパートメント４５２もしくは前記下側チャンバ４５４のいずれかを他方より幾分か小さく作り、２つのチャンバ４５２、４５４のうちの小さい方が、チャンバ４５２、４５４のうちの大きい方の内側に嵌り込むようにする。図１９Ａ〜２０Ｃに示されている好ましい実施態様においては、上側コンパートメント４５２が下側チャンバ４５４よりわずかに小さく、上側コンパートメント４５２の外周が下側チャンバ４５４の内側表面と実質的に同じ直径を有し、その結果、上側コンパートメント４５２と下側チャンバ４５４内に好適に嵌り合い、摩擦によって２つのチャンバ４５２および４５４を一体に維持することが可能になる。しかしながら、ここで認識される必要があるが、これら２つのチャンバ４５２および４５４を結合するための手段は、クラスプまたはスナップ等ようにこのほかにも存在し、これらの手段は、２つのチャンバ４５２、４５４が実質的に同一の直径を有する場合にはより適したものとなろう。
【００９５】
チャンバ４５２および４５４は、それらのエッジに配置される曲げやすいヒンジ４５８によって取り付けられ、このヒンジ４５８は、チャンバ４５２を下側チャンバ４５４から分離することによってプラグ容器４５０が開き、キャビティまたは第１のチャンバ４５６ならびにその中に保管されているディスク形状のメディア４２へのアクセスをもたらすこと、および２つのチャンバ４５２および４５４のうちの小さい方を大きい方に嵌め込むことによってそれを閉じることを可能にする。好ましい実施態様における前記ヒンジ４５８は、２つのコンパートメント４５２、４５４相互の係合ならびに離脱を可能にする適切な支持ならびに充分な空間を提供し、しかも控えめであり、かつ邪魔にならない適切な幅ならびに長さを有している。好ましい実施態様においては、プラグ容器４５０が容器１２を閉じ、シールするべく設計されている限り、ヒンジ４５８がプラグ容器４５０の周囲を遮らないこと、特にプラグ容器４５０の下側部分４６０については、その下側部分４６０が容器１２の開口内に据えられることから、その周囲を遮らないことが必須となる。
【００９６】
プラグ容器４５０は、その他の有形物を入れる円筒状の輸送用もしくはパッケージング用の容器（図示せず）の開口をシールする栓（プラグ）として使用することができる。プラグ容器４５０は、その種の、円筒状の輸送用もしくはパッケージング用の容器内に挿入されるが、当該容器は、プラグ容器４５０の下側部分４６０の外径よりわずかに大きい内径を有し、その結果、プラグ容器４５０が円筒状の輸送用もしくはパッケージング用の容器の内側表面と摩擦係合する。プラグ容器４５０の上側部分には、プラグ容器４５０が円筒状の輸送用もしくはパッケージング用の容器内に入り込む範囲を制限するため、および輸送用もしくはパッケージング用の容器のリムをダメージから保護するために、環状カラー４６２備えることができる。
【００９７】
輸送および保管の間にわたって、円筒状の輸送用もしくはパッケージング用の容器内にプラグ容器４５０を保持するためには、多様な追加の手段ならびに代替手段が存在する。たとえば、複数の環状フィン４６４が示されているが、それらをプラグ容器４５０の下側部分４６０の外側表面に備え、それらのフィン４６４を輸送用もしくはパッケージング用の容器の内側表面と係合させることができる。それに代えて、プラグ容器４５０を円筒状の輸送用もしくはパッケージング用の容器内に螺合させ、もしくはスナップ嵌めし、あるいは、たとえばプラグ容器４５０および円筒状の輸送用もしくはパッケージング用の容器の側面を上から包み込む収縮プラスチック・スリーブもしくは『セーフティ・シール』等の何らかの接着手段によって保持してもよく、また、円筒状の輸送用もしくはパッケージング用の容器の内壁に抗してプラグ容器４５０を挿入したときの、外壁との間の摩擦によってそれを軽く拘束するようにしてもよい。
【００９８】
上側コンパートメント４５２の中心（図１９Ｂ、１９Ｄ、および１９Ｅに示す）もしくは下側コンパートメント４５４の中心（図２０Ｂ、２０Ｄ、および２０Ｅに示す）には、ディスク形状のメディア４２の受け入れならびに保持のための中心支持構造４６６が備わっている。前記中心支持構造４６６は、コンパートメント４５２、４５４のうちのいずれかの内側表面４７０から延びる少なくとも１つの支持突起４６８を含む。これらの突起４６８は、ディスク形状のメディア４２の中心の環状アパーチャ内に挿入されるべく適合されており、ディスク形状のメディア４２の平面と垂直な方向、あるいは平行な方向においてディスク形状のメディア４２が直線運動することを防止する一方、中心支持構造４６６まわりのディスク形状のメディア４２の回転を許容している。好ましい実施態様においては、少なくとも１つの隆起した突出部４７２が中心支持構造４６６のエンドに配置されており、その突出部４７２が、ディスク形状のメディア４２を中心支持構造４６６上の定位置に保持する一方、ディスク形状のメディア４２の自由な回転を許容にする作用をもたらしている。
【００９９】
図２１に示されている代替実施態様においては、プラグ容器４５０が２つの別体のコンポーネント、すなわち予備プラグ４８０および二枚貝部材４８２からなる。予備プラグ４８０は、容器４８４内に挿入され、実質的にその開口をシールする一方、二枚貝部材４８２の受け入れに適合されたプラグ・チャンバ４８６を提供するべく設計されている。予備プラグ４８０が存在すること、および二枚貝部材４８２が容器４８４の開口をシールする作用をもたらさないことを別にすれば、予備プラグ４８０内に適合するべくわずかに小さい直径を有することになるが、そのほかのすべての側面において二枚貝部材４８２はプラグ容器４５０と同一になる。
【０１００】
さらに別の代替実施態様においては、図２２に示されているように、臨時容器シール４９０の上にプラグ容器４５０が載置され、当該臨時容器シール４９０は、容器内に保管される有形物を、それらへのアクセスが必要とされる時点まで確保するための作用をもたらし、アクセスが必要になったときには臨時容器シール４９０が取り除かれる（プル‐タブ４９２もしくはそのほかの手段が用いられる）。この種の実施態様におけるプラグ容器４５０は、臨時容器シール４９０の上に載置され、そこからの分離が、一実施態様においては容器のリッド４９２によって防止される。容器内の内容物に対するアクセスを希望するときには、リッド４９２およびプラグ容器４５０を取り外し、臨時容器シール４９０を引き出す。容器内の内容物のすべてを消費するまでは、容器のリッド４９４を再びあてがい、容器内に内容物を確保しておくことができる。別の代替実施態様においては、セーフティ・シール（図示せず）によって容器シール４９０上にプラグ容器４５０を保持することが可能であり、さらに別の代替実施態様においては、セーフティ・シールならびに臨時容器シール４９０が取り除かれた後に、プラグ容器４５０を再びあてがって、消費されていない内容物を容器内に確保しておくことができる。
【０１０１】
図１９Ａ〜２２に示されている新しいパッケージング・デバイスは、円筒容器と組み合わされたときに、ディスク・メディアおよびその他の有形物のための保管容器として特に適したものとなる。円筒容器からその他の有形物を取り除いた後は、ディスク形状のメディア４２が恒久的にプラグ容器４５０内に保管され、それが、ディスク形状のメディア用の魅力的かつ安全な保管デバイスとなる。それに対して、その他の有形物が円筒容器内に残っている場合には、再びプラグ容器４５０を使用して容器内に前記有形物をシールすればよい。このようにこのパッケージング・デバイスは、効果的かつ魅力的な保管容器となる。
【０１０２】
本発明の別の実施態様が図２３〜２６Ｃに示されており、それにおいては、円筒状のプラグ容器５０２がキャビティ５４０を含み、その中にディスク形状のメディア４２が受け入れられ、図２３〜２５Ｃに示されているようにキャビティ５４０のフロア５４２から延びる中心支持構造５０６上に保持されるか、図２６Ａ〜２６Ｃに示されるように保護ケーシング５４４内に保持される。
【０１０３】
図２３Ａ〜２５Ｃは、中心支持構造５０６上にディスク形状のメディア４２を確実に保持するための多様な方法のいくつかを示している。ここで認識される必要があるが、ここに示されているこれらの実施態様のそれぞれにおいては、少なくとも１つの隆起したカラー部分５４６がキャビティ５４０のフロア５４２上に配置され、そのカラー部分５４６がディスク形状のメディア４２をフロア５４２から分離し、その結果、ディスク形状のメディアのメディア側とフロア５４２の間の接触、すなわちディスク形状のメディアのメディア側にダメージをもたらす可能性のある接触が防止される。好ましい実施態様においては、隆起したカラー部分５４６が連続する環状カラーであり、ディスク形状のメディア４２の中心アパーチャ５１２の直径よりわずかに大きい外径を有するが、そのメディア部分の内径より小さく、その結果、カラー部分５４６はディスク形状のメディア４２と接触するが、ディスク形状のメディアのメディア部分とは接触しない。代替実施態様においては、隆起したカラー部分５４６を、キャビティ５４０のフロア５４２から延びる１ないしは複数の離散的な突起から構成することができる。別の代替実施態様においては、カラー部分５４６が存在せず、それに代わって図２３Ｂに示されているように、ディスク４２の前に保護用の環状エレメント５４７を中心支持構造５０６上に取り付けて保護エレメント５４７によりディスク４２とフロア５４２の接触を防止するか、あるいは、たとえばそれらの間の最小限の相互作用が考慮されているか、もしくはディスクを『硬くする』ことが可能であるか、またはフロアを許容可能な滑らかさもしくはディスク形状のメディア４２のメディア側に対して非研磨性に作ることができる場合には、ディスク４２とフロア５４２の間の接触を許容する。
【０１０４】
またここで認識される必要があるが、図２３Ａ〜２５Ｃに例示されている実施態様においては、中心支持構造５０６に１ないしは複数の内側の突起５５０を持たせるか、あるいはキャビティの壁５４８に１ないしは複数の外側の突起５５２を持たせることができる。前記内側および外側の突起５５０、５５２は、支持構造５０６上におけるディスク形状のメディア４２の保持をはじめ、保護エレメント５５４（図２５Ａ〜２５Ｃに示す）の受け入れおよび保持を補助するべく設計されている。
【０１０５】
中心支持構造５０６によってディスク形状のメディア４２の受け入れならびに保持が行われる実施態様に戻るが、図２３Ａ〜２３Ｂは、ディスク形状のメディア４２を支持構造５０６上の定位置に保持するためのリッド５００の使用を例示している。図２３Ａの実施態様においては、リッド５００がプラグ容器５０２への開口５０４内に挿入され、キャビティ５４０を閉じ、シールするべく適合されている。ディスク形状のメディア４２を中心支持構造５０６上の定位置に保持するため、特に中心支持構造５０６が内側の突起５５０を備えていない場合にその保持を行うために、リッド５００が、中心支持構造５０６の上側表面と接触する必要がある。リッド５００がプラグ容器５０２の上に取り付けられるべく適合されている図２３Ｂの実施態様についてもそれに該当する。図２３Ｂに示されている実施態様においては、リッド５００が、プラグ容器５０２およびパッケージング容器５５６の両方に被着され、それにより両方の容器５０２、５０６を閉じてシールするべく適合されている。図２３Ａおよび２３Ｂに示されている実施態様のいずれにおいても、圧縮嵌めによってリッド５００をプラグ容器５０２および／またはパッケージング容器５５６に取り付け、固定しているが、スナップ、タブ、および接着等を含めて多様な取り付け手段が企図されている。
【０１０６】
図２４Ａ〜２４Ｂに示されている実施態様においては、ディスク形状のメディアが中心支持構造５０６上に保持されていることはもとより、シール５５８によってキャビティ５４０内の実質的に気密もしくは液密な環境の下に保護されている。好ましい実施態様においてはシール５５８が収縮ラップ・プラスチックからなるが、熱シーリング・プラスチック、フォイル・シール、または接着剤の使用を含めて、ほかのシーリング方法も等しく使用することができる。図２４Ａの実施態様においては、シール５５８が、環状カラー５３２の上側表面に取り付けられており、また可能性としては中心支持構造５０６の上側部分にも取り付けられる。この種の実施態様におけるシールされたプラグ容器５０２は、その後パッケージング容器５５６の開口内に挿入することができる。上記に代えて、パッケージング容器５５６内にプラグ容器５０２が挿入された後に、図２４Ｂに示されている態様に従って、プラグ容器５０２およびパッケージング容器５５６の両方にシール５５８を取り付けてもよく、その種の実施態様の場合には、シール５５８が環状カラー５３２の上側表面をはじめ、パッケージング容器５５６のリムの上側表面にも取り付けられる。
【０１０７】
図２４Ａおよび２４Ｂの実施態様のいずれにおいても、さらにシール・タブ５６０が備えられ、このタブ５６０は、ユーザがキャビティ５４０へのアクセス（および、図２４Ｂからわかるように、プラグ容器５０２の取り外し後のパッケージング容器５５６へのアクセス）を得るためにシール５５８をプラグ容器５０２から取り外すことを可能にするべく設計されている。
【０１０８】
図２５Ａ〜２５Ｃには、ディスク形状のメディア４２を中心支持構造５０６上に保持するための別の手段が示されており、それにおいては、プラグ容器５０２の開口５０４内に保護エレメント５５４も挿入される。好ましい実施態様においては、保護エレメント５５４が形状において環状であり、厚紙もしくは可塑化ペーパーからなるものとしているが、突起５５０および／または突起５５２と係合するべく寸法設定された別の形状、およびプラスチック等のそのほかの材料も等しく有効である。図２５Ａの実施態様においては、保護エレメント５５４が形状において環状であり、中心支持構造５０６上の内側突起５５０の下にスナップ嵌めされ、図２５Ｂにおいては、保護エレメント５５４が形状において環状であり、キャビティ５４０の壁５４８上の外側突起５５２の下にスナップ嵌めされる。図２５Ｃの例示においては、形状において環状の保護エレメント５５４が、内側および外側両方の突起５５０、５５２の下にスナップ嵌めされる。ここで認識される必要があるが、図２５Ａ〜２５Ｃの実施態様においては、中心支持構造５０６が、ディスク形状のメディア４２、保護エレメント５５４、および隆起したカラー部分５４６を合計した厚さに少なくとも等しい高さでなければならない。この種の実施態様においては、突起５５０、５５２からの保護エレメントの取り外しを容易にするために、保護エレメント５５４の一部としてプル‐タブ５６２を含ませることができる。
【０１０９】
図２６Ａ〜２６Ｃには、中心支持構造５０６の使用に代わる例が示されているが、それにおいては、ディスク形状のメディア４２が保護ケーシング５４４内に保管される。前記ケーシングは、ディスク形状のメディア４２の滑り入れおよび滑り出しが可能な保護エンベロープからなるか、あるいはそれに代えて、インターロック・スナップ手段もしくは曲げやすいヒンジまたはそれら２つの組み合わせによって取り付けられる相補的な合わせ部材のペアを有する二枚貝に類似したデバイスからなるものとすることができる。図２６Ａに示されている実施態様においては、保護ケーシング５４４がリッド５００によってキャビティ５４０内に保持される。この種の実施態様においては、キャビティ５４０内に保管される保護ケーシング５４４が拘束されないこともあり、それに代えて取り外し可能にリッド５００またはフロア５４２のいずれかに取り付けられることもある。
【０１１０】
これに代えて、図２６Ｂに示されているように、シール５５８を用いてキャビティ５４０内に保護ケーシング５４４を保持してもよく、このシール５５８は、収縮ラップ、熱シーリング、接着剤、あるいはそれらに類似の取り付け手段によって取り付けることができる。最後に、図２６Ｃに示されているように、少なくとも１つの外側突起５５２を用いてキャビティ５４０内に保護ケーシング５４４を保持することができる。その種の実施態様においては、保護ケーシング５４４を突起５５２の下の所定の位置にスナップ嵌めすればよい。フロア５４２から延びている突出部５８０は、オプションとして備えられており、そのサイズは、キャビティ５４０内の保護ケーシング５４４の『がたつき』が防止される形で、保護ケーシング５４４がこの突出部５８０と突起５５２の間に好適に嵌り込むように設定される。
【０１１１】
図２３Ａ〜２６Ｃのすべての実施態様においては、図２７に示されている方法に従って、プラグ容器５０２の壁５９０の対向するポイント５８６およびそれらの間を結ぶライン５８８に沿ったフロア５４２に、折り目もしくはそのほかの切れ目を入れ、プラグ容器５０２もしくはその一部を割るか、折り曲げて開くこと、つまりフロアをそのままライン５８８に沿ったヒンジとして作用させて開くことができるようにしてもよく、それによってキャビティ５４０ならびにその中に保管されているディスク形状のメディア４２へのアクセスが与えられる。この種の割って開く形のプラグ容器５０２においては、ディスク形状のメディア４２が単独で、あるいは保護エンベロープもしくは二枚貝状の容器に入れられているかによらず、割る行為を伴うプラグ容器５０２の開閉によってそれをキャビティ５４０内に挿入し、あるいは取り出すことが可能になる。閉じたときには、対向する面５９６、５９８、および５９６’、５９８’が当接する関係に戻る。図２７Ａおよび２７Ｂに示されている代替実施態様においては、オス、メス嵌め合い設計を用いて対向する面５９６、５９８を構成し、プラグ容器５０２が閉じたポジションにあるときにこれらの面が互いに関してシフトしないことをさらに保証することができる。ここで理解される必要があるが、本発明の範囲から逸脱することなく、対向する面に使用することのできる多様な嵌め合い設計が存在する。それに代えて、プラグ容器５０２を割って開いたときにディスク形状のメディア４２および／またはリッド５００を中心支持構造５０６に取り付け、プラグ容器を閉じたときにその中に保持されるようにすることができる。さらに別の実施態様においては、図２８に示されているように、中心支持構造５０６をリッド５００上にマウントすることが可能であり、リッド５００は、ライン５８８に沿ってプラグが折り曲げられたときに、プラグ容器５０２の壁５０２上の外側の突起５００の下に滑らせることができる。
【０１１２】
図２９〜３１Ａは、本発明の別の実施態様を示しており、それにおいては、ディスク形状のメディア４２が円筒状のリッド６００内に受け入れられて保持されるが、リッド６００は、図３０に示されているように、上側エレメント６０２および下側エレメント６０４を備えており、それらは、（図２９に示されているように）組み立てられた後に、大型容器入り飲料の購入に関連する販売促進アイテムとしてしばしば付属され、もしくは販売される類のプラスチックの飲料容器（図示せず）のカバーとしてかぶせることができる。上側エレメント６０２の中心には、上側円筒状突起６０６が備わり、それが上側開口６１０を含んでいる。上側円筒状突起６０６は、二重の目的を満たす：すなわち（１）ディスク形状のメディア４２の平面と垂直な方向、あるいは平行な方向においてディスク形状のメディア４２が直線運動することを防止する一方、上側円筒状突起６０６まわりのディスク形状のメディア４２の回転を許容するようにディスク形状のメディアの受け入れならびに保持を行い；かつ（２）ストロー（図示せず）を挿入することができるリッド６００を貫通する通路（上側開口６１０）を提供する。そのため、上側円筒状突起６０６の内径は、そこをストローが通ることができるように、充分に大きくなければならず、その一方、上側円筒状突起６０６の外径は、上側円筒状突起６０６とディスク形状のメディア４２の環状アパーチャが摩擦接触するように、ディスク形状のメディア４２の環状アパーチャの直径よりわずかに小さくなければならない。
【０１１３】
上側エレメント６０２内におけるディスク形状のメディア４２は、さらに、上側円筒状突起６０６を囲む環状の上側ショルダ６１２によって支持されており、このショルダ６１２が、ディスク形状のメディア４２を上側エレメント６０２の内側表面６１４から離隔している。上側ショルダ６１２の高さは、ディスク形状のメディア４２と上側エレメント６０２の内側表面６１４の間における接触を制限するような高さとする必要がある。
【０１１４】
下側エレメント６０４は、上側円筒状突起６０６が貫通する下側開口６１６を含んでいる。下側開口６１６の内径は、上側円筒状突起６０６の外径よりわずかに小さく、その結果、上側エレメント６０２と下側エレメント６０４が嵌め合わされたときに、下側開口６１６と上側円筒状突起６０６の間にシールが形成され、そのシールが、上側エレメント６０２と下側エレメント６０４の間に形成される環状のチャンバ６１８の内側の周囲から当該環状のチャンバ６１８内へ液体が浸透することを防止する。
【０１１５】
また下側エレメント６０４にも下側開口６１６を囲む下側ショルダ６２０が備わっており、この下側ショルダ６２０が、ディスク形状のメディア４２を下側エレメント６０４の内側表面６２２から離隔している。下側ショルダ６２０の高さは、ディスク形状のメディア４２と下側エレメント６０４の内側表面６２２の間における接触を制限するような高さとする必要がある。
【０１１６】
上側エレメント６０２および下側エレメント６０４は、いずれも外側エッジ６２４、６２６を含んでおり、それらは、上側エレメント６０２および下側エレメント６０４の重ね合わせを可能にするべくテーパーが施されている。上側の外側エッジ６２４の内側表面の直径は、下側の外側エッジ６２６の外側表面の直径よりわずかに大きく、その結果、上側エレメント６０２を下側エレメント６０４の上に重ね合わせたとき、上側および下側の外側エッジ６２４と６２６の間にシールが形成され、そのシールが、環状のチャンバ６１８の外側の周囲から当該チャンバ６１８内への物質の侵入を防止する。
【０１１７】
円筒状のリッド６００は、さらに、飲料容器の開口周囲へ圧縮嵌めによって前記飲料容器のカバーとして機能するべく適合されている。ここで認識される必要があるが、リッド６００を飲料容器へ取り付け、あるいはかぶせるために使用可能な手段は、スナップもしくはタブによるもの、あるいはリッド６００と飲料容器の螺合によるものなど、このほかにも多様なものが存在する。
【０１１８】
図３２〜３６には、本発明の別の実施態様が示されており、これにおいては、ディスク形状のメディア４２が円筒状のリッド６５０内に受け入れられて保持されるが、このリッドは、大型容器入り飲料の購入に関連する販売促進アイテムとしてしばしば付属され、もしくは販売される類のプラスチックの飲料容器（図示せず）のカバーとしてかぶせることができる。円筒状のリッド６５０の中心には、実質的に平坦なエンド６５４を有する円筒状の突起６５２が備わっている。前記平坦なエンド６５４の内側にはリッド開口６５６があり、その直径は、円筒状の突起６５２より小さい。円筒状の突起６５２は、二重の目的を満たす：すなわち（１）ディスク形状のメディア４２の平面と垂直な方向、あるいは平行な方向においてディスク形状のメディア４２が直線運動することを防止する一方、円筒状の突起６５２まわりのディスク形状のメディア４２の回転を許容するようにディスク形状のメディアの受け入れならびに保持を行い；かつ（２）ストロー（図示せず）を挿入することができるリッド６５０を貫通する通路を提供する。そのため、円筒状の突起６５２の内径は、そこをストローが通ることができるように充分に大きくなければならず、その一方、円筒状の突起６５２の外径は、円筒状の突起６５２とディスク形状のメディア４２の環状アパーチャが摩擦接触するように、ディスク形状のメディア４２の環状アパーチャの直径よりわずかに小さくなければならない。
【０１１９】
パッケージング・デバイス内のそのほかのエレメントとの接触によって円筒状の突起６５２上の定位置にディスク形状のメディア４２を保持することが可能であるが、好ましい実施態様においては、円筒状の突起６５２のエンドの、平坦なエンド６５４の周囲に少なくとも１つの隆起した突出部６５７が配置されており、その突起が作用してディスク形状のメディア４２が円筒状の突起６５２上の定位置に保持され、その一方においてディスク形状のメディア４２の自由な回転が許容されている。実際においては、ディスク形状のメディア４２が前記少なくとも１つの突出部６５７の上からスナップ嵌めされるが、これら全体の円筒状の突起６５２がプラスチック等の弾性材料から構成されていることから、突出部６５７および円筒状の突起６５２がわずかにたわんでディスク形状のメディア４２の装着を可能にし、その後オリジナルの形状に戻る。
【０１２０】
円筒状のリッド６５０内におけるディスク形状のメディア４２を、さらに、円筒状の突起６５２を囲む環状のオプションの環状ショルダ６５８によって支持してもよく、このショルダ６５８は、ディスク形状のメディア４２を円筒状のリッド６５０の内側表面６６０から離隔する。上側ショルダ６５８の高さは、ディスク形状のメディア４２と円筒状のリッド６５０の内側表面６６０の間における接触を制限するような高さとする必要がある。通常、表面６６０と当接するディスクの側はメディアを含んでなく、したがってショルダ６５８が不要になる。しかしながら、内側表面６６０と対向するディスク形状のメディア４２の側がディスクの『メディア側』となる場合、すなわち両面ディスクの場合には、このショルダ６５８が特に重要になる。
【０１２１】
円筒状のリッド６５０は、円筒状の突起６５２から離れた、円筒状のリッド６５０の内側表面６６０の周縁近傍を走る環状の棚６６２も備えている。棚６６２は、トップまたはピーク６６４を含んでおり、好ましい実施態様においてはそれが、円筒状の突起６５２の平坦なエンド６５４と同一平面になる。しかしながらここで認識される必要があるが、平坦なエンド６５４および棚トップ６６４の高さがディスク形状のメディア４２の厚さを超えている限り、それらが同一平面上である必要はない。環状の棚６６２は、部分的にはディスク形状のメディア４２のエッジに対する保護を提供するべく設計されており、したがってその直径は、ディスク形状のメディア４２の直径よりわずかに大きい。それに加えて、環状の棚６６２は、スカート６６６に印加される力を含め、カップ・リッド６５０の外側エッジに印加された力がディスク形状のメディア４２へ伝達されるときの緩衝として作用する。
【０１２２】
カップ・リッド６５０は、圧縮嵌めによる飲料容器への取り付けに適合されており、それにおいては、環状の棚６６２とカップ・リッド６５０のスカート６６６の間に作られるギャップ６６８内にカップ・リッド（図示せず）の上側エッジが挿入される。好ましい実施態様においては、カップ・リッド６５０が、いくらかの変形が可能なプラスチック材料からなり、カップの上にリッド６５０が載置されるときはスカート６６６がわずかに曲がるが、充分な弾性を有しており、その結果、定位ポジションに戻ろうとするスカート６６６によって印加される力は、容器に取り付けられたカップ・リッド６５０を維持する上で充分となる。ここで認識される必要があるが、カップ・リッド６５０が飲料容器に取り付けられている間にわたって環状の棚６６２がわずかに変形するように設計される以上は、ディスク形状のメディア４２と環状の棚６６２の間には充分なギャップが存在し、その結果、環状の棚６６２内における変形があっても、それがディスク形状のメディア４２のエッジと接触しないものとする必要がある。
【０１２３】
カップ・リッド６５０内にディスク形状のメディア４２を挿入した後、シーリング部材６７０が取り付けられ、このカップ・リッドが容器にあてがわれたときに、容器内に入れられている飲料がディスク形状のメディア４２に接触することを防止する。シーリング部材６７０は、本質的に防水性エレメントであり、棚トップ６６４および円筒状の突起６５２の平坦なエンド６５４に取り付けられる。好ましい実施態様においては、棚トップ６６４ならびに平坦なエンド６５４にシーリング部材６７０を取り付ける手段を熱シールとするが、ほかのシーリング手段も利用可能であり、それには、接着、圧縮シール嵌め（たとえば、嵌め合いトラップ・リングの下にスナップ嵌めされる可塑化厚紙）等が含まれる。しかしながら、ここで認識される必要があるが、どのようなシーリング手段が使用される場合であっても、シーリング部材６７０と棚トップ６６４ならびに平坦なエンド６５４の間のシールが液密であり、それらの間に作られるキャビティ６７２内に漏れあるいはこぼれがもたらされることを防止しなければならない。
【０１２４】
シーリング部材６７０は、飲料とディスク形状のメディア４２の間の接触を防止するための手段としての作用に加えて、突出部６５７と協働して、ディスク形状のメディア４２がカップ・リッド６５０の内側表面６６０から離れる方向に移動すること、さらにはカップ・リッドが飲料容器に取り付けられた後に、その中へ落ちることを防止する作用をもたらす。
【０１２５】
カップ・リッド６５０の円筒状の突起６５２をストローが貫通して容器内に入っている飲料へのアクセスを得られるように、シーリング部材６７０を貫通するための手段が前記シーリング部材の中心に備えられている。シーリング部材６７０を貫通するための手段は、ストローの通過を可能にするために、リッド開口６５６の直下に配置されなければならない。好ましい実施態様においては、前記貫通するための手段が、広く『キス・カット』と呼ばれている『Ｘ』形状の切り込み６７４である。『Ｘ』形状の切り込み６７４によって形成される三角形の『花弁状』の部分は、変形してストローがシーリング部材６７０を貫通できるように適合されている。このほかの貫通のための手段としては、円形の切り込み、さらにはストローの通過を可能にする充分な広さの開口を挙げることができる。
【０１２６】
しかしながらここで認識される必要があるが、貫通のための手段が使用されるときには、常に、シーリング部材６７０と円筒状の突起６５２の平坦なエンド６５４の間におけるシールの完全性を維持するために、切り込み６７４（もしくは開口）がその直径においてリッド開口６５６より小さくなければならない。切り込み６７４がリッド開口６５６の直径より大きく作られた場合、あるいはさらに深刻な問題であるが、円筒状の突起６５２の直径より大きく作られた場合には、ストローが切り込み６７４を貫通するときにキャビティ６７２の完全性が損なわれることがある。
【０１２７】
好ましい実施態様においては、シーリング部材６７０のエッジにプル‐タブ６７６が備えられ、ユーザは、それを用いてカップ・リッド６５０からシーリング手段６７０を取り外し、キャビティ６７２内に保管されているディスク形状のメディア４２へのアクセスを得ることができる。プル‐タブ６７６を引くことによって、シーリング手段６７０と棚トップ６６４ならびに平坦なエンド６５４の間のシールがはがれ、ディスク形状のメディア４２を取り出すことが可能になる。ディスク形状のメディア４２を取り出した後は、再びカップ・リッド６５０を飲料容器に取り付けることができる。ここで認識される必要があるが、プル‐タブ６７６をキャビティ６７２へのアクセスを得るための好ましい手段としているが、ストローが切り込み６７４を貫通したときに作られる『タブ』を、プル‐タブ６７６と同じ方法で使用できることから、それが必ずしも必要とされない。
【０１２８】
図３７〜３９Ｂには、本発明の別の実施態様が示されており、これは、ディスク形状のメディア４２を受け入れ、それに続いて飲料容器（図示せず）のカバーにかぶせることに適合された第１のメンバまたはウェファ７００を包含し、当該カバーはストローの挿入のための中心開口を有する種類であり、この種の容器は、映画館もしくはファースト・フード・レストラン等のベニューにおいて購入されることがある。ウェファ７００の中心には、円筒状の突起７０２が備わっており、それが２つの目的を満たす：すなわち（１）ディスク形状のメディア４２の平面と平行な方向においてディスク形状のメディア４２が直線運動することを防止する一方、円筒状の突起７０２まわりのディスク形状のメディア４２の回転を許容するようにディスク形状のメディアの受け入れならびに保持を行い；かつ（２）ストロー（図示せず）が挿入されるカバー中央のストロー受け開口に対応するウェファ７００を貫通する通路を提供する。そのため、円筒状の突起７０２の内径は、そこをストローが通ることができるように充分に大きくなければならず、その一方、円筒状の突起７０２の外径は、円筒状の突起７０２とディスク形状のメディア４２の環状アパーチャが摩擦接触するように、ディスク形状のメディア４２の環状アパーチャの直径よりわずかに小さくなければならない。また円筒状の突起７０２には、ストローの通過を可能にする開口７０３も含まれていなければならない。
【０１２９】
さらにディスク形状のメディア４２は、ウェファ７００内において、ウェファ７００の内側表面７０６からディスク形状のメディア４２を分離する、円筒状の突起７０２を囲む環状のショルダ・エレメント７０４によってディスク形状のメディアの平面と垂直な方向内における直線運動に抗して支持されている。環状のショルダ・エレメント７０４の高さは、ディスク形状のメディア４２とウェファ７００の内側表面７０６の間における接触を制限するような高さとする必要がある。
【０１３０】
これとは別の保護エレメント７０８が、飲料容器のカバーまたはその中の液体との接触からディスク形状のメディア４２のボトム表面を保護するために備えられる。この保護エレメント７０８は、ウェファ７００へかぶせられるように適合されており、ディスク形状のメディアが保持されるウェファ７００の内側エリアまたは第１のチャンバ７１０をシールする。保護エレメント７０８は、その中央に配置された、円筒状の突起を挿入することのできる円形のアパーチャ７１２も含んでいる。好ましい実施態様においては、アパーチャ７１２の直径が円筒状の突起７０２の外径と正確に同一であり、その結果、円筒状の突起をアパーチャに通して挿入する形で保護エレメントをウェファ７００上にマウントすれば、完全なシールが形成され、内側エリア７１０への物質の侵入、およびディスク形状のメディア４２に与えられる潜在的なダメージが防止される。実際上、保護エレメント７０８には、シールを強化するために、アパーチャ７１２の周囲にゴムまたはプラスチック等のシーリング物質を備えることができる。
【０１３１】
代替実施態様においては、円筒状の突起７０２上に第２の環状のシーリング・ショルダ７１６が備えられることがあり、この第２の環状のシーリング・ショルダは、保護エレメント７０８を支える追加の表面を提供する。円筒状の突起７０２と保護エレメント７０８の間の合計の接触表面積を増加することによって、これら２つの間のシールの有効性が高まり、したがってウェファ７００の内側エリア７１０内へ物質が侵入する可能性がさらに下がる。
【０１３２】
ここで認識される必要があるが、ウェファ７００へ保護エレメント７０８を取り付けるため、あるいはかぶせるために多様な手段を利用することができる。好ましい実施態様においては、図３９Ｂに示されているように、ウェファ７００が、その周囲に押し込みカラー７１４を有しており、その直径はディスク形状のメディア４２の外径より大きいが、保護エレメント７０８の外径よりわずかに小さい。したがって、保護エレメント７０８をウェファ７００内に押し込み、それがたわんで押し込みカラー７１４の下に入り、保護エレメント７０８のエッジ７１５とカラー７１４が係合することによってそれが定位置に保持される。それに代えて、保護エレメント７０８を、直径においてカラー７１４と等しく、もしくはそれより大きくし、接着剤を用いてそこにシールすることもできる。
【０１３３】
全体的な組み立て済み容器７１８は、ウェファ７００、ディスク形状のメディア４２、および保護エレメント７０８を含んでおり、飲料容器のカバーの中心のストロー開口に円筒状の突起７０２を挿入し、組み立て済み容器７１８をカバーの上に載置することによって、当該カバーに取り付けることができる。圧縮手段（図示せず）によって当該カバーに取り付けることができるスカートまたはカラー等の追加の取り付け手段を備えることもできる。
【０１３４】
図４０〜４１は、本発明の別の実施態様を示しており、この実施態様は、中心アパーチャ７５２を有するディスク形状のメディア４２を受け入れ、その後、ストローの挿入のための中心開口７５６を有する種類の飲料容器のカバー７５４にかぶせるべく適合された、第１の部材またはウェファ７５０を備えているが、この種の容器は、映画館もしくはファースト・フード・レストラン等のベニューにおいて購入されることがある。ウェファ７５０の中心には、円筒状の突起７５８が備わっており、それが２つの目的を満たす：すなわち（１）ディスク形状のメディア７７の平面と平行な方向においてディスク形状のメディア４２が直線運動することを防止する一方、円筒状の突起７５８まわりのディスク形状のメディア４２の回転を許容するようにディスク形状のメディアの受け入れならびに保持を行い；かつ（２）ストロー（図示せず）を挿入することができるカバー７５４中央のストロー受け開口７５６に対応するウェファ７５０を貫通する通路を提供する。そのため、円筒状の突起７５８には、ストローの通過を可能にする充分に大きな内径を有する通路７６０が含まれている。しかしながら、円筒状の突起７５８の外径は、円筒状の突起７５８とディスク形状のメディア７７の環状アパーチャ７５２が摩擦接触するように、ディスク形状のメディア４２の環状アパーチャ７５２の直径よりわずかに小さくなければならない。
【０１３５】
さらにディスク形状のメディア４２は、ウェファ７５０内において、ウェファ７５０の底壁７６５の内側表面７６４からディスク形状のメディア４２を離隔する、円筒状の突起７５８を囲む環状のショルダ・エレメント７６２によってディスク形状のメディアの平面と垂直な方向内における直線運動に抗して支持されている。環状のショルダ・エレメント７６２の高さは、ディスク形状のメディア４２とウェファ７５０の内側表面７６４の間における接触を制限するような高さとする必要がある。
【０１３６】
底壁７６５は、飲料容器のカバー７５４またはその中の液体との接触からディスク形状のメディア４２のボトム表面を保護するために備えられている。これとは別の保護エレメント７６６が、ウェファ７５０へかぶせるべく適合されており、ディスク形状のメディアが保持されるウェファ７５０の内側エリアまたは第１のチャンバ７６８をシールする。保護エレメント７６６は、中央に配置された、円筒状の突起を挿入することのできる貫通手段７７０も含んでいる。好ましい実施態様においては、貫通手段７７０の直径が円筒状の突起７５８の通路７６０の直径と実質的に同一であり、その結果、保護エレメント７６６を円筒状の突起７５８に取り付ける形で保護エレメント７６６をウェファ７５０上にマウントしたとき、貫通手段７７０および通路７６０の周囲に、ストローの挿入によって擾乱されない完全なシールが形成され、内側エリア７６８への物質の侵入、およびディスク形状のメディア７７に与えられる可能性のあるダメージが防止される。
【０１３７】
好ましい実施態様においては、前記貫通手段７７０は、広く『キス・カット』と呼ばれている『Ｘ』形状の切り込みである。たとえば、ストローの挿入等によって貫通手段７７０に圧力が印加されると、切り込みが破かれ、切り込みが『花弁状』に切り離されて、ストローが通る隙間ができる。当然のことながら、このほかの貫通手段７７０についても等しく有効であり、それには円形の切り込み、孔またはプル‐タブ等、多数のものが含まれる。
【０１３８】
ウェファ７５０の外側周縁の周囲には、立ち上げられたリム７７２が配置されており、それがさらにチャンバ７６８を画定するべく作用する。立ち上げられたリム７７２の直径は、ディスク形状のメディア４２が立ち上げられたリム７７２と接触することなくチャンバ７６８内に嵌り込むことができるように、少なくともディスク形状のメディア７７の直径より大きくなければならない。立ち上げられたリム７７２は、チャンバ７６８を画定することに加えて、ディスク形状のメディア７７がチャンバ７６８内に挿入されたときに、それがリム７７２のトップより下に収まり、その結果、リム７７２が、ウェファ７５０のエッジに印加される力からディスク形状のメディア４２を保護する作用ももたらすように、充分に高い高さを有している。さらに保護エレメント７６６が、立ち上げられたリム７７２をはじめ、円筒状の突起７５８に取り付けられ、チャンバ７６８を比較的安全に、かつ気密に保つ。
【０１３９】
保護エレメント７６６を円筒状の突起７５８ならびに立ち上げられたリム７７２に取り付けることのできる各種の方法が存在するが、好ましい実施態様においては、取り付けるための手段が、突起７５８ならびにリム７７２への保護エレメント７６６の熱シーリングからなる。それらの部材の取り付けに熱シーリングを使用することの１つの利点は、それによって作られるシールが確実かつ水密であり、したがってチャンバ７５８内に飲料がしみ込まない保証が得られることである。当然のことながら、ほかにも取り付けのための手段が存在し、接着剤の使用、圧縮シーリング・スナップ嵌め等も企図されている。
【０１４０】
好ましい実施態様においては、円筒状の突起７５８および立ち上げられたリム７７２の高さが相対的に等しく、同一平面となって、その上に保護エレメント７６６が取り付けられるが、これらの部材が同一の高さを有している必要はない。これらのエレメントが異なる高さを有することに関して与えられる唯一の限定は、円筒状の突起７５８ならびに立ち上げられたリム７７２のいずれもが、ディスク形状のメディア７７の厚さより高くなければならないということ、および保護エレメント７６６による両方のエレメントのシールが不可能になるほどそれらのエレメント間の高さに差があってはならないということである。
【０１４１】
全体的な組み立て済みウェファ７７４は、ウェファ７５０への保護エレメント７６６の取り付けによって作られるチャンバ７６８内にシールされるディスク形状のメディア４２を含んでおり、その後それを飲料容器のカバー７５４に取り付けることができる。取り付けは、カバー７５４内の開口７５６に関して行われ、円筒状の突起７５８を通る通路７６０が開口７５６と整列し、それによってストローの通路が円筒状の突起７５８および開口７５６を通り、飲料容器内へ至るようにする。ここで認識される必要があるが、組み立て済みウェファ７７４がカバー７５４の上に載置されることから、ウェファ７７４を、直径においてカバー７５４より大きく、あるいは小さくすることができる。したがって、実際上、任意サイズの飲料容器を本発明のウェファ７７４とともに使用することができる。
【０１４２】
ここで認識される必要があるが、取り付け手段をまったく使用することなくカバー７５４上に組み立て済みウェファ７７４を確実に取り付けることができる一方、多様な取り付け手段も存在する。たとえば、スカートまたはカラーを使用し、圧縮手段により組み立て済みウェファ７７４をカバー７５４に取り付けることができる。それに代えて（または、それに関連して）円筒状の突起７５８をウェファの底壁７６５のレベルより下方に延長してもよく、その場合には、カバー中心のストロー受け開口７５６内に対して円筒状の突起７５８の滑り挿入を行い、それによって組み立て済みウェファ７７４をカバー７５４上に据えることができる。
【０１４３】
図４２〜４５は、柱状の上側部分８０２および下側部分８０４を含むバスケット‐タイプの部材８００を備える本発明の別の実施態様を例示しており、それにおいては前記下側部分８０４がディスク形状のメディア４２以外の有形物の受け入れならびに保持に適合されている。バスケット‐タイプの部材８００は、引き延ばされた容器８０６内に滑り挿入されるべく適合されており、挿入後は、カバー８０８によって前記容器８０６内に確保される。ここで認識される必要があるが、バスケット‐タイプの部材８００は、引き延ばされた容器８０６内に挿入されることが意図されていることから、バスケット‐タイプの部材８００の下側部分８０４の外径は、容器８００によって画定されるチャンバ８１２内への開口８１０のより必然的に小さくなければならない。好ましい実施態様においては、バスケット‐タイプの部材８００の下側部分８０４の外径が、開口８１０およびチャンバ８１２の直径よりわずかに小さく、その結果、バスケット‐タイプの部材８００が容器８０６の内壁と摩擦接触し、それによってチャンバ８１２内においてバスケット‐タイプの部材８００がシフトすること、がたつきを生じること、および可能性としてその中に保管されるアイテムがダメージを受けることが防止される。
【０１４４】
ここで認識される必要があるが、容器８０６のリム８１３に対してカバー８０８を面一にできるように、バスケット‐タイプの部材８００は、容器８０６の高さより低くなければならない。当然のことながら、チャンバ８１２がディスク形状のメディア４２以外の有形物の保管に使用されることから、実際の使用においては、カバー８０８を取り外しておき、容器８０６内のバスケット‐タイプの部材８００を、図示していないが当業者には容易に認識される方法に従って、最初にチャンバ内に保管される前記その他の有形物の上に据えること、つまり、その他の有形物を下にしてバスケット‐タイプの部材８００を据えることが可能であり、その結果、バスケット‐タイプの部材８００の高さが容器８０６のリム８１３の上に出ることがある。そのような場合に、たとえば輸送等の理由から容器８０６をカバー８０８により閉じることが望ましいとされるのであれば、バスケット‐タイプの部材８００がリム８１３のレベルの下になるように、前記その他の有形物を取り除くだけで充分であり、その結果、カバー８０８を容器８０６に固定することができる。さらに、バスケット‐タイプの部材８００の下側部分８０４をその他の有形物の保管にも使用できることから、容器８０６をカバー８０８により閉じることが望ましい場合には、容器８０６内にバスケット‐タイプの部材８００を挿入したときに、前記下側部分の中に保管される前記その他の有形物が、リム８１３のレベルより上に出ないようにすることも認識される必要がある。
【０１４５】
中心支持構造８１４は、ディスク形状のメディア４２の受け入れならびに保持のために備わっている。前記支持構造８１４は、ディスク形状のメディア４２の中心の環状アパーチャ内への挿入に適合された少なくとも１つの支持突起８１６を備え、それによりディスク形状のメディア４２は、ディスク形状のメディア４２の平面と垂直な方向または平行な方向において直線運動することが防止されるが、支持構造８１４まわりのディスク形状のメディア４２の回転は許容される。支持構造８１４は、好ましい実施態様に示されているように柱状の上側部分８０２のトップに配置してもよく、あるいはカバー８０８の内側表面に配置してもよい。
【０１４６】
好ましい実施態様においては、支持突起８１６が少なくとも１つの突出部８１８を含み、さらにそれが作用して支持構造８１４の上にディスク形状の８２を保持し、かつ支持する。前記突出部８１８は、ディスク形状のメディア４２が突出部８１８を超えて支持突起８１６の上の定位置にスナップ嵌めされなければならないように、支持構造８１４の有効直径を、ディスク形状のメディア４２内のアパーチャの直径よりわずかに大きく拡張する。それが定位置に収まった後は、突出部８１８が、支持突起８１６からのディスク形状のメディアの脱落を防止するべく作用する。ディスク形状のメディア４２を取り外すためには、突出部８１８を超えてそれを引かなければならない。好ましい実施態様においては、前記支持突起８１６ならびに突出部８１８の機能を前提として、それらの構造が、変形可能であり、ディスク形状のメディアのアパーチャに与えるダメージを回避できるプラスチック等の弾性材料から構成される。
【０１４７】
バスケット‐タイプの部材８００に把持手段８２０を備えれば、容器８０６からバスケット‐タイプの部材８００の取り出しを容易にすることができる。前記把持手段は、図４２に示されているような柱状の上側部分８０２内のフィンガ形状の開口、あるいはそれに代えてハンドルもしくはストラップから構成することができる。
【０１４８】
バスケット‐タイプの部材８００の下側部分８０４のまわりには、鉛筆、ペン、マーカ、クレヨン等のアイテムの受け入れならびに保持に適合された複数のレセプタクル８２２（図４２〜４５に示されている実施態様においては、それらがシャフトである）が備わっている。下側部分８０４は、任意のサイズもしくは形状とすることができるが、好ましい実施態様においては双曲線断面となり、その周囲に前記レセプタクル８２２が配置されていることから、レセプタクル８２２の寸法が、下側部分８０４の中心の垂直軸からの距離に応じて変化する。クレヨンまたは消しゴムといった小さめの物体の保管には、より小さいレセプタクル８２２がより適切となり、鉛筆および定規といった大きめの物体には、より大きなレセプタクル８２２が適することになると見られる。
【０１４９】
下側部分８０４は、そのベースに垂直の環状保持壁８２４を含むこともあり、その保持壁８２４は、バスケット‐タイプの部材８００内に保管されるその他の有形物を保持し、かつ前記有形物が容器８０６のチャンバ８１２からこぼれ落ちることを防止する作用をもたらす。保持壁８２４の高さは、バスケット‐タイプの部材８００の高さによってのみ制限される。実際に、保持壁８２４の高さが柱状の上側部分８０２のトップの支持突起８１６の高さと同じになる場合には、保持壁８２４からディスク形状のメディア４２を保護する作用を提供することもできる。その種の例においては、外側に広がるリップ８２６を保持壁８２４に備えてもよく、その場合にリップ８２６は、容器８０６のリム８１３との係合に適合されて、バスケット‐タイプの部材８００がチャンバ８１２内に入りすぎることを防止する。しかしながら、ここれ認識される必要があるが、その種のリップ８２６は、カバー８０８が取り付けられたときにカバー８０８とリップ８２６ならびに容器８０６の間の面一の接触を確保するために、容器８０６のリム８１３を超えて延びてはならない。
【０１５０】
たとえばアイテムが郵送される場合に、保持壁８２４が容器８１２のベースを堅固にする追加の機能を果たすように設計することもできる。その種の代替実施態様においては、カバー８０８を、輸送プラグの形式とすることもできる。
【０１５１】
さらに追加すれば、カバー８０８およびそれに続いて側壁８２８を取り外し、ユーザの手元にバスケット８０４が残るように容器８０６の側壁８２８を取り外し可能かつ破棄可能とすることができる。例として、柱８０２からのディスク８２の取り外しを伴うか、あるいは伴わずにアクセス可能なツール用（もしくは、ゲームの部品、人形、香辛料等）の回転トレーが挙げられる。
【０１５２】
すでに述べたように、バスケット‐タイプの部材８００の高さは、容器８０６の高さによって制限を受ける。しかしながら、バスケット‐タイプの部材８００の高さを非常に短くすることもできる。実際に、その種の高さの制限は、柱８０２上のディスク形状のメディア４２を受け入れ、そのメディア側がバスケット８００内に収められるアイテムから保護される充分な高さでなければならないことだけである。したがって、リップ８２６を備える浅いバスケット‐タイプの部材８００を使用して、バスケット自体の中の小さいアイテムの上に隣接させて柱８０２上にディスク形状のメディア４２を受け入れて保持し、それによりチャンバ８１２のほとんどの部分をバスケット８００の下に入れるその他の有形物用に解放することができる。
【０１５３】
図４２〜４５に示されているこの新しいパッケージング・デバイスは、円筒容器と組み合わせたとき、子供の絵ならびに手芸道具および関連ＣＤ‐ＲＯＭ等のディスク・メディアならびに関連有形物のための保管容器として特に適したものとなる。使用後は、作品ならびに手芸道具をバスケット８００内に配置し、ＣＤ‐ＲＯＭを支持構造８１４上に再マウントし、バスケット‐タイプの部材８００を容器８０６内に挿入し、カバー８０８を容器８０６に取り付けてチャンバ８１２をシールするといったことを容易に行うことができる。このようにこのパッケージング・デバイスは、子供部屋の棚の上に維持しておくことの可能な効果的かつ魅力的な保管容器となる。キッチン、オフィス、家族部屋、仕事部屋等におけるほかのアイテムを伴う類似の利用についても企図されている。
【０１５４】
図４６Ａ〜５０には、第１の部材、すなわちディスク形状のメディア４２を受け入れ、かつそれに続いて容器（図示せず）のカバーへかぶせることに適合された部材８５０を備える本発明の追加の実施態様が示されており、それにおいて当該容器は、任意のサイズにすることができるが、好ましくは円形もしくは丸いトップもしくはカバーを有するものとする。部材８５０の中心には、円筒状の突起８５２が備えられ、それが部材８５０によって形成されるキャビティ８５４内においてディスク形状のメディア４２を受け入れ、かつ保持することによってディスク形状のメディア４２を安定した状態に維持するという目的を果たし、その結果、ディスク形状のメディア４２は、ディスク形状のメディア４２の平面に対して平行な直線運動が防止される一方、円筒状の突起８５２を回るディスク形状のメディア４２の回転が許容される。そのため、ディスク形状のメディア４２がディスク形状のメディア４２内の環状アパーチャと摩擦接触できるように、円筒状の突起８５２の外径をディスク形状のメディア４２の環状アパーチャの直径よりわずかに小さくしなければならない。
【０１５５】
さらにディスク形状のメディア４２は、部材８５０内において、部材８５０の内側表面８５６からディスク形状のメディア４２を離隔する、円筒状の突起８５２を囲む環状のショルダ・エレメント８５５によってディスク形状のメディアの平面と垂直な方向内における直線運動に抗して支持されている。この環状のショルダ・エレメント８５５の高さは、ディスク形状のメディア４２と部材８５０の内側表面８５６の間における接触を制限するような高さとする必要がある。しかしながら、上側の内側表面８５６と接触することになるディスク形状のメディア４２の表面がメディア表面とならないことも多く、その限りにおいては、環状のショルダ・エレメント８５５が本発明の必須要素とならない。
【０１５６】
これとは別の保護エレメント８５８を、外来物質との接触からディスク形状のメディア４２のボトム表面を保護するために備えることができる。前記保護エレメント８５８は、部材８５０へかぶせて、ディスク形状のメディアが保持される部材８５０のチャンバ８６０の内側エリアをシールするように適合されている。図４６Ａ〜４６Ｃに示されている実施態様においては、保護エレメント８５８が、厚紙またはプラスチックといった、ある程度の可撓性を持った硬質もしくは半硬質の材料から作られる。その種の実施態様における保護エレメント８５８は、チャンバ８６０をシールし、その中に保管されているディスク形状のメディア４２を保護するべく、部材８５０へスナップ嵌めされることが意図されている。また保護エレメント８５８には、チャンバ８６０からディスク形状のメディア４２が滑り落ちることを防止する作用もある。ディスク形状のメディア４２へのアクセスを得るためには、保護エレメント８５８をわずかに曲げて部材８５０から取り外すことができる。
【０１５７】
図４６Ａ〜４６Ｃは、保護エレメント８５８を添えるための３つの代替手段を例示している。図４６Ａにおいては、保護エレメント８５８が、部材８５０の内壁８６４から延びている少なくとも１つの壁の突出部８６２によって受けられ、かつ保持される。前記壁の突出部８６２は、内壁８６４から延びる複数の離散的な突起、あるいはそれに代えて数の限られたより長い棚タイプの突起から構成することができる。これに代えて図４６Ｂに示されているように、中心に配置される円形アパーチャ８６６を保護エレメント８５８に備え、そこに円筒状の突起８５２が挿入されるようにすることもできる。その種の実施態様においては、円筒状の突起８５２のトップから延びる少なくとも１つの中心支持突出部８６８によって保護エレメント８５８が受けられ、かつ保持されることが意図されている。中心支持突出部８６８は、円筒状の突起８５２から延びる複数の離散的な突起、あるいはそれに代えて限られた数のより大きな棚タイプの突起から構成することができる。これら両方の取り付け手段の組み合わせが図４６Ｃであり、この実施態様は、中心支持突出部８６８だけでなく壁の突出部８６２をともに備えている。
【０１５８】
図４６Ａ〜４６Ｃに示されている実施態様（をはじめ、図４７Ａ〜４７Ｃおよび図４９に示されている実施態様）においては、保護エレメント８５８のサイズが、実質的にチャンバ８６０への開口と同じであり、その結果、保護エレメントが部材８５０にマウントされたとき、円筒状の突起８５２がアパーチャ８６６内に挿入されるか否かによらず、シールが形成され、チャンバ８６０への物質の侵入、およびディスク形状のメディア４２に与えられる可能性のあるダメージが防止される。
【０１５９】
ここで認識される必要があるが、部材８５０への保護エレメント８５８の取り付けまたは添付に使用可能な方法には多様なものが存在する。図４７Ａ〜４７Ｃに例示されている実施態様においては、チャンバ８６０内にディスク形状のメディア４２をシールするために、保護エレメント８５８が部材８５０への熱シーリングの可能なフォイルまたはプラスチック材料からなる。図４６Ａ〜４６Ｃに示されている実施態様については、このシールを、保護エレメントの周縁８７０、その中心８７２、もしくはそれら両方に沿った部材８５０への熱シーリングとすることができる。しかしながらここで認識される必要があるが、これらの代替実施態様のそれぞれにおいては、保護エレメント８５８のサイズが少なくとも部材８５０内のチャンバ８６０への開口と同じである必要がある。その種の実施態様においてフォイルの保護エレメント８５８が開口より大きく作られる場合には、保護エレメント８５８と部材８５０の間のシールをはがすときに保護エレメント８５８をつかむための部分として、材料の余剰部分を使用することができる。それに代えて、熱シーリングが行われる容器（ヨーグルトの容器等）において通常に見られるタイプのプル‐タブ８７４を使用して保護エレメント８５８をはがすようにすることもできる。
【０１６０】
ここで理解される必要があるが、コスト等の理由から、また特定の応用においては、チャンバ８６０を閉じる必要がないことから、保護エレメント８５８のサイズを、たとえばディスク形状のメディア４２のアパーチャよりわずかに大きくなる程度に縮小することも可能であり、この、より小さい保護エレメント８５８は、突出部８６８の下にスナップ嵌めされるか、あるいは突出部８７８に接着されるかによらず、突起４０２上にディスクを『保持』することになる。それに代えて、内壁８６４が、シーリング部材８５８の受け入れに適合されたくぼみまたはスロットを備え、チャンバ８６０内において前記部材を固定するようにしてもよい。好ましい実施態様においては、前記スロットの厚さがシーリング部材８５８の厚さよりわずかに大きく、その中でのシーリング部材の『がたつき』が抑えられる。その種の実施態様においては、シーリング部材がタブを備えるか、それに代わるノッチ付きのくぼみもしくは『フィンガ・プル』を備え、シーリング部材８５８の取り外しを容易にするべきである。
【０１６１】
図４７Ａに示されているように実質的に平面となる環状の棚８７６に、フォイルの保護エレメント８５８の熱シールまたはそのほかの接着（たとえば、接着剤を使用して）を行うことができるが、この棚は、部材８５０の内側周囲を走り、部材８５０の内壁８６４から延びている。それに代えて、円筒状の突起８５２のエンドに位置する中心プラットフォーム８７８に対して保護エレメント８５８の熱シールまたは接着を行ってもよく、その場合のプラットフォーム８７８は、上に保護エレメント８５８が載る実質的に平坦な表面を提供する。その種の実施態様を図４７Ｂに示す。これらの取り付け手段の組み合わせを図４７Ｃに例示する。
【０１６２】
図４８および５０は、保護エレメント８５８の使用に代えて、２つの相補的な部材を使用して確実なチャンバ８６０を作り出す実施態様を示している。図４８は、上側部材８８０および相補的な下側部材８８２の使用を例示しており、これらは互いに嵌り込んで、ディスク形状のメディア４２を保管するためのチャンバ８６０を作り出す。上側部材８８０および下側部材８８２は、下側部材８８２の内側表面から延びる下側の内よりの壁８８４と、それに対応する上側部材８８０の内側表面から延びる上側の内よりの壁８８６の間における摩擦接触によって互いに取り付けられる。好ましい実施態様においては、下側部材８８２の下側の内よりの壁８８４の外側表面８８８が上側部材８８０の上側の内よりの壁８８６の内側表面８９０と接触するように、下側の内よりの壁８８４に上側の内よりの壁８８６が挿入される。この種の摩擦接触は、部材８５０の中心からチャンバ８６０内への外来物質の侵入を排除する。
【０１６３】
また上側部材８８０および下側部材８８２は、相互作用する外よりの壁８９２、８９４を備えており、上側部材８８０に下側部材８８２が取り付けられるときに、それらも摩擦接触する。これは、部材８５０のエッジからチャンバ８６０内への外来物質の侵入を排除する。さらに、この種の、上側の外よりの壁８９２と下側の外よりの壁８９４の間における摩擦接触に加えた、下側の内よりの壁８８４と上側の内よりの壁８８６の間の摩擦接触は、中にディスク形状のメディアを保管することのできる実質的に気密のチャンバ８６０を作る作用をもたらす。
【０１６４】
上記に代えて、図５０に示されるように、ヒンジ８９６によって相補エレメントの取り付けを行うことができる。この種の実施態様においては、上側部材８８０もしくは下側部材８８２のいずれかに、ディスク形状のメディアを受け入れて保持するための円筒状の突起８５２を形成してもよい。対向する部材８８０、８８２は、ヒンジ８９６によって互いに取り付けられ、そのヒンジによって、二枚貝タイプの容器のように２つの部材が開閉することが可能になる。図５０に示されている実施態様においては、下側部材８８２のサイズが、上側部材８８０内に嵌り込むように設定されており、少なくとも１つの突起８９８との係合によって閉じたポジションに保持される。
【０１６５】
部材８５０の実施態様とは無関係に、すなわちそれが図５０に示されているような二枚貝タイプであるか、あるいは図４８に示されているような２つの嵌め合い部材であるか、もしくは図４６Ａ〜４６Ｃに示されているようなスナップ嵌めにより定位置に収まる硬質の保護エレメント８５８を有しているか、あるいは図４７Ａ〜４７Ｃに示されているような熱または接着剤によりシールされる保護エレメント８５８を有しているかによらず、部材８５０を別の物体、たとえば容器に取り付けるための多様な方法が存在する。たとえば、部材８５０を接着、スナップ、ストラップ、ホックおよびループ・ファスナ、あるいはそのほか類似の取り付け手段を用いて別の物体に直接取り付けることができる。それに代えて、熱シール・プラスチックにより、あるいはブリスタ・パッケージングによって部材８５０を取り付けることもできる。
【０１６６】
部材８５０のサイズおよびそれが取り付けられる容器のサイズは無関係である。部材８５０が容器より大きい場合には、部材８５０のボトムに容器を直接取り付けることができる。部材８５０が容器より小さい場合には、図４９に示されているように、部材８５０の外側表面にスカート８９９を備えればよく、このスカート８９９が部材８５０の有効サイズを拡張する作用をもたらす。前記スカート８９９を、容器の上の従来的な突出リップまたはリムの下側にスナップ嵌めに使用することもでき、その結果、スカート８９９と容器のリップの間における相互作用によって、容器単独で部材８５０の取り外し可能な取り付けができるようになる。
【０１６７】
図５１および５２には、第１の部材、すなわちディスク形状のメディア４２を受け入れ、かつそれに続いて容器９０４のカバーまたは取り外し可能なリッド９０２へかぶせることに適合された部材９００を備える本発明の追加の実施態様が示されており、それにおいて当該容器９０４は、任意のサイズにすることができるが、好ましくは円形もしくは丸いトップもしくはカバーを有するものとする。部材９００の中心には、円筒状の突起９０６が備えられ、それが部材９００によって形成されるキャビティ９０４内においてディスク形状のメディア４２を受け入れ、かつ保持することによってディスク形状のメディア４２を安定した状態に維持するという目的を果たし、その結果、ディスク形状のメディア４２は、ディスク形状のメディア４２の平面に対して平行な直線運動が防止される一方、円筒状の突起９０６を回るディスク形状のメディア４２の回転が許容される。そのため、ディスク形状のメディア４２がディスク形状のメディア４２内の環状アパーチャと摩擦接触できるように、円筒状の突起９０６の外径をディスク形状のメディア４２の環状アパーチャの直径よりわずかに小さくしなければならない。
【０１６８】
さらにディスク形状のメディア４２は、部材９００内において、部材９００の内側表面９１２からディスク形状のメディア４２を離隔する、円筒状の突起９０６を囲む環状のショルダ・エレメント９１０によってディスク形状のメディアの平面と垂直な方向内における直線運動に抗して支持されている。この環状のショルダ・エレメント９１０の高さは、ディスク形状のメディア４２と部材９００の内側表面９１２の間における接触を制限するような高さとする必要がある。しかしながら、内側表面９１２と接触することになるディスク形状のメディア４２の表面がメディア表面とならないことも多く、その限りにおいては、前記環状のショルダ・エレメント９１０が本発明の必須要素とならない。
【０１６９】
環状のショルダ・エレメント９１０に加えて、円筒状の突起９０６に少なくとも１つの突起９１４を備えてもよく、この突起９１４は、ディスク形状のメディア４２を円筒状の突起９０６上に保持する作用をもたらし、環状のショルダ・エレメント９１０が存在する場合には、好ましくはその種のエレメントと接触させてその保持を行う。突起９１４は、ショルダ・エレメント９１０の有効直径を、ディスク形状のメディア４２の内径よりわずかに大きく増加する作用をもたらし、その結果、突起９１４を超えてディスク形状のメディア４２をスナップ嵌めしなければならない。
【０１７０】
ディスク形状のメディア４２は、一方の側における内側表面９１２およびショルダ・エレメント９１０（存在する場合）と、他方の側における突起９１４および容器９０４のカバー９０２の間の相互作用によって、第１の部材９００のキャビティ９０８内に保持される。
【０１７１】
ここで認識される必要があるが、ディスク形状のメディア４２を中に挿入するために、キャビティ９０８の高さが少なくともディスク形状のメディア４２の厚さに等しくなければならない。そのため、キャビティ９０８の周囲を画定する直立した側壁９１６は、突起９１４およびショルダ・エレメント９１０のいずれかもしくは両方が備わる場合にはそれらの厚さと、ディスク形状のメディア４２の厚さを加えたより高くなければならない。好ましい実施態様においては、直立した側壁９１６の高さが、部材９００のプロファイルを可能な限りスリムに保つために、可能な限り薄く維持されるものとする。
【０１７２】
部材９００が容器９０４の直径もしくは外側の寸法を超えない直径もしくは外側の寸法を有していなければならないということを除けば、部材９００とそれが取り付けられる容器９０４のサイズならびに形状は無関係である。好ましい実施態様においては、部材９００の有効直径または外側の寸法が横方向スペーシング手段またはスカート９１８によって拡張される。当該好ましい実施態様におけるスカート９１８は、容器９０４の従来的な突出リップまたはリム９２０の下側にスナップ嵌めされ、その結果、スカート９１８と容器のリップ９２０の間における相互作用によって、容器単独で部材９００の取り外し可能な取り付けができるようになる。スカート９１８は、容器９０４のジオメトリに対応したサイズに設定される。代替実施態様においては、オプションのセーフティ・シール９２２も備えられ、前記セーフティ・シール９２２は、容器９０４へ第１の部材９００を取り付ける作用をもたらす。さらに別の実施態様においては、たとえば容器９０４の形状が円筒状でない場合に、スカート９１８をリップ９２０の下側へのスライド係合に適応させることができる。
【０１７３】
図５２は、セーフティ・シール９２２を使用し、容器９０４の代わりに本９２４に第１の部材が取り付けられる代替実施態様を示している。
【０１７４】
図５３は、本発明のさらに別の実施態様であり、それにおいては突起９１４が、内側ではなく外側に延びている。図５４には、セーフティ・シール９２２を必要としない本９２４への第１の部材の取り付けが例示されており、それにおいては第１の部材がスリーブを包含している。図５５は、保護エレメントの取り付けを示している。
【０１７５】
図５６〜５９Ｃには、ディスク形状のメディア４２の受け入れ、かつそれに続いて容器（図示せず）のカバーへかぶせることに適合された第１の部材９５０を備える本発明の追加の実施態様が示されており、それにおいて当該容器は、任意のサイズにすることができるが、好ましくは円形もしくは丸いトップもしくはカバーを有するものとする。第１の部材９５０は、中にディスク形状のメディア４２が保持されるキャビティ９５２を画定する。前記キャビティ９５２は、上方が内側表面９５４により、側方が側壁９５６により境界が定められる。ここで認識される必要があるが、キャビティ９５２、したがって、第１の部材９５０は、ディスク形状のメディア４２を曲げることなく嵌め込み、かつディスク形状のメディア４２と側壁９５６の間に過剰な接触をもたらすことのないように、直径ならびに厚さにおいてディスク形状のメディア４２より大きくなければならない。
【０１７６】
ディスク形状のメディア４２は、上側表面４３を含んでおり、通常はそこにグラフィック、アートワーク、テキスト、またはそれらの組み合わせが含まれている。それに対してディスク形状のメディア４２のメディア表面４５は、その種のアートワークまたはテキストを含まず、また前記メディア表面４５に対するダメージを回避するために、前記メディア表面４５とほかの物体、特にとがった物体または鋭利な物体との接触を避けなければならない。
【０１７７】
図５６〜５７Ｂに示されている実施態様においては、上側表面４３に塗布される不堅牢性の糊またはそのほかの接着剤９５８によって、ディスク形状のメディア４２が内側表面９５４に、直接、取り外し可能に取り付けられている。前記不堅牢性の糊９５８は、第１の部材９５０の内側表面９５４に対して、ディスク形状のメディア４２にダメージを与えることなく上側表面４３を取り外し可能に接着する。好ましい実施態様においては、第１の部材９５０の少なくとも一部が、プラスチック等の透明もしくは半透明の材料からなり、その材料によって、内側表面９５４にディスク形状のメディア４２が糊付けされたときに、チャンバ９５２内のディスク形状のメディアの少なくとも一部を見ることができる。上側表面４３の妨害を防止するために、理想的には不堅牢性の糊９５８を透明とするか、それに代えて第１の部材９５０の透明部分と同じ屈折率を持たせる必要がある。
【０１７８】
これとは別の環状の保護エレメント９６０を、外来物質との接触からディスク形状のメディア４２のメディア表面４５を保護するために備えることができる。前記保護エレメント９６０は、中にディスク形状のメディア４２が保持される部材９５０の内側のチャンバ９５２をシールするように部材９５０へかぶせることに適合されている。図５７Ａおよび５８Ａに示されている実施態様においては、保護エレメント９６０が、チャンバ９６０内のディスク形状のメディア４２をシールするために部材９５０に対して熱シーリングを行うことのできるフォイルまたはプラスチック材料から作られる。このシール９６０は、部材の外側周縁９６２に沿って部材９５０への熱シーリングを行うことが可能であり、当該周縁９６２はチャンバ９５２への開口９６４を画定する。その種の実施態様においては、保護エレメント９６０のサイズが、少なくともチャンバ９５２への開口９６４のサイズに等しい必要がある。その種の実施態様においてフォイルの保護エレメント９６０が開口より大きく作られる場合には、保護エレメント９６０と部材９５０の間のシールをはがすために保護エレメント９６０をつかむ部分として材料の余剰部分を使用することができる。それに代えて、熱シーリングが行われる容器（ヨーグルトの容器等）において通常に見られるタイプのプル‐タブ９６６を使用して保護エレメント９６０をはがすようにすることもできる。
【０１７９】
図５７Ｂおよび５８Ｂに示されている代替実施態様においては、保護エレメント９６０が、厚紙またはプラスチックといった、ある程度の可撓性を持った硬質もしくは半硬質の材料から作られる。その種の実施態様における保護エレメント９６０は、チャンバ９６０をシールし、その中に保管されているディスク形状のメディア４２を保護するべく、部材９５０へスナップ嵌めされることが意図されている。ディスク形状のメディア４２へのアクセスを得るためには、保護エレメント９６０をわずかに曲げて部材９５０から取り外すことができる。
【０１８０】
この種の実施態様において部材９５０内に保護エレメント９６０をかぶせるために利用できる手段には多様なものが存在し、部材９５０の側壁９５６から延びる少なくとも１つの壁の突出部９６８の使用もそれに含まれる。前記壁の突出部９６８は、側壁９５６から延びる複数の離散的な突起、あるいはそれに代えて数の限られたより長い棚タイプの突起から構成することができる。これに代えて、側壁９５６の周囲を走るトラックまたはスロットを含めてもよく、前記スロットは、保護エレメント９６０の受け入れに適合される。
【０１８１】
図５７Ｂおよび５８Ｂに示されている実施態様においては、保護エレメント９６０のサイズが、チャンバ９６０への開口のサイズと実質的に同じであり、その結果、保護エレメントを部材９５０上にマウントしたときにシールが構成され、チャンバ９６０への物質の侵入、およびディスク形状のメディア４２に与えられる可能性のあるダメージが防止される。
【０１８２】
代替実施態様においては、図５８Ａおよび５８Ｂに例示されているように、ディスク形状のメディア４２が、不堅牢性の糊９５８もしくはそのほかの手段によって内側表面９５４に取り付けられない。むしろチャンバ９５２内においてディスク形状のメディア４２が自由に『遊動』することが許容される。この種の実施態様においては、保護エレメント９６０はまた、ディスク形状のメディア４２がチャンバ９５２から滑り出さないよう作用する。この実施態様においては、メディア表面４５が保護エレメント９６０と接触することから、その種の保護エレメント９６０の表面は、可能な限り滑らかであり、かつ鋭い突起がなく、メディア表面４５へのダメージが防止されるべく作られる必要がある。
【０１８３】
図５９〜５９Ｃには、本発明のさらに別の実施態様が示されているが、それにおいては、部材９５０の中心に内側表面９５４から延びる円筒状の突起９７０が備わっており、この円筒状の突起９７０がディスク形状のメディア４２を受け入れ、かつ保持することによって、部材９５０によって形成されるキャビティ９５２内にディスク形状のメディア４２を安定した状態に維持するという目的を果たし、その結果、ディスク形状のメディア４２の、ディスク形状のメディア４２の平面に対して平行な直線運動が防止されるが、その一方では円筒状の突起９７０を回るディスク形状のメディア４２の回転が許容される。そのため、ディスク形状のメディア４２がディスク形状のメディア４２内の環状アパーチャと摩擦接触できるように、円筒状の突起９７０の外径をディスク形状のメディア４２の環状アパーチャの直径よりわずかに小さくしなければならない。
【０１８４】
保護エレメント９６０をあてがうことによって、円筒状の突起９７０からディスク形状のメディア４２が滑り落ちることが防止される。その種の実施態様においては、保護エレメント９６０が中心開口９７２を有するが、前記中心開口は円筒状の突起９７０に対応している。中心開口９７２の直径は、円筒状の突起９７０の直径よりわずかに小さく、その結果、それらの間における摩擦接触によって保護エレメント９６０が円筒状の突起９７０上に固定される。好ましい実施態様においては、開口９７２の周囲に複数の短い切り込み９７４が設けられ、前記切り込み９７４が、開口の周囲に配置される複数の可撓性のあるタブ９７６を作り出す。前記タブ９７６は、図５９Ｂならびに５９Ｃに示されているように曲がり、円筒状の突起９７０を把持することによって、円筒状の突起９７０上に保護エレメント９６０を固定する摩擦力をさらに増加する。図５９Ｂにおいては、タブ９７６の屈曲が比較的小さく、タブ９７６が円錐の断面形状となるが、図５９Ｃにおいては、タブ９７６の屈曲がさらに大きく、タブ９７６が円筒状の突起９７０と面一になるまで曲がっている。
【０１８５】
この実施態様においては、タブ９６６（図示せず）の使用、あるいは、より好ましくフィンガ・ホールド９７８の使用によって保護エレメント９６０を取り外すことが可能であり、前記フィンガ・ホールド９７８は、ユーザが保護エレメント９６０を取り外すためにその裏側に指を滑り入れることのできる充分な大きさを持った保護エレメント９６０内のギャップまたはスロットである。
【０１８６】
さらにディスク形状のメディア４２は、部材９５０内において、部材９５０の内側表面９５４からディスク形状のメディア４２を離隔する、円筒状の突起９７０を囲む環状のショルダ・エレメント９８０によってディスク形状のメディアの平面と垂直な方向内における直線運動に抗して支持されている。この環状のショルダ・エレメント９７２の高さは、ディスク形状のメディア４２と部材９５０の内側表面９５４の間における接触を制限するような高さとする必要がある。
【０１８７】
部材９５０の実施態様によらず、容器等のほかの物体に部材９５０を取り付けるために利用できる多様な手段が存在する。たとえば、部材９５０を、接着、スナップ、ストラップ、ホックおよびループ・ファスナ、あるいはそのほか類似の取り付け手段を用いて別の物体に直接取り付けることができる。それに代えて、熱シール・プラスチックにより、あるいはブリスタ・パッケージングによって部材９５０を取り付けることもできる。
【０１８８】
さらに別の代替実施態様においては、不堅牢性の糊９５８を使用することによって容器のトップにディスク形状のメディア４２が直接貼り付けられ、その後、ドーム型のトップ部材９５０をあてがうか、それに代えて熱シールもしくは収縮ラップを用いることによってその上に保持される。
【０１８９】
以上、本発明を、その好ましい形態に対する特定の参照とともに説明してきたが、付随する特許請求の範囲によって定義される本発明の精神ならびに範囲から逸脱することなく、その中での各種の変更および修正が可能であることは明らかであろう。
【図面の簡単な説明】
【０１９０】
【図１】環状のリングならびにリップを伴うワン‐ピースの環状のカラー部材の使用を例示した、リッドならびにメディアが取り外された状態の、本発明の新しいディスク・パッケージング・デバイスの分解斜視図である。
【図２】リッドが容器上に装着されて、結果として得られる第１および第２のチャンバを例示した、図１に示されている新しいディスク・パッケージング・デバイスの一部の、Ａ‐Ａ線に沿ったカット‐アウェイ横断面図である。
【図２Ａ】第１と第２のチャンバの間に保護エレメントが介挿される、図２に示されているデバイスの代替実施態様を示した断面図である。
【図２Ｂ】第１と第２のチャンバの間における保護エレメントの別の介挿方法を示した、図２Ａに示されているデバイスの代替実施態様を示した断面図である。
【図２Ｃ】第１と第２のチャンバの間における保護エレメントのさらに別の介挿方法を示した、図２Ａに示されているデバイスのさらに代替実施態様を示した断面図である。
【図３】容器の内壁に添えられるアバットメントおよび突出部の代替使用を例示した、本発明の新しいディスク・パッケージング・デバイスの上面図である。
【図３Ａ】ディスク・メディアならびにその他の有形物が挿入され、リッドがかぶせられた図３に示されているデバイスの一部の、Ｂ‐Ｂ線に沿ったカット‐アウェイ横断面図である。
【図３Ｂ】図３のアバットメントおよび突出部に代わるカバーのベースの直立したリムおよび内壁の代替使用を例示した、本発明の新しいディスク・パッケージング・デバイスの代替実施態様のカット‐アウェイ横断面図である。
【図３Ｃ】図３のアバットメントおよび突出部に代わるカバーの外側表面と補助カバーの内側表面の代替使用を例示した、本発明の新しいディスク・パッケージング・デバイスの代替実施態様のカット‐アウェイ横断面図である。
【図４】スポークから懸架されるディスク・メディア用の中心環状ポスト・サポートの代替使用を例示した、本発明の新しいディスク・パッケージング・デバイスの上面図である。
【図４Ａ】ディスク・メディアならびにその他の有形物が挿入され、リッドがかぶせられた図４に示されているデバイスの、Ｃ‐Ｃ線に沿ったカット‐アウェイ横断面図である。
【図５】容器の側壁によって担持されるフレームから延びる、ディスク・メディア用の中心サポートを提供するフィンガを例示した本発明の新しいディスク・パッケージング・デバイスの上面図である。
【図５Ａ】ディスク・メディアならびにその他の有形物が挿入され、リッドがかぶせられた図５に示されているデバイスの、Ｄ‐Ｄ線に沿ったカット‐アウェイ横断面図である。
【図６Ａ】デバイスの外側の壁にディスク・メディア支持部材をマウントするための２つの異なる方法を例示した、本発明のパッケージング・デバイスの代替実施態様の断面図である。
【図６Ｂ】デバイスの外側の壁にディスク・メディア支持部材をマウントするための２つの異なる方法を例示した、本発明のパッケージング・デバイスの代替実施態様の断面図である。
【図７】ディスク・メディアならびにその他の有形物が挿入され、かつ保護エレメントが挿入されてリッドが閉じられて、カバー内にディスク・メディアが保存される第１のチャンバを備える、本発明の代替実施態様の横断面図である。
【図７Ａ】カバーの内側表面に貼り付けられる保護エンベロープ内にディスク・メディアが挿入される、図７に示されているデバイスの代替実施態様のカット‐アウェイ横断面図である。
【図８】図７に示されている実施態様の『リッド』をベースとして使用し、それによって本発明の第２のチャンバを画定する部分を規則的でない形状（図８）もしくは変形可能な構造（図８Ａ）とすることを可能にする例を示した、本発明の代替実施態様の部分的なカット‐アウェイ断面図である。
【図８Ａ】図７に示されている実施態様の『リッド』をベースとして使用し、それによって本発明の第２のチャンバを画定する部分を規則的でない形状（図８）もしくは変形可能な構造（図８Ａ）とすることを可能にする例を示した、本発明の代替実施態様の部分的なカット‐アウェイ断面図である。
【図９】リッド内にディスク・メディアが配置され、リッドならびに容器が、それぞれその他の有形物を保管するための第２および第３のチャンバを含む、本発明の代替実施態様を示したカット‐アウェイ横断面図である。
【図１０】その他の有形物を保管するための容器内の第２のチャンバが第２の開口を有し、それがリッドとは区別される別の取り外し可能なカバーを備えて、リッドを取り外すことなく第２のチャンバへのアクセスが得られる、本発明の代替実施態様を示したカット‐アウェイ断面図である。
【図１１】図６Ａに示されているマウント方法が使用され、第２のチャンバ用の取り外し可能なカバーと第１のチャンバ用の取り外し可能なカバーを嵌め合わせて図１１Ａに示されているミニ‐パッケージング・デバイスを構成することのできる、図１０に示されているデバイスの別の実施態様を示したカット‐アウェイ横断面図である。
【図１１Ａ】図６Ａに示されているマウント方法が使用され、第２のチャンバ用の取り外し可能なカバーと第１のチャンバ用の取り外し可能なカバーを嵌め合わせて図１１Ａに示されているミニ‐パッケージング・デバイスを構成することのできる、図１０に示されているデバイスの別の実施態様を示したカット‐アウェイ横断面図である。
【図１２】ディスク・メディアの保持に図３Ｂに示されている方法が用いられ、２つのカバーがベースに螺合されており、取り外されたときに互いに螺合してミニ‐パッケージング・ユニットを構成することのできる、図１１および１１Ａに示されているデバイスの代替実施態様を示したカット‐アウェイ横断面図である。
【図１２Ａ】図１２に示されているデバイスの、取り外した後の２つのカバーが滑り係合する場合（図１２Ａ）または螺合する場合（図１２Ｂ）の代替実施態様を示したカット‐アウェイ横断面図である。
【図１２Ｂ】図１２に示されているデバイスの、取り外した後の２つのカバーが滑り係合する場合（図１２Ａ）または螺合する場合（図１２Ｂ）の代替実施態様を示したカット‐アウェイ横断面図である。
【図１３】デバイス用のカバーの外に向いた側のくぼんだキャビティがディスク・メディア用の第１のチャンバを形成し、当該くぼんだキャビティ内のディスク・メディアがシールによって封入される本発明の別の実施態様を示したカット‐アウェイ横断面図である。
【図１４】シールされたベースの使用を例示した、リッド、ディスク・メディア、および保護エレメントが取り外された状態の、本発明の新しいディスク・パッケージング・デバイスのさらに別の代替実施態様の分解斜視図である。
【図１５】ディスク・メディアがリッド内にシールされ、かつそれと独立してベースがシールされ、それらのリッドおよびベースが、引きひもを引いて裂くことの可能なパッケージング材料の外皮によって分離可能に結合される、本発明の新しいディスク・パッケージング・デバイスのさらに別の代替実施態様の分解斜視図である。
【図１６】ディスク・メディアがリッド内に保持され、そのリッドが、弓形リップならびにタブまたはスナップ手段によって容器内に係合され、かつ保持され、その後、全体の容器およびリッド構造がその他の有形物を収容する別の容器（図示せず）の開口へ挿入される、本発明の新しいディスク・パッケージング・デバイスのさらに別の代替実施態様の斜視図である。
【図１７】図１６の実施態様の分解斜視図である。
【図１７Ａ】デバイスのリッドを容器に取り付ける方法を示した、図１６の実施態様の分解斜視図である。
【図１８】図１６のＧ‐Ｇ線に沿ったカット‐アウェイ断面図である。
【図１８Ａ】ディスク・メディアが中に保持され、完全に挿入されている図１６の実施態様のＧ‐Ｇ線に沿ったカット‐アウェイ断面図である。
【図１９Ａ】ディスク・メディアが二枚貝形状の第１の部材のボトム・チャンバ内に保持され、その第１の部材が容器に係合されて保持され、その容器に対するカバーもしくはシールとして作用する、本発明の新しいディスク・パッケージング・デバイスのさらに別の代替実施態様の平面図である。
【図１９Ｂ】図１９Ａの実施態様の断面図である。
【図１９Ｃ】図１９Ａの実施態様の側面図である。
【図１９Ｄ】オプションのシールの挿入を示した図１９Ａの実施態様の斜視図である。
【図１９Ｅ】オプションのシールが完全に挿入された状態を示した図１９Ｄの実施態様の斜視図である。
【図２０Ａ】ディスク・メディアが二枚貝形状の第１の部材のボトム・チャンバ内に保持され、その第１の部材が容器に係合されて保持され、その容器に対するカバーもしくはシールとして作用する、本発明の新しいディスク・パッケージング・デバイスのさらに別の代替実施態様の平面図である。
【図２０Ｂ】図２０Ａの実施態様の断面図である。
【図２０Ｃ】図２０Ａの実施態様の側面図である。
【図２１】容器の開口内に挿入され、実質的にそれをシールするべく設計されている予備プラグ内にプラグ部材が保管される、本発明の新しいディスク・パッケージング・デバイスの別の代替実施態様を示した斜視図である。
【図２２】プラグ容器が臨時容器シールの上に載置される、本発明の新しいディスク・パッケージング・デバイスのさらに別の代替実施態様を示した分解斜視図である。
【図２３Ａ】プラグ‐タイプの部材の中にディスク・メディアが挿入され、リッドによってそこに確保される、本発明の代替実施態様を示したカット‐アウェイ断面図である。
【図２３Ｂ】プラグ‐タイプの部材の中にディスク・メディアが挿入され、リッドによってそこに確保される、本発明の代替実施態様を示したカット‐アウェイ断面図である。
【図２４Ａ】プラグ‐タイプの部材の中にディスク・メディアが挿入され、可撓性のあるシールによってそこに確保される、本発明の代替実施態様を示したカット‐アウェイ断面図である。
【図２４Ｂ】プラグ‐タイプの部材の中にディスク・メディアが挿入され、可撓性のあるシールによってそこに確保される、本発明の代替実施態様を示したカット‐アウェイ断面図である。
【図２５Ａ】プラグ‐タイプの部材の中にディスク・メディアが挿入され、厚紙シールによってそこに確保される、本発明の代替実施態様を示したカット‐アウェイ断面図である。
【図２５Ｂ】プラグ‐タイプの部材の中にディスク・メディアが挿入され、厚紙シールによってそこに確保される、本発明の代替実施態様を示したカット‐アウェイ断面図である。
【図２５Ｃ】プラグ‐タイプの部材の中にディスク・メディアが挿入され、厚紙シールによってそこに確保される、本発明の代替実施態様を示したカット‐アウェイ断面図である。
【図２６Ａ】最初に保護エレメント内にディスク・メディアが挿入され、続いて保護エレメントがプラグ‐タイプの部材の中に挿入され、各種の手段によってそこに確保される、本発明の代替実施態様を示したカット‐アウェイ断面図である。
【図２６Ｂ】最初に保護エレメント内にディスク・メディアが挿入され、続いて保護エレメントがプラグ‐タイプの部材の中に挿入され、各種の手段によってそこに確保される、本発明の代替実施態様を示したカット‐アウェイ断面図である。
【図２６Ｃ】最初に保護エレメント内にディスク・メディアが挿入され、続いて保護エレメントがプラグ‐タイプの部材の中に挿入され、各種の手段によってそこに確保される、本発明の代替実施態様を示したカット‐アウェイ断面図である。
【図２７】プラグ‐タイプの部材が、そのフロアに折り曲げラインを含み、当該折り曲げラインがプラグ‐タイプの部材の側壁の２つの切り込み部分の間に延びており、偏りを与えてプラグ‐タイプの部材を開くことができる、本発明の代替実施態様を示した斜視図である。
【図２７Ａ】図２７に示した実施態様の壁の嵌め合い部分の断面図である。
【図２７Ｂ】図２７に示した実施態様の壁の嵌め合い部分の断面図である。
【図２８】図２７に示した実施態様のカット‐アウェイ断面図である。
【図２９】ディスク・メディアが円筒状のリッド内に保持され、当該リッドが上側エレメントおよび下側のエレメントを含み、容器エレメントがその中のディスク形状のメディアと係合し、それを保持し、かつシールするため、およびストローの貫通を可能にするための手段を含み、その後、その円筒状のリッドを飲料容器へ取り付けることのできる、本発明の新しいディスク・パッケージング・デバイスの別の代替実施態様を示した斜視図である。
【図３０】図２９に示した実施態様の分解斜視図である。
【図３１】図２９に示した実施態様のカット‐アウェイ断面図である。
【図３１Ａ】ディスク・メディアが中に保持されている状態を示した図２９の実施態様のカット‐アウェイ断面図である。
【図３２】ディスク・メディアが円筒状のリッド内に保持され、円筒状のリッドが、ディスク形状のメディアと係合し、それを保持するため、およびストローの貫通を可能にするための手段、およびそれらと協働するシーリング手段を含み、その後、その円筒状のリッドを飲料容器へ取り付けることのできる、本発明の新しいディスク・パッケージング・デバイスの別の代替実施態様を示した斜視図である。
【図３３】図３２に示した実施態様のカット‐アウェイ断面図である。
【図３４】図３２に示した実施態様の側面図である。
【図３４】図３２に示した実施態様の分解斜視図である。
【図３６】ディスク・メディアが中に保持されている状態を示した図３２の実施態様の斜視図である。
【図３７】ディスク・メディアが第１の部材またはウェファ内に保持され、当該部材またはウェファが飲料容器のカバーに係合されて保持され、前記カバーがストローの受け入れならびに保持のための中心開口を有するタイプであり、前記第１の部材またはウェファには中心の円筒状エレメントが含まれ、当該エレメントがカバーならびにウェファを貫通して飲料容器の内部に達するストローの通過を可能にするアパーチャを有している、本発明の新しいディスク・パッケージング・デバイスの別の実施態様を示した斜視図である。
【図３８】デバイスのカバーが容器に取り付けられる態様を示した、図３７の実施態様の斜視図である。
【図３９】図３７に示した実施態様の、Ｈ‐Ｈ線に沿ったカット‐アウェイ断面図である。
【図３９Ａ】中にディスクが保持されている状態を示した、図３７の実施態様のＨ‐Ｈ線に沿ったカット‐アウェイ断面図である。
【図３９Ｂ】中にディスクが保持されている状態を示した、図３７の代替実施態様のカット‐アウェイ断面図である。
【図４０】ディスク・メディアが第１の部材またはウェファ内に保持され、当該部材またはウェファが飲料容器のカバーに係合されて保持され、前記カバーがストローの受け入れならびに保持のための中心開口を有するタイプであり、前記第１の部材またはウェファには中心の円筒状エレメントが含まれ、当該エレメントがカバーならびにウェファを貫通して飲料容器の内部に達するストローの通過を可能にするアパーチャを有している、本発明の新しいディスク・パッケージング・デバイスの別の実施態様を示した分解斜視図である。
【図４１】ウェファが容器のカバーに取り付けられている状態を示した、図４０の実施態様の斜視図である。
【図４２】容器内に挿入される第１のバスケット‐タイプの部材を備え、当該バスケット‐タイプの部材をその他の有形物を受け入れ、保持するためのものとする、本発明の新しいディスク・パッケージング・デバイスの別の実施態様を示した分解斜視図である。
【図４３】図４２に示した実施態様の斜視図である。
【図４４】図４２に示した実施態様の平面図である。
【図４５】図４２に示した実施態様の、Ａ‐Ａ線に沿ったカット‐アウェイ断面図である。
【図４６Ａ】可撓性のあるシールを備え、そのシールが、内側のリムに備えられた少なくとも１つの突起または突出部によってデバイス内にスナップ嵌めされる、本発明の新しいディスク・パッケージング・デバイスのさらに別の代替実施態様を示したカット‐アウェイ断面図である。
【図４６Ｂ】可撓性のあるシールを備え、そのシールが、内側の円筒状の中心支持エレメントに備えられた少なくとも１つの突起または突出部によってデバイス内にスナップ嵌めされる、本発明の新しいディスク・パッケージング・デバイスのさらに別の代替実施態様を示したカット‐アウェイ断面図である。
【図４６Ｃ】可撓性のあるシールを備え、そのシールが、内側のリムおよび内側の円筒状の中心支持エレメントの両方に備えられた少なくとも１つの突起または突出部によってデバイス内にスナップ嵌めされる、本発明の新しいディスク・パッケージング・デバイスのさらに別の代替実施態様を示したカット‐アウェイ断面図である。
【図４７Ａ】シールを備え、そのシールが、熱シーリングもしくはそのほかの接着取り付け手段によって、デバイスの内側のリムに備えられた少なくとも１つの突起または突出部に貼り付けられる、本発明の新しいディスク・パッケージング・デバイスのさらに別の代替実施態様を示したカット‐アウェイ断面図である。
【図４７Ｂ】シールを備え、そのシールが、熱シーリングもしくはそのほかの接着取り付け手段によって、デバイス内側の円筒状の中心支持エレメントに備えられた少なくとも１つの突起または突出部に貼り付けられる、本発明の新しいディスク・パッケージング・デバイスのさらに別の代替実施態様を示したカット‐アウェイ断面図である。
【図４７Ｃ】シールを備え、そのシールが、熱シーリングもしくはそのほかの接着取り付け手段によって、デバイスの内側のリムおよび内側の円筒状の中心支持エレメントの両方に備えられた少なくとも１つの突起または突出部に貼り付けられる、本発明の新しいディスク・パッケージング・デバイスのさらに別の代替実施態様を示したカット‐アウェイ断面図である。
【図４８】２つの分離された相補エレメントが圧縮嵌めによって互いかぶせられる、本発明の新しいディスク・パッケージング・デバイスのさらに別の代替実施態様を示したカット‐アウェイ断面図である。
【図４９】デバイスのベースから広がるスカートを備える、本発明の新しいディスク・パッケージング・デバイスのさらに別の代替実施態様を示したカット‐アウェイ断面図である。
【図５０】デバイス内のディスク形状のメディアのシールならびに保護に適合されたヒンジ付きエレメントを備える、本発明の新しいディスク・パッケージング・デバイスのさらに別の代替実施態様を示したカット‐アウェイ断面図である。
【図５１】デバイスの周縁に沿って走るスカートと、保管デバイスの隆起したリップ・リムの係合によってパッケージング・デバイスが容器に取り付けられる、本発明の新しいディスク・パッケージング・デバイスのさらに別の代替実施態様を示したカット‐アウェイ断面図である。併せてオプションのセーフティ・シールも示されている。
【図５２】デバイスが本に取り付けられる、図５１に示されている新しいディスク・パッケージング・デバイスのさらに別の代替実施態様を示したカット‐アウェイ断面図である。
【図５３】デバイスの周縁に沿って走るスカートと、保管デバイスの隆起したリップ・リムの係合によってパッケージング・デバイスが容器に取り付けられる、外側に広がるハブを備えた、本発明の新しいディスク・パッケージング・デバイスのさらに別の代替実施態様を示したカット‐アウェイ断面図である。
【図５４】図５２に示されている実施態様の代替実施態様のカット‐アウェイ断面図である。
【図５５】図５３に示されている実施態様の代替実施態様のカット‐アウェイ断面図である。
【図５６】不堅牢性の糊またはそのほかの一時的な接着剤によって、ディスク形状のメディアがリッドもしくはカバーの内側表面に直接的に貼り付けられる本発明の新しいディスク・パッケージング・デバイスの代替実施態様を示したカット‐アウェイ断面図である。
【図５７Ａ】接着剤もしくは熱シーリングによって、リッドまたはカバー内のチャンバの開口の周囲に貼り付けられる可撓性のあるシールをさらに含んでいる、図５６に示されている実施態様のカット‐アウェイ断面図である。
【図５７Ｂ】カバーの内側リムの周囲に備えられる少なくとも１つの突起または突出部によって、カバーもしくはリッド内のチャンバへの開口内にスナップ嵌めされるシールをさらに含んでいる、図５６に示されている実施態様のカット‐アウェイ断面図である。
【図５８Ａ】糊の使用がなく、チャンバ内におけるディスク形状のメディアの自由な遊動が許容される、図５７Ａに示されている実施態様のカット‐アウェイ断面図である。
【図５８Ｂ】糊の使用がなく、チャンバ内におけるディスク形状のメディアの自由な遊動が許容される、図５７Ｂに示されている実施態様のカット‐アウェイ断面図である。
【図５９】硬質のシールが開口を備え、複数の切り込みによってその周囲に複数のタブが形成され、それらのタブがチャンバ内にディスク形状のメディアを保持するべく設計されており、当該チャンバがディスク形状のメディアの中心アパーチャを受けるための中心支持構造を有し、前記開口が当該中心支持構造の外径よりわずかに小さく、その結果、シール内の開口と中心支持構造の間における摩擦接触が作用してシールが中心支持構造上の定位置に保持される、本発明の別の実施態様を示したカット‐アウェイ断面図である。
【図５９Ａ】タブと中心支持構造の間における可能性のある相互作用を例示した図５９に示されている実施態様のカット‐アウェイ断面図である。
【図５９Ｂ】タブと中心支持構造の間における、別の可能性のある相互作用を例示した図５９に示されている実施態様のカット‐アウェイ断面図である。
【図５９Ｃ】タブと中心支持構造の間における、さらに別の可能性のある相互作用を例示した図５９に示されている実施態様のカット‐アウェイ断面図である。
【符号の説明】
【０１９１】
１０  ディスク・パッケージング・デバイス／パッケージング・デバイス
１１ｙ  カバー
１２  ベース／ベース・コンポーネント／下側ベース・コンポーネント／容器
１２ｘ  ボトム
１２ｙ  ベース
１２ｚ  ベース
１４  カバー／カバー・コンポーネント／リッド／上側カバー・コンポーネント
１４ａ  内側表面
１４ｂ  外側表面
１４ｘ  カバー
１４ｙ  カバー
１４ｚ  カバー
１６  エンド・プレート／ボトム・プレート
１８  エンド・プレート／カバー・プレート
２０  側壁
２２  上側セクション／容器
２４  外壁
２６  内壁
２８  リム
３０  側壁
３２  外壁
３４  内壁
３６  リム
４０  構造／内側構造／内側支持構造／環状サポート／カラー
４０ａ  内側構造
４２  ディスク／ディスク形状のメディア／メディア
４３  上側表面
４４  環状カラー
４５  メディア表面／環状の壁／壁
４５ｄ  外側表面
４６  環状アバットメント／環状リング
４８  環状リップ
５０  保護エレメント／保護部材
５０ｂ  保護部材／保護エレメント
５２  その他の有形物
５２ａ  有形物
５４  アバットメント
５６  フィンガ／フェンサ／突出部
５８  構造／内側構造／内側支持構造
６０  環状リング
６２  スポーク
６４  立ち上がり部分
６６  フィンガ部分
６８  内側構造
７０  環状カラー
７２  フィンガ
７４  直立する突起
７７  ディスク形状のメディア
８０  突起
８２  内壁
８４  保護エレメント
８４ａ  エンベロープ
９０  ベース／代替ベース
９２  人形
９４  端壁構造／壁
９６  内壁
９８  構造／変形可能な構造
１００  内側支持構造
１０２  第１のチャンバ
１０４  チャンバ／第２のチャンバ
１０６  外壁
１０８  第３のチャンバ
１１０  開口
１１６  カバー
１１６ａ  カバー
１１６ｂ  環状の壁／壁
１１６ｃ  環状の壁／壁
１１６ｄ  外側表面
１１６ｘ  カバー
１１６ｙ  ボトム・カバー
１１６ｚ  カバー
１１７ｙ  オーバーラップ部分
１１８ｙ  外側表面
１１９ｚ  外ねじ部分
１２０ｚ  内ねじ部分
１４４  補助カバー
１４４ａ  内壁
１４４ｂ  内壁
１４４ｄ  チャンバ
２４４  カバー
２４６  凹状のくぼみ
２４８  シール
２５０  側壁
２５１  エンド
２５２  深さ／底壁
３０１  外皮
３０２  ひも
４００  リッド
４０２  プラグ容器／円筒状プラグ容器
４０４  開口
４０６  リッド支持構造／中心リッド支持構造
４０８  支持突起／突起
４１０  内側表面
４１２  環状アパーチャ
４１４  弓形リップ
４１６  くぼみ
４１８  外側リム
４２０  内側表面
４２２  ストップ・ブロック
４２４  突出部
４２６  凹部
４２８  ハンドル
４３０  組み立て後の容器
４３２  環状カラー
４３４  フィン
４５０  プラグ容器
４５２  コンパートメント／チャンバ／上側コンパートメント
４５４  コンパートメント／下側チャンバ
４５６  第１のチャンバ
４５８  ヒンジ
４６０  下側部分
４６２  環状カラー
４６４  環状フィン
４６６  中心支持構造
４６８  支持突起
４７０  内側表面
４７２  突出部
４８０  予備プラグ
４８２  二枚貝部材
４８４  容器
４８６  プラグ・チャンバ
４９０  臨時容器シール
４９２  プル‐タブ／リッド
４９４  リッド
５００  リッド／外側の突起
５０２  プラグ容器／壁
５０４  開口
５０６  支持構造／中心支持構造
５１２  中心アパーチャ
５３２  環状カラー
５４０  キャビティ
５４２  フロア
５４４  保護ケーシング
５４６  カラー部分
５４７  環状エレメント／保護エレメント
５４８  壁
５５０  突起
５５２  突起
５５４  保護エレメント
５５６  パッケージング容器
５５８  シール
５６０  シール・タブ／タブ
５６２  プル‐タブ
５８０  突出部
５８６  対向するポイント
５８８  ライン
５９０  壁
５９６  対向する面
５９６’  対向する面
５９８  対向する面
５９８’  対向する面
６００  リッド
６０２  上側エレメント
６０４  下側エレメント
６０６  上側円筒状突起
６１０  上側開口
６１２  上側ショルダ
６１４  内側表面
６１６  下側開口
６１８  環状のチャンバ
６２０  下側ショルダ
６２２  内側表面
６２４  外側エッジ
６２６  外側エッジ
６５０  カップ・リッド／リッド／円筒状のリッド
６５２  円筒状の突起／突起
６５４  エンド／平坦なエンド
６５６  リッド開口
６５７  突出部
６５８  環状ショルダ
６６０  内側表面
６６２  環状の棚／棚
６６４  棚トップ／ピーク
６６６  スカート
６６８  ギャップ
６７０  シーリング手段／シーリング部材
６７２  キャビティ
６７４  『Ｘ』形状の切り込み／切り込み
６７６  プル‐タブ
７００  ウェファ／第１のメンバまたはウェファ
７０２  円筒状の突起
７０３  開口
７０４  環状のショルダ・エレメント
７０６  内側表面
７０８  保護エレメント
７１０  第１のチャンバ／内側エリア
７１２  アパーチャ
７１４  カラー／押し込みカラー
７１５  エッジ
７１６  シーリング・ショルダ
７１８  組み立て済み容器／容器
７５０  ウェファ
７５２  環状アパーチャ／中心アパーチャ
７５４  カバー
７５６  ストロー受け開口／開口／中心開口
７５８  チャンバ／円筒状の突起
７６０  通路
７６２  環状のショルダ・エレメント
７６４  内側表面
７６５  底壁
７６６  保護エレメント
７６８  チャンバ／第１のチャンバ／内側エリア
７７０  貫通手段
７７２  リム／立ち上げられたリム
７７４  組み立て済みウェファ
８００  バスケット／バスケット‐タイプの部材
８０２  上側部分／柱／柱状の上側部分
８０４  バスケット／下側部分
８０６  容器
８０８  カバー
８１０  開口
８１２  チャンバ／容器
８１３  リム
８１４  支持構造／中心支持構造
８１６  支持突起
８１８  突出部
８２０  把持手段
８２２  レセプタクル
８２４  環状保持壁／保持壁
８２６  リップ
８２８  側壁
８５０  部材
８５２  円筒状の突起
８５４  キャビティ
８５５  環状のショルダ・エレメント
８５６  内側表面
８５８  シーリング部材／保護エレメント
８６０  チャンバ
８６２  壁の突出部
８６４  内壁
８６６  アパーチャ／円形アパーチャ
８６８  中心支持突出部
８７０  周縁
８７２  中心
８７４  プル‐タブ
８７６  棚
８７８  プラットフォーム／中心プラットフォーム／突出部
８８０  上側部材
８８２  下側部材
８８４  下側の内よりの壁
８８６  上側の内よりの壁
８８８  外側表面
８９０  内側表面
８９２  外よりの壁
８９４  外よりの壁
８９６  ヒンジ
８９８  突起
８９９  スカート
９００  第１の部材／部材
９０２  カバー／リッド
９０４  キャビティ／容器
９０６  円筒状の突起
９０８  キャビティ
９１０  ショルダ・エレメント／環状のショルダ・エレメント
９１２  内側表面
９１４  突起
９１６  直立した側壁
９１８  スカート／横方向スペーシング手段
９２０  リップ／リム／突出リップ
９２２  安全シール
９２４  本
９５０  ドーム型のトップ部材／第１の部材／部材
９５２  キャビティ／チャンバ
９５４  内側表面
９５６  側壁
９５８  接着剤／不堅牢性の糊
９６０  チャンバ／保護エレメント／シール
９６２  周縁
９６４  開口
９６６  プル‐タブ
９６８  壁の突出部
９７０  円筒状の突起
９７２  開口／中心開口／環状のショルダ・エレメント
９７４  切り込み
９７６  タブ
９７８  フィンガ・ホールド
９８０  ショルダ・エレメント／環状のショルダ・エレメント
【国際公開パンフレット】
2004536751.tif 000003
2004536751.tif 000004
2004536751.tif 000005
2004536751.tif 000006
2004536751.tif 000007
2004536751.tif 000008
2004536751.tif 000009
2004536751.tif 000010
2004536751.tif 000011
2004536751.tif 000012
2004536751.tif 000013
2004536751.tif 000014
2004536751.tif 000015
2004536751.tif 000016
2004536751.tif 000017
2004536751.tif 000018
2004536751.tif 000019
2004536751.tif 000020
2004536751.tif 000021
2004536751.tif 000022
2004536751.tif 000023
2004536751.tif 000024
2004536751.tif 000025
2004536751.tif 000026
2004536751.tif 000027
2004536751.tif 000028
2004536751.tif 000029
2004536751.tif 000030
2004536751.tif 000031
2004536751.tif 000032
2004536751.tif 000033
2004536751.tif 000034
2004536751.tif 000035
2004536751.tif 000036
2004536751.tif 000037
2004536751.tif 000038
2004536751.tif 000039
2004536751.tif 000040
2004536751.tif 000041
2004536751.tif 000042
2004536751.tif 000043
2004536751.tif 000044
2004536751.tif 000045
2004536751.tif 000046
2004536751.tif 000047
2004536751.tif 000048
2004536751.tif 000049
2004536751.tif 000050
2004536751.tif 000051
2004536751.tif 000052
2004536751.tif 000053
2004536751.tif 000054
2004536751.tif 000055
2004536751.tif 000056
2004536751.tif 000057
2004536751.tif 000058
2004536751.tif 000059
2004536751.tif 000060
2004536751.tif 000061
2004536751.tif 000062
2004536751.tif 000063
2004536751.tif 000064
2004536751.tif 000065
2004536751.tif 000066
2004536751.tif 000067
2004536751.tif 000068
2004536751.tif 000069
2004536751.tif 000070
2004536751.tif 000071
2004536751.tif 000072
2004536751.tif 000073
2004536751.tif 000074
2004536751.tif 000075
2004536751.tif 000076
2004536751.tif 000077
2004536751.tif 000078
2004536751.tif 000079
2004536751.tif 000080
2004536751.tif 000081
2004536751.tif 000082
2004536751.tif 000083
2004536751.tif 000084
2004536751.tif 000085
2004536751.tif 000086
2004536751.tif 000087
2004536751.tif 000088
2004536751.tif 000089
2004536751.tif 000090
2004536751.tif 000091
2004536751.tif 000092
2004536751.tif 000093
2004536751.tif 000094
2004536751.tif 000095
2004536751.tif 000096
2004536751.tif 000097
2004536751.tif 000098
2004536751.tif 000099
2004536751.tif 000100
2004536751.tif 000101
2004536751.tif 000102
2004536751.tif 000103
2004536751.tif 000104
2004536751.tif 000105
2004536751.tif 000106
2004536751.tif 000107
2004536751.tif 000108
2004536751.tif 000109
2004536751.tif 000110
2004536751.tif 000111
2004536751.tif 000112
2004536751.tif 000113
2004536751.tif 000114
2004536751.tif 000115
2004536751.tif 000116
2004536751.tif 000117
2004536751.tif 000118
2004536751.tif 000119
2004536751.tif 000120
2004536751.tif 000121
2004536751.tif 000122
2004536751.tif 000123
2004536751.tif 000124
2004536751.tif 000125
2004536751.tif 000126
2004536751.tif 000127
2004536751.tif 000128
2004536751.tif 000129
2004536751.tif 000130
2004536751.tif 000131
2004536751.tif 000132
2004536751.tif 000133
2004536751.tif 000134
2004536751.tif 000135
2004536751.tif 000136
2004536751.tif 000137
2004536751.tif 000138
2004536751.tif 000139
2004536751.tif 000140
2004536751.tif 000141
2004536751.tif 000142
2004536751.tif 000143
2004536751.tif 000144
2004536751.tif 000145
2004536751.tif 000146
2004536751.tif 000147
2004536751.tif 000148
2004536751.tif 000149
2004536751.tif 000150
2004536751.tif 000151
2004536751.tif 000152
2004536751.tif 000153
2004536751.tif 000154
2004536751.tif 000155
2004536751.tif 000156
2004536751.tif 000157
2004536751.tif 000158
2004536751.tif 000159
2004536751.tif 000160
【国際調査報告】
2004536751.tif 000161
2004536751.tif 000162
2004536751.tif 000163